(57)【要約】【課題】統合されたスモールセルおよびＷｉＦｉ（ＩＳＷ）ネットワークにおいて既存の通信接続のハンドオーバーを開始するように適合されたシステム間移動性アンカ制御ポイントを提供すること。【解決手段】システム間移動性アンカ制御ポイントは、ＨｅＮＢ／ＬＴＥネットワークおよび信頼されているＷＬＡＮアクセスネットワーク（ＴＷＡＮ）の両方に通信可能に結合され、ＨｅＮＢ／ＬＴＥおよびＴＷＡＮアクセスの両方のための共通の制御プレーンエンティティとして動作するように適合されている。移動性アンカ制御ポイントは、例えば、移動性管理エンティティ（ＭＭＥ）または統合されたスモールセルおよびＷＬＡＮゲートウェイ（ＩＳＷ  ＧＷ）であり得る。移動性アンカ制御ポイントは、ＨｅＮＢネットワークおよびＷＬＡＮの動作に関連する測定データを要求および受信するように適合されている。【選択図】なし【特許請求の範囲】
【請求項１】
方法であって、
移動性管理エンティティが、セルラー通信アクセスネットワークおよび無線ローカルアクセスネットワークの動作に関する測定データを受信することであって、前記測定データは、前記セルラー通信アクセスネットワークを介したパケットデータネットワークへの第１の既存の接続を有するユーザデバイスにおいて収集される、ことと、
前記移動性管理エンティティが、前記測定データに少なくとも部分的に基づいて、通信を前記セルラー通信アクセスネットワークを介したパケットデータネットワークへの前記第１の既存の接続から前記無線ローカルアクセスネットワークを介した前記パケットデータネットワークへの第２の接続にハンドオーバーすることを決定することと、
前記移動性管理エンティティが、前記無線ローカルアクセスネットワークに、前記セルラー通信アクセスネットワークから前記無線ローカルアクセスネットワークへのハンドオーバーの通知を通信することであって、前記移動性管理エンティティは、制御プレーンデータを前記移動性管理エンティティと前記無線ローカルアクセスネットワークとの間で通信するための第１のインターフェースを経由して通信する、ことと、
前記移動性管理エンティティが、前記セルラー通信アクセスネットワークに、通信を前記セルラー通信アクセスネットワークから前記無線ローカルアクセスネットワークにハンドオーバーするためのメッセージを通信することと、
前記移動性管理エンティティが、制御プレーンデータを前記移動性管理エンティティと前記無線ローカルアクセスネットワークとの間で通信するための前記第１のインターフェースを介して、ハンドオーバー通知要求を前記無線ローカルアクセスネットワークから受信することと、
前記移動性管理エンティティが、ベアラ修正要求をサービングゲートウェイに通信することであって、前記ベアラ修正要求は、ベアラエンドポイントのトンネルエンドポイントＩＤ（ＴＥＩＤ）を備えている、ことと
を含む、方法。
【請求項２】
前記移動性管理エンティティから、通信を前記セルラー通信アクセスネットワークから前記無線ローカルアクセスネットワークにハンドオーバーするためのメッセージを受信することに応答して、前記セルラー通信アクセスネットワークが、前記ユーザデバイスに、前記セルラー通信ネットワークから前記無線ローカルアクセスネットワークへのハンドオーバーを実施するためのメッセージを通信することと、
前記ユーザデバイスが、前記無線ローカルアクセスネットワークにアタッチすることと、
前記無線ローカルアクセスネットワークが、前記第１のインターフェースを経由して、ハンドオーバー通知要求を前記移動性管理エンティティに通信することと
をさらに含む、請求項１に記載の方法。
【請求項３】
前記移動性管理エンティティがベアラ修正要求をサービングゲートウェイに通信することに応答して、前記サービングゲートウェイが、ベアラ修正応答を前記移動性管理エンティティに返すことをさらに含む、請求項２に記載の方法。
【請求項４】
前記移動性管理エンティティが、前記セルラー通信アクセスネットワークに、解放するためのコマンドを通信することと、
解放するためのコマンドを前記移動性管理エンティティから受信することに応答して、前記セルラー通信アクセスネットワークが、前記ユーザデバイスへの前記セルラー通信アクセスネットワークを介したアクセスを解放することをさらに含む、請求項３に記載の方法。
【請求項５】
前記デバイス発信データを、前記無線ローカルアクセスネットワークを通じて前記サービングゲートウェイに通信することをさらに含む、請求項３に記載の方法。
【請求項６】
セルラー通信アクセスネットワークおよび無線ローカルアクセスネットワークの動作に関する測定データを受信することは、Ｓ１−ＡＰプロトコルを介して測定報告を受信することを含む、請求項１に記載の方法。
【請求項７】
システムであって、
１つ以上のコンピューティングプロセッサと、
前記１つ以上のコンピューティングプロセッサと通信可能に結合されているコンピューティングメモリと
を備え、
前記コンピューティングメモリは、実行可能命令を備え、前記命令は、前記１つ以上のコンピューティングプロセッサによる実行時、
セルラー通信アクセスネットワークおよび無線ローカルアクセスネットワークの動作に関する測定データを受信することであって、前記測定データは、前記セルラー通信アクセスネットワークを介したパケットデータネットワークへの第１の既存の接続を有するユーザデバイスにおいて収集される、ことと、
前記測定データに少なくとも部分的に基づいて、通信を前記セルラー通信アクセスネットワークを介したパケットデータネットワークへの前記第１の既存の接続から前記無線ローカルアクセスネットワークを介した前記パケットデータネットワークへの第２の接続にハンドオーバーすることを決定することと、
前記無線ローカルアクセスネットワークに、前記セルラー通信アクセスネットワークから前記無線ローカルアクセスネットワークへのハンドオーバーの通知を通信することであって、前記通信することは、制御プレーンデータを前記無線ローカルアクセスネットワークと通信するための第１のインターフェースを経由する、ことと、
前記セルラー通信アクセスネットワークに、通信を前記セルラー通信アクセスネットワークから前記無線ローカルアクセスネットワークにハンドオーバーするためのメッセージを通信することと、
制御プレーンデータを前記無線ローカルアクセスネットワークと通信するための前記第１のインターフェースを介して、ハンドオーバー通知要求を前記無線ローカルアクセスネットワークから受信することと、
ベアラ修正要求をサービングゲートウェイに通信することであって、前記ベアラ修正要求は、ベアラエンドポイントのトンネルエンドポイントＩＤ（ＴＥＩＤ）を備えている、ことと
を含む動作を前記システムに実施させる、システム。
【請求項８】
方法であって、
移動性管理エンティティが、セルラー通信アクセスネットワークおよび無線ローカルアクセスネットワークの動作に関する測定データを受信することであって、前記測定データは、無線ローカルアクセスネットワークを介したパケットデータネットワークへの第１の既存の接続を有するユーザデバイスにおいて収集される、ことと、
前記移動性管理エンティティが、通信を無線ローカルアクセスネットワークを介したパケットデータネットワークへの前記第１の既存の接続からセルラー通信アクセスネットワークを介した前記パケットデータネットワークへの第２の接続にハンドオーバーすることを決定することと、
前記移動性管理エンティティが、前記無線ローカルアクセスネットワークに、ハンドオーバーが実施されるべきことを示すメッセージを通信することであって、前記移動性管理エンティティは、制御プレーンデータを前記移動性管理エンティティと前記無線ローカルアクセスネットワークとの間で通信するための第１のインターフェースを経由して通信する、ことと、
前記移動性管理エンティティが、ベアラを修正するためのメッセージをサービングゲートウェイに通信することであって、前記メッセージは、ベアラエンドポイントのトンネルエンドポイントＩＤ（ＴＥＩＤ）を備えている、ことと
を含む、方法。
【請求項９】
前記移動性管理エンティティが、前記無線ローカルアクセスネットワークに、ハンドオーバーが実施されるべきことを示すメッセージを通信することに応答して、前記無線ローカルアクセスネットワークが、前記ユーザデバイスに、前記無線ローカルアクセスネットワークから前記セルラー通信アクセスネットワークにハンドオーバーを実施するためのメッセージを通信することと、
前記ユーザデバイスが、ハンドオーバーを実施するための要求を前記セルラー通信アクセスネットワークに通信することと、
前記セルラー通信アクセスネットワークが、アタッチ要求を前記移動性管理エンティティに通信することと
をさらに含む、請求項８に記載の方法。
【請求項１０】
前記移動性管理エンティティが、ベアラ修正要求をサービングゲートウェイに通信することに応答して、前記サービングゲートウェイが、ベアラ修正応答を前記移動性管理エンティティに返すことをさらに含む、請求項９に記載の方法。
【請求項１１】
前記移動性管理エンティティが、前記第１のインターフェースを介して、前記ハンドオーバーが完了したことを示すメッセージを前記無線ローカルアクセスネットワークに通信することと、
前記移動性管理エンティティが、前記ハンドオーバーが完了したことを示すメッセージを通信することに応答して、前記無線ローカルアクセスネットワークが、前記ユーザデバイスに、前記無線ローカルアクセスネットワークとの接続を解放するためのメッセージを通信することをさらに含む、請求項９に記載の方法。
【請求項１２】
前記デバイス発信データを、前記セルラー通信アクセスネットワークを通じて前記サービングゲートウェイに通信することをさらに含む、請求項９に記載の方法。
【請求項１３】
システムであって、
１つ以上のコンピューティングプロセッサと、
前記１つ以上のコンピューティングプロセッサと通信可能に結合されているコンピューティングメモリと
を備え、
前記コンピューティングメモリは、実行可能命令を備え、前記命令は、前記１つ以上のコンピューティングプロセッサによる実行時、
セルラー通信アクセスネットワークおよび無線ローカルアクセスネットワークの動作に関する測定データを受信することであって、前記測定データは、無線ローカルアクセスネットワークを介したパケットデータネットワークへの第１の既存の接続を有するユーザデバイスにおいて収集される、ことと、
通信を無線ローカルアクセスネットワークを介したパケットデータネットワークへの前記第１の既存の接続からセルラー通信アクセスネットワークを介した前記パケットデータネットワークへの第２の接続にハンドオーバーすることを決定することと、
前記無線ローカルアクセスネットワークに、ハンドオーバーが実施されるべきことを示すメッセージを通信することであって、前記通信は、制御プレーンデータを前記無線ローカルアクセスネットワークと通信するための第１のインターフェースを経由する、ことと、
ベアラを修正するためのメッセージをサービングゲートウェイに通信することであって、前記メッセージは、ベアラエンドポイントのトンネルエンドポイントＩＤ（ＴＥＩＤ）を備えている、ことと
を含む動作を前記システムに実施させる、システム。
【請求項１４】
方法であって、
統合されたスモールセルおよび無線ローカルエリアネットワークのためのゲートウェイであるＩＳＷ  ＧＷが、セルラー通信アクセスネットワークおよび無線ローカルアクセスネットワークの動作に関する測定データを受信することであって、前記測定データは、前記セルラー通信アクセスネットワークを介したパケットデータネットワークへの第１の既存の接続を有するユーザデバイスにおいて収集される、ことと、
前記ＩＳＷ  ＧＷが、前記測定データに少なくとも部分的に基づいて、通信をセルラー通信アクセスネットワークを介したパケットデータネットワークへの前記第１の既存の接続から無線ローカルアクセスネットワークを介した前記パケットデータネットワークへの第２の接続にハンドオーバーすることを決定することと、
前記ＩＳＷ  ＧＷが、前記無線ローカルアクセスネットワークに、前記セルラー通信アクセスネットワークから前記無線ローカルアクセスネットワークへのハンドオーバーの通知を通信することと、
前記ＩＳＷ  ＧＷが、制御プレーンデータを前記無線ローカルアクセスネットワークと通信するための第１のインターフェースを経由して通信することであって、前記通知は、ＩＳＷ  ＧＷトンネルエンドポイントＩＤ（ＴＥＩＤ）を備えている、ことと、
前記ＩＳＷ  ＧＷが、前記セルラー通信アクセスネットワークに、通信を前記セルラー通信アクセスネットワークから前記無線ローカルアクセスネットワークにハンドオーバーするためのメッセージを通信することと、
前記ＩＳＷ  ＧＷが、制御プレーンデータを前記無線ローカルアクセスネットワークと通信するための前記第１のインターフェースを介して、ハンドオーバー通知要求を受信することと、
前記ＩＳＷ  ＧＷが、ハンドオーバー通知を移動性管理エンティティに通信することと
を含む、方法。
【請求項１５】
前記ＩＳＷ  ＧＷから受信することに応答して、前記セルラー通信アクセスネットワークが、前記ユーザデバイスに、前記セルラー通信アクセスネットワークから前記無線ローカルアクセスネットワークへのハンドオーバーを実施するためのメッセージを通信することと、
前記ユーザデバイスが、前記無線ローカルアクセスネットワークにアタッチすることと、
前記無線ローカルアクセスネットワークが、前記第１のインターフェースを経由して、ハンドオーバー通知要求を前記ＩＳＷ  ＧＷに通信することと
をさらに含む、請求項１４に記載の方法。
【請求項１６】
前記ＩＳＷ  ＧＷが、前記セルラー通信アクセスネットワークに、前記第１の既存の接続を解放するためのメッセージを通信することと、
前記ＩＳＷ  ＧＷからの前記第１の既存の接続を解放するためのメッセージに応答して、前記セルラー通信アクセスネットワークが、前記第１の既存の接続に関連するリソースを解放することをさらに含む、請求項１５に記載の方法。
【請求項１７】
前記ユーザデバイス発信データを、前記無線ローカルアクセスネットワークを通じて前記ＩＳＷ  ＧＷに通信することをさらに含む、請求項１６に記載の方法。
【請求項１８】
システムであって、
１つ以上のコンピューティングプロセッサと、
前記１つ以上のコンピューティングプロセッサと通信可能に結合されているコンピューティングメモリと
を備え、
前記コンピューティングメモリは、実行可能命令を備え、前記命令は、前記１つ以上のコンピューティングプロセッサによる実行時、
セルラー通信アクセスネットワークおよび無線ローカルアクセスネットワークの動作に関する測定データを受信することであって、前記測定データは、前記セルラー通信アクセスネットワークを介したパケットデータネットワークへの第１の既存の接続を有するユーザデバイスにおいて収集される、ことと、
前記測定データに少なくとも部分的に基づいて、通信をセルラー通信アクセスネットワークを介したパケットデータネットワークへの前記第１の既存の接続から無線ローカルアクセスネットワークを介した前記パケットデータネットワークへの第２の接続にハンドオーバーすることを決定することと、
前記無線ローカルアクセスネットワークに、前記セルラー通信アクセスネットワークから前記無線ローカルアクセスネットワークへのハンドオーバーの通知を通信することであって、前記通信は、制御プレーンデータを前記無線ローカルアクセスネットワークと通信するための第１のインターフェースを経由し、前記通知は、ＩＳＷ  ＧＷトンネルエンドポイントＩＤ（ＴＥＩＤ）を備えており、前記ＩＳＷ  ＧＷは、統合されたスモールセルおよび無線ローカルエリアネットワークのためのゲートウェイである、ことと、
前記セルラー通信アクセスネットワークに、通信を前記セルラー通信アクセスネットワークから前記無線ローカルアクセスネットワークにハンドオーバーするためのメッセージを通信することと、
制御プレーンデータを前記無線ローカルアクセスネットワークと通信するための前記第１のインターフェースを介して、ハンドオーバー通知要求を受信することと、
ハンドオーバー通知を移動性管理エンティティに通信することと
を含む動作を前記システムに実施させる、システム。
【請求項１９】
方法であって、
統合されたスモールセルおよび無線ローカルエリアネットワークのためのゲートウェイであるＩＳＷ  ＧＷが、セルラー通信アクセスネットワークおよび無線ローカルアクセスネットワークの動作に関する測定データを受信することであって、前記測定データは、前記無線ローカルアクセスネットワークを介したパケットデータネットワークへの第１の既存の接続を有するユーザデバイスにおいて収集される、ことと、
前記ＩＳＷ  ＧＷが、通信を無線ローカルアクセスネットワークを介したパケットデータネットワークへの前記第１の既存の接続からセルラー通信アクセスネットワークを介した前記パケットデータネットワークへの第２の接続にハンドオーバーすることを決定することと、
前記ＩＳＷ  ＧＷが、前記無線ローカルアクセスネットワークに、ハンドオーバーが実施されるべきことを示すメッセージを通信することであって、前記ＩＳＷ  ＧＷは、制御プレーンデータを前記無線ローカルアクセスネットワークに向けて通信するための第１のインターフェースを経由して通信する、ことと、
前記ＩＳＷ  ＧＷが、アタッチ要求を前記セルラー通信アクセスネットワークから受信することと、
前記ＩＳＷ  ＧＷが、アタッチ要求を移動性管理エンティティに通信することと、
前記ＩＳＷ  ＧＷが、前記アタッチが承認されたことを示すメッセージを前記移動性管理エンティティから受信することと、
前記ＩＳＷ  ＧＷが、アタッチが承認されたことを前記セルラー通信アクセスネットワークに通信することであって、前記通信は、ＩＳＷ  ＧＷエンドポイントＩＤ（ＴＥＩＤ）を備えている、ことと、
前記ＩＳＷ  ＧＷが、初期コンテキスト設定応答を前記セルラー通信アクセスネットワークから受信することと、
前記ＩＳＷ  ＧＷが、前記初期コンテキスト設定応答を前記移動性管理エンティティに通信することと
を含む、方法。
【請求項２０】
ハンドオーバーが実施されるべきことを示すメッセージを受信することに応答して、前記無線ローカルアクセスネットワークが、ユーザデバイスに、前記無線ローカルアクセスネットワークから前記セルラー通信ネットワークへのハンドオーバーを実施するためのメッセージを通信することと、
前記ユーザデバイスが、ハンドオーバーを実施するための要求を前記セルラー通信アクセスネットワークに通信することと、
前記セルラー通信アクセスネットワークが、アタッチ要求を前記ＩＳＷ  ＧＷに通信することと
をさらに含む、請求項１９に記載の方法。
【請求項２１】
前記ＩＳＷ  ＧＷが、アタッチ要求を前記移動性管理エンティティに通信することに応答して、前記移動性管理エンティティが、前記アタッチが承認されたことを示すメッセージを前記ＩＳＷ  ＧＷに通信することをさらに含む、請求項２０に記載の方法。
【請求項２２】
前記ＩＳＷ  ＧＷが、アタッチが承認されたことを前記セルラー通信アクセスネットワークに通信することに応答して、前記セルラー通信ネットワークが、初期コンテキスト設定応答を前記ＩＳＷ  ＧＷに通信することをさらに含む、請求項２１に記載の方法。
【請求項２３】
前記ＩＳＷ  ＧＷが、前記無線ローカルアクセスネットワークに、ハンドオーバーを完了することを要求するメッセージを通信することに応答して、前記無線ローカルアクセスネットワークが、切断するための要求を前記ユーザデバイスに通信することをさらに含む、請求項２２に記載の方法。
【請求項２４】
システムであって、
１つ以上のコンピューティングプロセッサと、
前記１つ以上のコンピューティングプロセッサと通信可能に結合されているコンピューティングメモリと
を備え、
前記コンピューティングメモリは、実行可能命令を備え、前記命令は、前記１つ以上のコンピューティングプロセッサによる実行時、
セルラー通信アクセスネットワークおよび無線ローカルアクセスネットワークの動作に関する測定データを受信することであって、前記測定データは、前記無線ローカルアクセスネットワークを介したパケットデータネットワークへの第１の既存の接続を有するユーザデバイスにおいて収集される、ことと、
通信を無線ローカルアクセスネットワークを介したパケットデータネットワークへの前記第１の既存の接続からセルラー通信アクセスネットワークを介した前記パケットデータネットワークへの第２の接続にハンドオーバーすることを決定することと、
前記無線ローカルアクセスネットワークに、ハンドオーバーが実施されるべきことを示すメッセージを通信することであって、統合されたスモールセルおよび無線ローカルエリアネットワークのためのゲートウェイであるＩＳＷ  ＧＷは、制御プレーンデータを前記無線ローカルアクセスネットワークに向けて通信するための第１のインターフェースを経由して通信する、ことと、
アタッチ要求を前記セルラー通信アクセスネットワークから受信することと、
アタッチ要求を移動性管理エンティティに通信することと、
前記アタッチが承認されたことを示すメッセージを前記移動性管理エンティティから受信することと、
アタッチが承認されたことを前記セルラー通信アクセスネットワークに通信することであって、前記通信は、ＩＳＷ  ＧＷトンネルエンドポイントＩＤ（ＴＥＩＤ）を備えている、ことと、
初期コンテキスト設定応答を前記セルラー通信アクセスネットワークから受信することと、
前記初期コンテキスト設定応答を前記移動性管理エンティティに通信することと
を含む動作を前記システムに実施させる、システム。
【請求項２５】
デバイスであって、
コンピューティングプロセッサと、
前記コンピューティングプロセッサと通信可能に結合されているコンピューティングメモリと
を備え、
前記コンピューティングメモリは、動作を実施するための実行可能コンピューティング命令を記憶しており、前記動作は、
無線アクセスネットワークおよびセルラー通信アクセスネットワークの動作に関連する測定データを前記セルラー通信アクセスネットワークに通信することであって、前記コンピューティングデバイスは、前記無線アクセスネットワークおよび前記セルラー通信アクセスネットワークを経由した通信のために適合され、前記コンピューティングデバイスは、前記セルラー通信アクセスネットワークを介したパケットデータネットワークへの既存の接続を有する、ことと、
前記セルラー通信アクセスネットワークから、通信を前記無線アクセスネットワークを経由した接続にハンドオーバーするためのコマンドを受信することと、
ユーザインタフェースを介して、前記セルラー通信アクセスネットワークから前記無線アクセスネットワークへの前記ハンドオーバーの指示を表示することと、
前記無線アクセスネットワークにアタッチすることと、
前記セルラー通信アクセスネットワークへの前記既存の接続を解放することと、
前記無線アクセスネットワークを経由して、データを前記パケットデータネットワークから受信し、データを前記パケットデータネットワークに伝送することと
を含む、デバイス。
【請求項２６】
デバイスであって、
コンピューティングプロセッサと、
前記コンピューティングプロセッサと通信可能に結合されているコンピューティングメモリと
を備え、
前記コンピューティングメモリは、動作を実施するための実行可能コンピューティング命令を記憶しており、前記動作は、
無線アクセスネットワークおよびセルラー通信アクセスネットワークの動作に関連する測定データを前記セルラー通信アクセスネットワークに通信することであって、前記コンピューティングデバイスは、前記無線アクセスネットワークおよび前記セルラー通信ネットワークを経由した通信のために適合され、前記コンピューティングデバイスは、前記無線アクセスネットワークを介したパケットデータネットワークへの既存の接続を有する、ことと、
前記無線アクセスネットワークから、通信を前記セルラー通信アクセスネットワークを経由した接続にハンドオーバーするためのコマンドを受信することと、
ユーザインタフェースを介して、前記無線アクセスネットワークから前記セルラー通信アクセスネットワークへの前記ハンドオーバーの指示を表示することと、
前記セルラー通信アクセスネットワークにアタッチすることと、
前記無線アクセスネットワークへの前記既存の接続を解放することと、
前記セルラー通信アクセスネットワークを経由して、データを前記パケットデータネットワークから受信し、データを前記パケットデータネットワークに伝送することと
を含む、デバイス。
【発明の詳細な説明】
【技術分野】
【０００１】
（関連出願の引用）
本願は、米国仮特許出願第６２／０２４，２７６号（２０１４年７月１４日出願）の米国特許法§１１９（ｅ）に基づく利益を主張し、上記出願の内容は、その全体が参照により本明細書に引用される。
【背景技術】
【０００２】
無線通信技術が進化するにつれて、追加の要求が、多様な無線ネットワークのより広範な使用をサポートするために、無線システムに課されている。携帯電話ネットワークオペレータ（ＭＮＯ）は、それらのセルラーおよびコアネットワークサービスを補完する方法で「キャリアグレード」のＷｉ−Ｆｉを組み込み始めている。例えば、ＭＮＯは、それらのセルラーおよびコアネットワークからインターネットトラフィックをオフロードするために、Ｗｉ−Ｆｉを採用しようとしている。ＭＮＯは、Ｗｉ−Ｆｉネットワークのユーザにセルラーシステムの進化型パケットコア（ＥＰＣ）へのアクセスを提供しようともしている。
【０００３】
セルラーおよびＷｉ−Ｆｉネットワークのシステム間統合の要求は増加し続けているが、そのような統合を提供する既存の方法は、リソース集約的であることが証明され、進行中の通信に中断をもたらすことが多すぎる。
【発明の概要】
【課題を解決するための手段】
【０００４】
出願人は、統合されたスモールセルおよびＷｉＦｉ（ＩＳＷ）ネットワークにおけるネットワーク開始ハンドオーバーのためのシステムおよび方法を開示する。
【０００５】
例示的実施形態では、システム間移動性アンカ制御ポイントが、ＨｅＮＢ／ＬＴＥネットワークおよび信頼されているＷＬＡＮアクセスネットワーク（ＴＷＡＮ）の両方に通信可能に結合され、ＨｅＮＢ／ＬＴＥおよびＴＷＡＮアクセスの両方のための共通の制御プレーンエンティティとして動作するように適合される。システム間移動性アンカ制御ポイントは、ユーザ機器（ＵＥ）が、ＨｅＮＢ／ＬＴＥアクセスネットワークまたはＴＷＡＮのいずれかを通して、パケットデータネットワーク（ＰＤＮ）の能力にアクセスすることを可能にする。システム間移動性アンカ制御ポイントは、ＨｅＮＢおよびＷＬＡＮ動作に関するデータを監視および分析し、適切な場合、ＬＴＥアクセスネットワークまたはＴＷＡＮの一方から他方にＵＥとＰＤＮとの間の既存の通信接続のハンドオーバーを開始するようにプログラムされる。
【０００６】
例示的実施形態では、システム間移動性アンカ制御ポイントは、移動性管理エンティティ（ＭＭＥ）であり得る。Ｓ１ａ−ＭＭＥまたはＳ１ａ−Ｃインターフェースと称される、制御プレーンインターフェースは、信頼されているＷＬＡＮアクセスネットワーク（ＴＷＡＮ）とＬＴＥ無線アクセスネットワークと通信可能に結合されるＭＭＥとの間に定義される。Ｓ１ａ−Ｕインターフェースと称される、ユーザプレーンインターフェースは、ＴＷＡＮとサービングゲートウェイ（ＳＧＷ）との間に定義される。ＭＭＥは、ＬＴＥおよびＴＷＡＮアクセスの両方のための共通の制御プレーンエンティティとして動作する一方、ＳＧＷは、ＬＴＥおよびＴＷＡＮの両方のためのユーザプレーンゲートウェイとして動作する。
【０００７】
ＭＭＥは、ＬＴＥアクセスネットワークまたはＴＷＡＮの一方から他方へのＵＥとＰＤＮとの間の既存の通信接続のハンドオーバーを開始するようにプログラムされる。例示的シナリオでは、ＵＥは、ＬＴＥアクセスネットワークおよびＴＷＡＮの一方からＰＤＮへの既存の接続を有し得る。ＭＭＥは、ＬＴＥアクセスネットワークおよびＴＷＡＮネットワークのステータスに関するデータを要求および受信するようにプログラムされる。例えば、ＭＭＥは、ＬＴＥアクセスネットワークおよびＴＷＡＮネットワークの動作に関連する測定を受信し得る。ＭＭＥは、受信されたデータを処理し、通信経路のハンドオーバーが、ＬＴＥアクセスネットワークおよびＴＷＡＮの一方を介した既存の接続から他方に実施されるべきことを決定する。例えば、ＭＭＥは、ＬＴＥアクセスネットワークが過度に使用されており、ＬＴＥアクセスネットワークを通した既存の接続がＷＬＡＮにハンドオーバーされるべきであることを決定し得る。ＭＭＥは、コアネットワーク、ＨｅＮＢ／ＬＴＥアクセスネットワーク、およびＴＷＡＮの要素間のハンドオーバーを調整する。例示的シナリオでは、ＭＭＥは、既存の接続を有するＬＴＥアクセスネットワークおよびＴＷＡＮの一方にハンドオーバーを実施するように命令する。既存の接続を有する、ＬＴＥアクセスネットワークおよびＴＷＡＮの一方は、ＵＥにハンドオーバーを実施することを通知する。ＵＥは、現在ＰＤＮへの接続を有していない、ＬＴＥアクセスネットワークおよびＴＷＡＮの一方にアタッチする。ＭＭＥは、ＳＧＷと調整し、既存の接続を有していたＬＴＥアクセスネットワークおよびＴＷＡＮの一方から他方にデータフローを切り替える。ＭＭＥは、以前にＰＤＮへの既存の接続を有していたＬＴＥアクセスネットワークおよびＴＷＡＮの一方によるネットワークリソースの解放を調整する。データは、次いで、新しく確立された接続を使用して、ＵＥとＰＤＮとの間をフローし得る。
【０００８】
例示的実施形態では、システム間移動性アンカ制御ポイントは、代替として、移動性管理エンティティ（ＭＭＥ）およびサービングゲートウェイ（ＳＧＷ）と統合され、ＨｅＮＢ／ＬＴＥアクセスネットワークおよびＴＷＡＮの両方とインターフェースを有する統合されたスモールセルおよび無線ローカルエリアネットワーク（ＩＳＷ）ゲートウェイ（ＧＷ）であり得る。ＩＳＷ  ＧＷは、ＬＴＥアクセスネットワークおよびＴＷＡＮの両方のための共通の制御ゲートウェイおよび共通のユーザゲートウェイの両方として動作する。ＩＳＷ  ＧＷは、制御プレーン通信をＬＴＥアクセスネットワークおよびＴＷＡＮの両方から受信し、ＬＴＥおよびＴＷＡＮアクセスの両方のための共通の制御プレーンとして動作するＭＭＥに通信を転送する。同様に、ＩＳＷ  ＧＷは、ユーザプレーン通信をＬＴＥアクセスネットワークおよびＴＷＡＮの両方から受信し、ＬＴＥアクセスネットワークおよびＴＷＡＮの両方のための共通のユーザプレーンとして動作するＳＧＷに通信を転送する。
【０００９】
ＩＳＷ  ＧＷは、ＬＴＥアクセスネットワークまたはＴＷＡＮの一方から他方に、ＵＥとＰＤＮとの間の既存の通信接続のハンドオーバーを開始するようにプログラムされる。例示的シナリオでは、ＵＥは、ＬＴＥアクセスネットワークおよびＴＷＡＮの一方からＰＤＮへの既存の接続を有し得る。ＩＳＷ  ＧＷは、ＬＴＥアクセスネットワークおよびＴＷＡＮネットワークのステータスに関するデータを要求および受信するようにプログラムされる。例えば、ＩＳＷ  ＧＷは、ＬＴＥアクセスネットワークおよびＴＷＡＮネットワークの動作に関連する測定を受信し得る。ＩＳＷ  ＧＷは、受信されたデータを処理し、通信経路のハンドオーバーが、ＬＴＥアクセスネットワークおよびＴＷＡＮの一方を介した既存の接続から他方に実施されるべきであることを決定する。例えば、ＩＳＷ  ＧＷは、ＬＴＥアクセスネットワークが過度に使用されており、ＬＴＥアクセスネットワークを通した既存の接続がＷＬＡＮにハンドオーバーされるべきであることを決定し得る。ＩＳＷ  ＧＷは、ハンドオーバーを調整する。例示的シナリオでは、ＩＳＷ  ＧＷは、既存の接続を有するＬＴＥアクセスネットワークおよびＴＷＡＮの一方にハンドオーバーを実施するように命令する。既存の接続を有するＬＴＥアクセスネットワークおよびＴＷＡＮの一方は、ＵＥにハンドオーバーを実施することを通知する。ＵＥは、現在ＰＤＮへの接続を有していないＬＴＥアクセスネットワークおよびＴＷＡＮの一方にアタッチする。ＩＳＷ  ＧＷは、データフローをＬＴＥアクセスネットワークおよびＴＷＡＮの一方から他方に切り替える。ＩＳＷ  ＧＷは、以前にＰＤＮへの既存の接続を有していたＬＴＥアクセスネットワークおよびＴＷＡＮの一方によるネットワークリソースの解放を調整する。データは、次いで、新しく確立された接続を使用して、ＵＥとＰＤＮとの間をフローし得る。
【００１０】
本概要は、以下の発明を実施するための形態にさらに説明される簡略化された形態における一連の概念を紹介するために提供される。本概要は、請求される主題の重要な特徴または不可欠な特徴を識別することを意図するものではなく、請求される主題の範囲を限定するために使用されることを意図するものでもない。他の特徴は、以下に説明される。
本発明は、例えば、以下を提供する。
（項目１）
方法であって、
移動性管理エンティティが、セルラー通信アクセスネットワークおよび無線ローカルアクセスネットワークの動作に関する測定データを受信することであって、前記測定データは、前記セルラー通信アクセスネットワークを介したパケットデータネットワークへの第１の既存の接続を有するユーザデバイスにおいて収集される、ことと、
前記移動性管理エンティティが、前記測定データに少なくとも部分的に基づいて、通信を前記セルラー通信アクセスネットワークを介したパケットデータネットワークへの前記第１の既存の接続から前記無線ローカルアクセスネットワークを介した前記パケットデータネットワークへの第２の接続にハンドオーバーすることを決定することと、
前記移動性管理エンティティが、前記無線ローカルアクセスネットワークに、前記セルラー通信アクセスネットワークから前記無線ローカルアクセスネットワークへのハンドオーバーの通知を通信することであって、前記移動性管理エンティティは、制御プレーンデータを前記移動性管理エンティティと前記無線ローカルアクセスネットワークとの間で通信するための第１のインターフェースを経由して通信する、ことと、
前記移動性管理エンティティが、前記セルラー通信アクセスネットワークに、通信を前記セルラー通信アクセスネットワークから前記無線ローカルアクセスネットワークにハンドオーバーするためのメッセージを通信することと、
前記移動性管理エンティティが、制御プレーンデータを前記移動性管理エンティティと前記無線ローカルアクセスネットワークとの間で通信するための前記第１のインターフェースを介して、ハンドオーバー通知要求を前記無線ローカルアクセスネットワークから受信することと、
前記移動性管理エンティティが、前記第１のインターフェースを介して、ハンドオーバー通知応答を前記無線ローカルアクセスネットワークに通信することと、
前記移動性管理エンティティが、ベアラ修正要求をサービングゲートウェイに通信することと、
前記移動性管理エンティティが、前記セルラー通信アクセスネットワークに、解放するためのコマンドを通信することと
を含む、方法。
（項目２）
前記移動性管理エンティティから、通信を前記セルラー通信アクセスネットワークから前記無線ローカルアクセスネットワークにハンドオーバーするためのメッセージを受信することに応答して、前記セルラー通信アクセスネットワークが、前記ユーザデバイスに、前記セルラー通信ネットワークから前記無線ローカルアクセスネットワークへのハンドオーバーを実施するためのメッセージを通信することと、
前記ユーザデバイスが、前記無線ローカルアクセスネットワークにアタッチすることと、
前記無線ローカルアクセスネットワークが、前記第１のインターフェースを経由して、ハンドオーバー通知要求を前記移動性管理エンティティに通信することと
をさらに含む、項目１に記載の方法。
（項目３）
前記移動性管理エンティティがベアラ修正要求をサービングゲートウェイに通信することに応答して、前記サービングゲートウェイが、ベアラ修正応答を前記移動性管理エンティティに返すことをさらに含む、項目２に記載の方法。
（項目４）
解放するためのコマンドを前記移動性管理エンティティから受信することに応答して、前記セルラー通信アクセスネットワークが、前記ユーザデバイスへの前記セルラー通信アクセスネットワークを介したアクセスを解放することをさらに含む、項目３に記載の方法。
（項目５）
前記デバイス発信データを、前記無線ローカルアクセスネットワークに、前記無線ローカルアクセスネットワークから前記サービングゲートウェイに通信することをさらに含む、項目３に記載の方法。
（項目６）
セルラー通信アクセスネットワークおよび無線ローカルアクセスネットワークの動作に関する測定データを受信することは、Ｓ１−ＡＰプロトコルを介して測定報告を受信することを含む、項目１に記載の方法。
（項目７）
システムであって、
１つ以上のコンピューティングプロセッサと、
前記１つ以上のコンピューティングプロセッサと通信可能に結合されているコンピューティングメモリと
を備え、
前記コンピューティングメモリは、実行可能命令を備え、前記命令は、前記１つ以上のコンピューティングプロセッサによる実行時、
セルラー通信アクセスネットワークおよび無線ローカルアクセスネットワークの動作に関する測定データを受信することであって、前記測定データは、前記セルラー通信アクセスネットワークを介したパケットデータネットワークへの第１の既存の接続を有するユーザデバイスにおいて収集される、ことと、
前記測定データに少なくとも部分的に基づいて、通信を前記セルラー通信アクセスネットワークを介したパケットデータネットワークへの前記第１の既存の接続から前記無線ローカルアクセスネットワークを介した前記パケットデータネットワークへの第２の接続にハンドオーバーすることを決定することと、
前記無線ローカルアクセスネットワークに、前記セルラー通信アクセスネットワークから前記無線ローカルアクセスネットワークへのハンドオーバーの通知を通信することであって、前記通信することは、制御プレーンデータを前記無線ローカルアクセスネットワークと通信するための第１のインターフェースを経由する、ことと、
前記セルラー通信アクセスネットワークに、通信を前記セルラー通信アクセスネットワークから前記無線ローカルアクセスネットワークにハンドオーバーするためのメッセージを通信することと、
制御プレーンデータを前記移動性管理エンティティと前記無線ローカルアクセスネットワークとの間で通信するための前記第１のインターフェースを介して、ハンドオーバー通知要求を前記無線ローカルアクセスネットワークから受信することと、
前記第１のインターフェースを介して、ハンドオーバー通知応答を前記無線ローカルアクセスネットワークに通信することと、
ベアラ修正要求をサービングゲートウェイに通信することと、
前記セルラー通信アクセスネットワークに、解放するためのコマンドを通信することと
を含む動作を前記システムに実施させる、システム。
（項目８）
方法であって、
移動性管理エンティティが、セルラー通信アクセスネットワークおよび無線ローカルアクセスネットワークの動作に関する測定データを受信することであって、前記測定データは、無線ローカルアクセスネットワークを介したパケットデータネットワークへの第１の既存の接続を有するユーザデバイスにおいて収集される、ことと、
前記移動性管理エンティティが、通信を無線ローカルアクセスネットワークを介したパケットデータネットワークへの前記第１の既存の接続からセルラー通信アクセスネットワークを介した前記パケットデータネットワークへの第２の接続にハンドオーバーすることを決定することと、
前記移動性管理エンティティが、前記無線ローカルアクセスネットワークに、ハンドオーバーが実施されるべきことを示すメッセージを通信することであって、前記移動性管理エンティティは、制御プレーンデータを前記移動性管理エンティティと前記無線ローカルアクセスネットワークとの間で通信するための第１のインターフェースを経由して通信する、ことと、
前記移動性管理エンティティが、ベアラを修正するためのメッセージをサービングゲートウェイに通信することと、
前記移動性管理エンティティが、前記第１のインターフェースを介して、前記ハンドオーバーが完了したことを示すメッセージを前記無線ローカルアクセスネットワークに通信することと
を含む、方法。
（項目９）
前記移動性管理エンティティが、前記無線ローカルアクセスネットワークに、ハンドオーバーが実施されるべきことを示すメッセージを通信することに応答して、前記無線ローカルアクセスネットワークが、前記ユーザデバイスに、前記無線ローカルアクセスネットワークから前記セルラー通信アクセスネットワークにハンドオーバーを実施するためのメッセージを通信することと、
前記ユーザデバイスが、ハンドオーバーを実施するための要求を前記セルラー通信アクセスネットワークに通信することと、
前記セルラー通信アクセスネットワークが、アタッチ要求を前記移動性管理エンティティに通信することと
をさらに含む、項目８に記載の方法。
（項目１０）
前記移動性管理エンティティが、ベアラ修正要求をサービングゲートウェイに通信することに応答して、前記サービングゲートウェイが、ベアラ修正応答を前記移動性管理エンティティに返すことをさらに含む、項目９に記載の方法。
（項目１１）
前記移動性管理エンティティが、前記ハンドオーバーが完了したことを示すメッセージを通信することに応答して、前記無線ローカルアクセスネットワークが、前記ユーザデバイスに、前記無線ローカルアクセスネットワークとの接続を解放するためのメッセージを通信することをさらに含む、項目９に記載の方法。
（項目１２）
前記デバイス発信データを、前記セルラー通信アクセスネットワークに、前記セルラー通信アクセスネットワークから前記サービングゲートウェイに通信することをさらに含む、項目９に記載の方法。
（項目１３）
システムであって、
１つ以上のコンピューティングプロセッサと、
前記１つ以上のコンピューティングプロセッサと通信可能に結合されているコンピューティングメモリと
を備え、
前記コンピューティングメモリは、実行可能命令を備え、前記命令は、前記１つ以上のコンピューティングプロセッサによる実行時、
セルラー通信アクセスネットワークおよび無線ローカルアクセスネットワークの動作に関する測定データを受信することであって、前記測定データは、無線ローカルアクセスネットワークを介したパケットデータネットワークへの第１の既存の接続を有するユーザデバイスにおいて収集される、ことと、
通信を無線ローカルアクセスネットワークを介したパケットデータネットワークへの前記第１の既存の接続からセルラー通信アクセスネットワークを介した前記パケットデータネットワークへの第２の接続にハンドオーバーすることを決定することと、
前記無線ローカルアクセスネットワークに、ハンドオーバーが実施されるべきことを示すメッセージを通信することであって、前記通信は、制御プレーンデータを前記無線ローカルアクセスネットワークと通信するための第１のインターフェースを経由する、ことと、
ベアラを修正するためのメッセージをサービングゲートウェイに通信することと、
前記第１のインターフェースを介して、前記ハンドオーバーが完了したことを示すメッセージを前記無線ローカルアクセスネットワークに通信することと
を含む動作を前記システムに実施させる、システム。
（項目１４）
方法であって、
統合されたスモールセルおよび無線ローカルエリアネットワークゲートウェイが、セルラー通信アクセスネットワークおよび無線ローカルアクセスネットワークの動作に関する測定データを受信することであって、前記測定データは、前記セルラー通信アクセスネットワークを介したパケットデータネットワークへの第１の既存の接続を有するユーザデバイスにおいて収集される、ことと、
前記統合されたスモールセルおよび無線ローカルエリアネットワークゲートウェイが、前記測定データに少なくとも部分的に基づいて、通信をセルラー通信アクセスネットワークを介したパケットデータネットワークへの前記第１の既存の接続から無線ローカルアクセスネットワークを介した前記パケットデータネットワークへの第２の接続にハンドオーバーすることを決定することと、
前記統合されたスモールセルおよび無線ローカルエリアネットワークゲートウェイが、前記無線ローカルアクセスネットワークに、前記セルラー通信アクセスネットワークから前記無線ローカルアクセスネットワークへのハンドオーバーの通知を通信することであって、前記統合されたスモールセルおよび無線ローカルエリアネットワークゲートウェイは、制御プレーンデータを前記無線ローカルアクセスネットワークと通信するための第１のインターフェースを経由して通信する、ことと、
前記統合されたスモールセルおよび無線ローカルエリアネットワークゲートウェイが、前記セルラー通信アクセスネットワークに、通信を前記セルラー通信アクセスネットワークから前記無線ローカルアクセスネットワークにハンドオーバーするためのメッセージを通信することと、
前記統合されたスモールセルおよび無線ローカルエリアネットワークゲートウェイが、制御プレーンデータを前記無線ローカルアクセスネットワークと通信するための前記第１のインターフェースを介して、ハンドオーバー通知要求を受信することと、
前記統合されたスモールセルおよび無線ローカルエリアネットワークゲートウェイが、ハンドオーバー通知応答を前記無線ローカルアクセスネットワークに通信することと、
前記統合されたスモールセルおよび無線ローカルエリアネットワークゲートウェイが、ハンドオーバー通知を移動性管理エンティティに通信することと、
前記統合されたスモールセルおよび無線ローカルエリアネットワークゲートウェイが、前記移動性管理エンティティから前記セルラー通信アクセスネットワークにおける接続を解放するためのメッセージを受信することと、
前記統合されたスモールセルおよび無線ローカルエリアネットワークゲートウェイが、前記セルラー通信アクセスネットワークに、前記第１の接続を解放するためのメッセージを通信することと
を含む、方法。
（項目１５）
前記統合されたスモールセルおよび無線ローカルエリアネットワークゲートウェイから受信することに応答して、前記セルラー通信アクセスネットワークが、前記ユーザデバイスに、前記セルラー通信アクセスネットワークから前記無線ローカルアクセスネットワークへのハンドオーバーを実施するためのメッセージを通信することと、
前記ユーザデバイスが、前記無線ローカルアクセスネットワークにアタッチすることと、
前記無線ローカルアクセスネットワークが、前記第１のインターフェースを経由して、ハンドオーバー通知要求を前記統合されたスモールセルおよび無線ローカルエリアネットワークゲートウェイに通信することと
をさらに含む、項目１４に記載の方法。
（項目１６）
前記統合されたスモールセルおよび無線ローカルエリアネットワークゲートウェイからの前記第１の接続を解放するためのメッセージに応答して、前記セルラー通信アクセスネットワークが、前記第１の接続に関連するリソースを解放することをさらに含む、項目１５に記載の方法。
（項目１７）
前記ユーザデバイス発信データを、前記無線ローカルアクセスネットワークに、前記無線ローカルアクセスネットワークから前記統合されたスモールセルおよび無線ローカルエリアネットワークゲートウェイサービングゲートウェイに通信することをさらに含む、項目１６に記載の方法。
（項目１８）
システムであって、
１つ以上のコンピューティングプロセッサと、
前記１つ以上のコンピューティングプロセッサと通信可能に結合されているコンピューティングメモリと
を備え、
前記コンピューティングメモリは、実行可能命令を備え、前記命令は、前記１つ以上のコンピューティングプロセッサによる実行時、
セルラー通信アクセスネットワークおよび無線ローカルアクセスネットワークの動作に関する測定データを受信することであって、前記測定データは、前記セルラー通信アクセスネットワークを介したパケットデータネットワークへの第１の既存の接続を有するユーザデバイスにおいて収集される、ことと、
前記測定データに少なくとも部分的に基づいて、通信をセルラー通信アクセスネットワークを介したパケットデータネットワークへの前記第１の既存の接続から無線ローカルアクセスネットワークを介した前記パケットデータネットワークへの第２の接続にハンドオーバーすることを決定することと、
前記無線ローカルアクセスネットワークに、前記セルラー通信アクセスネットワークから前記無線ローカルアクセスネットワークへのハンドオーバーの通知を通信することであって、前記通信は、制御プレーンデータを前記無線ローカルアクセスネットワークと通信するための第１のインターフェースを経由する、ことと、
前記セルラー通信アクセスネットワークに、通信を前記セルラー通信アクセスネットワークから前記無線ローカルアクセスネットワークにハンドオーバーするためのメッセージを通信することと、
制御プレーンデータを前記無線ローカルアクセスネットワークと通信するための前記第１のインターフェースを介して、ハンドオーバー通知要求を受信することと、
ハンドオーバー通知応答を前記無線ローカルアクセスネットワークに通信することと、
ハンドオーバー通知を移動性管理エンティティに通信することと、
前記移動性管理エンティティから前記セルラー通信アクセスネットワークにおける接続を解放するためのメッセージを受信することと、
前記セルラー通信アクセスネットワークに、前記第１の接続を解放するためのメッセージを通信することと
を含む動作を前記システムに実施させる、システム。
（項目１９）
方法であって、
統合されたスモールセルおよび無線ローカルエリアネットワークゲートウェイが、セルラー通信アクセスネットワークおよび無線ローカルアクセスネットワークの動作に関する測定データを受信することであって、前記測定データは、前記無線ローカルアクセスネットワークを介したパケットデータネットワークへの第１の既存の接続を有するユーザデバイスにおいて収集される、ことと、
前記統合されたスモールセルおよび無線ローカルエリアネットワークゲートウェイが、通信を無線ローカルアクセスネットワークを介したパケットデータネットワークへの前記第１の既存の接続からセルラー通信アクセスネットワークを介した前記パケットデータネットワークへの第２の接続にハンドオーバーすることを決定することと、
前記統合されたスモールセルおよび無線ローカルエリアネットワークゲートウェイが、前記無線ローカルアクセスネットワークに、ハンドオーバーが実施されるべきことを示すメッセージを通信することであって、前記統合されたスモールセルおよび無線ローカルエリアネットワークゲートウェイは、制御プレーンデータを前記無線ローカルアクセスネットワークに向けて通信するための第１のインターフェースを経由して通信する、ことと、
前記統合されたスモールセルおよび無線ローカルエリアネットワークゲートウェイが、アタッチ要求を前記セルラー通信アクセスネットワークから受信することと、
前記統合されたスモールセルおよび無線ローカルエリアネットワークゲートウェイが、アタッチ要求を移動性管理エンティティに通信することと、
前記統合されたスモールセルおよび無線ローカルエリアネットワークが、前記アタッチが承認されたことを示すメッセージを前記移動性管理エンティティから受信することと、
前記統合されたスモールセルおよび無線ローカルエリアネットワークゲートウェイが、アタッチが承認されたことを前記セルラー通信アクセスネットワークに通信することと、
前記統合されたスモールセルおよび無線ローカルエリアネットワークゲートウェイが、初期コンテキスト設定要求を前記セルラー通信アクセスネットワークから受信することと、
前記統合されたスモールセルおよび無線ローカルエリアネットワークゲートウェイが、前記初期設定応答を前記移動性管理エンティティに通信することと、
前記統合されたスモールセルおよび無線ローカルエリアネットワークゲートウェイが、前記無線ローカルアクセスネットワークに、ハンドオーバーを完了することを要求するメッセージを通信することと
を含む、方法。
（項目２０）
ハンドオーバーが実施されるべきことを示すメッセージを受信することに応答して、前記無線ローカルアクセスネットワークが、ユーザデバイスに、前記無線ローカルアクセスネットワークから前記セルラー通信ネットワークへのハンドオーバーを実施するためのメッセージを通信することと、
前記ユーザデバイスが、ハンドオーバーを実施するための要求を前記セルラー通信アクセスネットワークに通信することと、
前記セルラー通信アクセスネットワークが、アタッチ要求を前記統合されたスモールセルおよび無線ローカルエリアネットワークゲートウェイに通信することと
をさらに含む、項目１９に記載の方法。
（項目２１）
前記統合されたスモールセルおよび無線ローカルエリアネットワークゲートウェイが、アタッチ要求を前記移動性管理エンティティに通信することに応答して、前記移動性管理エンティティが、前記アタッチが承認されたことを示すメッセージを前記統合されたスモールセルおよび無線ローカルエリアネットワークゲートウェイに通信することをさらに含む、項目２０に記載の方法。
（項目２２）
前記統合されたスモールセルおよび無線ローカルエリアネットワークゲートウェイが、アタッチが承認されたことを前記セルラー通信アクセスネットワークに通信することに応答して、前記セルラー通信ネットワークが、初期コンテキスト設定要求を前記統合されたスモールセルおよび無線ローカルエリアネットワークゲートウェイに通信することをさらに含む、項目２１に記載の方法。
（項目２３）
前記統合されたスモールセルおよび無線ローカルエリアネットワークが、前記無線ローカルアクセスネットワークに、ハンドオーバーを完了することを要求するメッセージを通信することに応答して、前記無線ローカルアクセスネットワークが、切断するための要求を前記ユーザデバイスに通信することをさらに含む、項目２２に記載の方法。
（項目２４）
システムであって、
１つ以上のコンピューティングプロセッサと、
前記１つ以上のコンピューティングプロセッサと通信可能に結合されているコンピューティングメモリと
を備え、
前記コンピューティングメモリは、実行可能命令を備え、前記命令は、前記１つ以上のコンピューティングプロセッサによる実行時、
セルラー通信アクセスネットワークおよび無線ローカルアクセスネットワークの動作に関する測定データを受信することであって、前記測定データは、前記無線ローカルアクセスネットワークを介したパケットデータネットワークへの第１の既存の接続を有するユーザデバイスにおいて収集される、ことと、
通信を無線ローカルアクセスネットワークを介したパケットデータネットワークへの前記第１の既存の接続からセルラー通信アクセスネットワークを介した前記パケットデータネットワークへの第２の接続にハンドオーバーすることを決定することと、
前記無線ローカルアクセスネットワークに、ハンドオーバーが実施されるべきことを示すメッセージを通信することであって、前記統合されたスモールセルおよび無線ローカルエリアネットワークゲートウェイは、制御プレーンデータを前記無線ローカルアクセスネットワークに向けて通信するための第１のインターフェースを経由して通信する、ことと、
アタッチ要求を前記セルラー通信アクセスネットワークから受信することと、
アタッチ要求を移動性管理エンティティに通信することと、
前記アタッチが承認されたことを示すメッセージを前記移動性管理エンティティから受信することと、
アタッチが承認されたことを前記セルラー通信アクセスネットワークに通信することと、
初期コンテキスト設定要求を前記セルラー通信アクセスネットワークから受信することと、
前記初期設定応答を前記移動性管理エンティティに通信することと、
前記無線ローカルアクセスネットワークに、ハンドオーバーを完了することを要求するメッセージを通信することと、
を含む動作を前記システムに実施させる、システム。
（項目２５）
デバイスであって、
コンピューティングプロセッサと、
前記コンピューティングプロセッサと通信可能に結合されているコンピューティングメモリと
を備え、
前記コンピューティングメモリは、動作を実施するための実行可能コンピューティング命令を記憶しており、前記動作は、
無線アクセスネットワークおよびセルラー通信アクセスネットワークの動作に関連する測定データを前記セルラー通信アクセスネットワークに通信することであって、前記コンピューティングデバイスは、前記無線アクセスネットワークおよび前記セルラー通信アクセスネットワークを経由した通信のために適合され、前記コンピューティングデバイスは、前記セルラー通信アクセスネットワークを介したパケットデータネットワークへの既存の接続を有する、ことと、
前記セルラー通信アクセスネットワークから、通信を前記無線アクセスネットワークを経由した接続にハンドオーバーするためのコマンドを受信することと、
前記無線アクセスネットワークにアタッチすることと、
前記セルラー通信アクセスネットワークへの前記既存の接続を解放することと、
前記無線アクセスネットワークを経由して、データを前記パケットデータネットワークから受信し、データを前記パケットデータネットワークに伝送することと
を含む、デバイス。
（項目２６）
デバイスであって、
コンピューティングプロセッサと、
前記コンピューティングプロセッサと通信可能に結合されているコンピューティングメモリと
を備え、
前記コンピューティングメモリは、動作を実施するための実行可能コンピューティング命令を記憶しており、前記動作は、
無線アクセスネットワークおよびセルラー通信アクセスネットワークの動作に関連する測定データを前記セルラー通信アクセスネットワークに通信することであって、前記コンピューティングデバイスは、前記無線アクセスネットワークおよび前記セルラー通信ネットワークを経由した通信のために適合され、前記コンピューティングデバイスは、前記無線アクセスネットワークを介したパケットデータネットワークへの既存の接続を有する、ことと、
前記無線アクセスネットワークから、通信を前記セルラー通信アクセスネットワークを経由した接続にハンドオーバーするためのコマンドを受信することと、
前記セルラー通信アクセスネットワークにアタッチすることと、
前記無線アクセスネットワークへの既存の接続を解放することと、
前記セルラー通信アクセスネットワークを経由して、データを前記パケットデータネットワークから受信し、データを前記パケットデータネットワークに伝送することと
を含む、デバイス。
【図面の簡単な説明】
【００１１】
前述の概要および以下の例証的実施形態の追加の説明は、添付される図面に関連して熟読されることによって、より深く理解され得る。開示されるシステムおよび方法の潜在的実施形態は、描写されるものに限定されないことを理解されたい。
【図１】図１は、ＴＷＡＮおよび３ＧＰＰ  ＬＴＥアクセスをＰＤＮに提供するための例示的アーキテクチャを描写する。
【図２】図２は、ＰＤＮ接続内で構成されるベアラおよびサブベアラを描写する。
【図３】図３は、例示的ＣＤＭＡアーキテクチャを描写する。
【図４】図４は、ネットワーク制御トラフィック誘導に関連する、メッセージフローを描写する。
【図５】図５は、ＰＤＮへの統合されたＨｅＮＢ／ＬＴＥおよびＴＷＡＮアクセスを提供するための例示的システムを描写する。
【図６】図６は、例示的制御プレーンプロトコルスタックを描写する。
【図７】図７は、例示的ＨｅＮＢユーザプレーンプロトコルスタックを描写する。
【図８Ａ】図８Ａ−Ｂは、ＴＷＡＮを介してＰＤＮにアタッチするＵＥに関連付けられる例示的処理を描写する図を描写する。
【図８Ｂ】図８Ａ−Ｂは、ＴＷＡＮを介してＰＤＮにアタッチするＵＥに関連付けられる例示的処理を描写する図を描写する。
【図９Ａ】図９Ａ−Ｂは、ＨｅＮＢ／ＬＴＥネットワークからＴＷＡＮへの接続のハンドオーバーに関連付けられる例示的処理を描写する図を描写する。
【図９Ｂ】図９Ａ−Ｂは、ＨｅＮＢ／ＬＴＥネットワークからＴＷＡＮへの接続のハンドオーバーに関連付けられる例示的処理を描写する図を描写する。
【図１０Ａ】図１０Ａ−Ｂは、接続のハンドオーバー中にＵＥによって提示され得る例示的ユーザインターフェースを描写する。
【図１０Ｂ】図１０Ａ−Ｂは、接続のハンドオーバー中にＵＥによって提示され得る例示的ユーザインターフェースを描写する。
【図１１Ａ】図１１Ａ−Ｂは、ＴＷＡＮからＨｅＮＢ／ＬＴＥネットワークへの接続のハンドオーバーに関連付けられる例示的処理を描写する図を描写する。
【図１１Ｂ】図１１Ａ−Ｂは、ＴＷＡＮからＨｅＮＢ／ＬＴＥネットワークへの接続のハンドオーバーに関連付けられる例示的処理を描写する図を描写する。
【図１２】図１２は、ＰＤＮへの統合されたＨｅＮＢ／ＬＴＥおよびＴＷＡＮアクセスを提供するための例示的システムを描写する。
【図１３】図１３は、統合されたスモールセルおよびＷｉＦｉゲートウェイ（ＩＳＷ  ＧＷ）の機能的構成要素を描写する。
【図１４】図１４は、ＩＳＷ  ＧＷを備えているシステム内の制御プレーンのための提示的プロトコルスタックを描写する。
【図１５】図１５は、ＩＳＷ  ＧＷを備えているシステム内のユーザプレーンのための提示的プロトコルスタックを描写する。
【図１６Ａ】図１６Ａ−Ｂは、ＴＷＡＮを介してＰＤＮにアタッチするＵＥに関連付けられる例示的処理を描写する図を描写する。
【図１６Ｂ】図１６Ａ−Ｂは、ＴＷＡＮを介してＰＤＮにアタッチするＵＥに関連付けられる例示的処理を描写する図を描写する。
【図１７Ａ】図１７Ａ−Ｂは、ＨｅＮＢ／ＬＴＥネットワークからＴＷＡＮへの接続のハンドオーバーに関連付けられる例示的処理を描写する図を描写する。
【図１７Ｂ】図１７Ａ−Ｂは、ＨｅＮＢ／ＬＴＥネットワークからＴＷＡＮへの接続のハンドオーバーに関連付けられる例示的処理を描写する図を描写する。
【図１８Ａ】図１８Ａ−Ｂは、ＴＷＡＮからＨｅＮＢ／ＬＴＥネットワークへの接続のハンドオーバーに関連付けられる例示的処理を描写する図を描写する。
【図１８Ｂ】図１８Ａ−Ｂは、ＴＷＡＮからＨｅＮＢ／ＬＴＥネットワークへの接続のハンドオーバーに関連付けられる例示的処理を描写する図を描写する。
【図１９Ａ】図１９Ａは、１つ以上の開示される実施形態が実装され得る、例示的ＵＥの系統図である。
【図１９Ｂ】図１９Ｂは、本明細書に説明されるシステムおよび方法を実装するために使用され得る、例示的コンピューティングシステムの系統図である。
【発明を実施するための形態】
【００１２】
出願人は、統合されたスモールセルおよびＷｉＦｉ（ＩＳＷ）ネットワークにおいて既存の通信接続のハンドオーバーを開始するように適合される、システム間移動性アンカ制御ポイントを開示する。システム間移動性アンカ制御ポイントは、ＨｅＮＢ／ＬＴＥアクセスネットワークおよび信頼されているＷＬＡＮアクセスネットワーク（ＴＷＡＮ）の両方に通信可能に結合され、ＨｅＮＢ／ＬＴＥおよびＴＷＡＮアクセスの両方のための共通の制御プレーンエンティティとして動作するように適合される。移動性アンカ制御ポイントは、例えば、移動性管理エンティティ（ＭＭＥ）または統合されたスモールセルおよびＷＬＡＮゲートウェイ（ＩＳＷ  ＧＷ）であり得る。移動性アンカ制御ポイントは、ＨｅＮＢアクセスネットワークおよびＷＬＡＮの動作に関連する測定データを要求および受信するように適合される。測定データに基づいて、移動性アンカ制御ポイントは、ＨｅＮＢ／ＬＴＥアクセスネットワークおよびＷＬＡＮの一方を介した既存の通信経路がネットワークの他方にハンドオーバーされるべきかどうかを決定する。ハンドオーバーが実施されるべきことを決定すると、移動性アンカ制御ポイントは、ハンドオーバーを調整する。
【００１３】
（例示的モバイルネットワーク動作）
現在の実践において、モバイルネットワークオペレータ（ＭＮＯ）は、典型的には、それらのセルラーおよびコアネットワークから「ベストエフォート」のインターネットトラフィックをオフロードするために、Ｗｉ−Ｆｉを採用する。しかしながら、「スモールセル」および「キャリアＷｉ−Ｆｉ」の展開におけるオペレータの関心の高まりは、ＭＮＯが、ローカルのセルラーおよびＷｉ−Ｆｉネットワークを横断するより良好な相互運用性を探求することを促進すると予期される。概して、「スモールセル」は、３ＧＰＰ定義セルラー無線アクセス技術（ＲＡＴ）を使用して、オペレータ認証スペクトルを介して無線ネットワークアクセスを提供する局所的な地理的エリアを指す。
【００１４】
オペレータが、それらのネットワークを最適化し、費用を削減するために「キャリアＷｉ−Ｆｉ」を採用するにつれて、オペレータのモバイルコアネットワーク（ＭＣＮ）と直接インターフェースをとり得る「信頼されている」ＷＬＡＮアクセスネットワーク（ＴＷＡＮ）が、さらに展開されるであろうことが予期される。同様に、高トラフィックである大都市圏のホットスポット場所等の共通の地理的エリア内におけるＭＮＯが展開したスモールセルとＷｉ−Ｆｉアクセスネットワークとのさらなる統合があるであろうことも予期される。そのような統合は、セルラーおよびＷｉ−Ｆｉアクセスの両方をサポートするスマートフォンの数の増加によって動機付けられる。
【００１５】
この文脈において、用語「信頼されているＷＬＡＮ（ＴＷＡＮ）アクセス」は、ＷＬＡＮを介したアクセスからＥＰＣを保護するための適切な手段が講じられている状況を指す。そのような手段は、ＭＮＯの裁量に委ねられ、例えば、ＷＬＡＮとＥＰＣとの間の耐タンパー性ファイバ接続の確立、またはＷＬＡＮとＥＰＣエッジにおけるセキュリティゲートウェイとの間のＩＰＳｅｃセキュリティアソシエーションの確立を含み得る。対照的に、ＷＬＡＮアクセスが「信頼されていない」と見なされる場合、ＷＬＡＮは、ＥＰＣエッジにおいて進化型パケットデータゲートウェイ（ｅＰＤＧ）とインターフェースをとり、ｅＰＤＧは、ＷＬＡＮを通してＥＰＣにアクセスする各ＵＥとの直接のＩＰＳｅｃセキュリティアソシエーションを確立しなければならない。
【００１６】
（ＷＬＡＮアクセスに関連する３ＧＰＰ活動）
ＧＰＲＳトンネリングプロトコル（ＧＴＰ）は、３ＧＰＰネットワークにおけるパケットデータに関する標準トランスポートプロトコルである。異なるタイプの非３ＧＰＰネットワーク（例えば、ＷＬＡＮ、ＷｉＭＡＸ、ＣＤＭＡ２０００）とのインターワーキングの観点から、ＩＥＴＦプロキシモバイルＩＰ（ＰＭＩＰ）プロトコルも、一般的なソリューションとして規格化されている。ＷＬＡＮアクセスネットワークに関して、特に、ＧＴＰプロトコルを使用する３ＧＰＰアクセスのための規格化プロシージャを対象とした活動が、存在している。活動は、高価なセルラースペクトルの代わりに、より低コストの非ライセンス８０２．１１スペクトルを介して、加入者がＭＮＯのコアネットワークにアクセスすることを可能にすることが意図された。ジェネリックアクセスネットワーク（ＧＡＮ）、Ｉ−ＷＬＡＮ、および信頼されていないＷＬＡＮのオペレータ採用は非常に限定されているが、信頼されているＷＬＡＮへの関心は、特に、ＧＴＰベースのオプションに関して、活発になっていると考えられる。
【００１７】
「ＥＰＣへのＧＴＰおよびＷＬＡＮアクセスに基づくＳ２ａ移動性」（ＳａＭＯＧ）のための３ＧＰＰ  Ｒｅｌｅａｓｅ  １１  ＳＡ２ワークアイテムは、「信頼されているＷＬＡＮアクセスネットワーク」（ＴＷＡＮ）のためのＰＤＮゲートウェイ（ＰＧＷ）へのＧＴＰベースのＳ２ａインターフェースを可能にすることに焦点を当てた。このアイテムは、ＵＥに影響を及ぼすであろういずれのソリューションも除外した。信頼されているＷＬＡＮアクセスを経由するＧＴＰベースのＳ２ａのためのＲｅｌｅａｓｅ  １１のアーキテクチャ、機能説明、およびプロシージャは、続けて規格化された。トンネル管理に適用可能なＧＴＰ制御プレーンプロトコル（ＧＴＰｖ２−Ｃ）およびＧＴＰユーザプレーンも、規格化されている。ＳａＭＯＧは、いくつかのＲｅｌｅａｓｅ  １１限界に対処するためのＲｅｌｅａｓｅ  １２検討事項として拡張されており、ＵＥ開始ＰＤＮ接続、マルチＰＤＮ接続、およびシームレスなシステム間ハンドオーバーのためのＴＷＡＮソリューションを含むであろう。
【００１８】
３ＧＰＰ  Ｒｅｌｅａｓｅ  １０は、ＥＰＣへの信頼されていないＷＬＡＮアクセスのためのＧＴＰベースのＳ２ｂインターフェースを規格化した。これは、進化型パケットデータゲートウェイ（ｅＰＤＧ）とＰＧＷとの間のＧＴＰベースのＳ２ｂインターフェースのために関連付けられたサポートを含んだ。信頼されていないＷＬＡＮソリューションは、各ＵＥとのＩＰＳｅｃトンネルを確立するために、ＩＰＳｅｃのためのＵＥサポートならびにｅＰＤＧのＥＰＣサポートを要求し得る。
【００１９】
３ＧＰＰ  Ｒｅｌｅａｓｅ  ６は、ＷＬＡＮアクセスのためのパケットデータゲートウェイ（ＰＤＧ）を「ｐｒｅ−ＥＰＣ」パケット交換コアネットワークに導入することによって、規格化されたＷＬＡＮインターワーキング（Ｉ−ＷＬＡＮ）ソリューションを提供した。このリリースは、加えて、ＧＧＳＮに向けてＧＴＰを使用する「トンネル終端ゲートウェイ」（ＴＴＧ）を介して、Ｇｎインターフェース（Ｇｎ’と表される）の一部を使用してＰＤＧ機能性を実装するために、既存のＧＧＳＮ展開を再使用する方法を説明した。再び、これらのソリューションは、ＵＥとのＩＰＳｅｃトンネルを確立するために、ＩＰＳｅｃのためのＵＥサポートならびにＰＤＧ／ＴＴＧサポートを要求し得る。
【００２０】
３ＧＰＰ  Ｒｅｌｅａｓｅ  ６は、２Ｇ／Ｗｉ−Ｆｉデュアルモードハンドセットのためのジェネリックアクセスネットワーク（ＧＡＮ）サポートも規格化した。Ｒｅｌｅａｓｅ  ８は、３Ｇ／Ｗｉ−Ｆｉハンドセットのためのサポートを追加した。非ライセンスモバイルアクセス（ＵＭＡ）は、Ｗｉ−Ｆｉを介したＧＡＮアクセスに対して携帯電話通信業者によって使用される商品名である。ＧＡＮ対応ＵＥは、Ｗｉ−Ｆｉを使用し、それ自身を２Ｇ  ＢＳＣまたは３Ｇ  ＲＮＣとしてコアネットワークに提示する「ＧＡＮコントローラ」（ＧＡＮＣ）とインターフェースをとることができる。ＧＡＮＣは、ＭＳＣへの回路交換（ＣＳ）インターフェース、ＳＧＳＮへのパケット交換（ＰＳ）インターフェース、およびＡＡＡサーバ／プロキシへのＤｉａｍｅｔｅｒ  ＥＡＰインターフェースを提供する。それは、ＵＥからのＩＰＳｅｃトンネルを終端させるセキュリティゲートウェイ（ＳｅＧＷ）も含む。以下の表１は、ＧＴＰベースのＷＬＡＮの各ソリューションに対する基本要件を例証する。
【００２１】
【表１】
2019054545.tif 000002
【００２２】
上記の活動の各々は、高価なセルラー基地局の代わりに、より低コストの非ライセンス８０２．１１アクセスポイントを介して、加入者がオペレータのモバイルコアネットワークにアクセスすることを可能にすることが意図された。ＧＡＮ、Ｉ−ＷＬＡＮ、および信頼されていないＷＬＡＮのオペレータ採用は非常に限定されているが、信頼されているＷＬＡＮへの関心は、高まっている。
【００２３】
（ＥＰＣへのセルラーＬＴＥおよびＴＷＡＮアクセスのための既存のアーキテクチャ）
図１は、ＥＰＣ１１４へのセルラーＬＴＥおよび信頼されているＷＬＡＮアクセスを提供する、既存の３ＧＰＰアーキテクチャを描写する。３ＧＰＰ技術仕様書（ＴＳ）２３．４０２の第１６．１．１節（その内容は、その全体として本明細書に参照することによって本明細書に組み込まれる）に説明されるように、オペレータによってＷＬＡＮ１１０が信頼されていると見なされると、信頼されているＷＬＡＮアクセスネットワーク（ＴＷＡＮ）１１２は、認証、承認、および課金のための３ＧＰＰ  ＡＡＡサーバ１１８に向かうＳＴａインターフェース１１６を介して、ユーザプレーントラフィックフローのためのＰＤＮゲートウェイ（ＰＧＷ）１２２に向かうＳ２ａインターフェース１２０を介して、進化型パケットコア（ＥＰＣ）１１４に接続されることができる。ＴＷＡＮからローカルＩＰネットワークおよび／または直接インターネットへの代替経路も、示される。
【００２４】
３ＧＰＰ  ＬＴＥアクセスネットワーク１３０（すなわち、進化型ノードＢ）は、移動性管理エンティティ（ＭＭＥ）１３４との通信経路を提供するＳ１−ＭＭＥインターフェース１３２を介してＥＰＣ１１４に接続される。Ｓ１−Ｕインターフェース１３６は、サービングゲートウェイ（ＳＧＷ）１３８との通信経路を提供し、ＳＧＷ１３８は、Ｓ５インターフェース１４０を介してＰＤＮゲートウェイ（ＰＧＷ）１２２とインターフェースをとる。
【００２５】
随意の「ローカルゲートウェイ」機能（Ｌ−ＧＷ）１５０が、例えば、Ｈｏｍｅ  ｅＮＢ（ＨｅＮＢ）展開のために、スモールセルＬＴＥアクセスを提供する。同様に、随意の「ＨｅＮＢゲートウェイ」（ＨｅＮＢ  ＧＷ）１５２が、複数のＨｅＮＢのために制御プレーン信号通信をＭＭＥ１３４に向けて集約させるために使用され得、それは、ＳＧＷ１３８に向けてＨｅＮＢユーザプレーントラフィックを処理するためにも使用され得る。随意のＨｅＮＢ管理システム（ＨｅＭＳ）１５５は、ブロードバンドフォーラム（ＢＢＦ）によって発表され、３ＧＰＰによって採用されたＴＲ−０６９規格に基づいて、ＨｅＮＢの「プラグアンドプレイ」自動構成を提供する。随意のセキュリティゲートウェイ（ＳｅＧＷ）１５７は、ＨｅＮＢ１５２を介するＥＰＣへの信頼されているアクセスを提供する。
【００２６】
（Ｈｏｍｅ  ｅＮｏｄｅＢ（ＨｅＮＢ））
３ＧＰＰは、ＬＴＥフェムトセルをＨｏｍｅ  ｅＮｏｄｅＢ（ＨｅＮＢ）と呼ぶ。ＨｅＮＢは、経験のある技術者の必要なく、居住および企業環境にインストールされることができる「プラグアンドプレイ」カスタマ構内設備（ＣＰＥ）として設計されている。ＨｅＮＢは、「ホットスポット」場所を含む、公共施設にも展開され得る。ＨｅＮＢは、自動構成のために、遠隔ＨｅＮＢ管理システム（ＨｅＭＳ）にアクセスするためにブロードバンドインターネット接続を使用する一方、セルラーパケットデータサービスのために、ＥＰＣネットワークへのバックホールアクセスも提供する。
【００２７】
ＨｅＮＢは、クローズド、オープン、またはハイブリッドモードのいずれかで動作する。クローズドＨｅＮＢは、関連付けられた限定加入者グループ（ＣＳＧ）の一部であるＵＥへのアクセスのみを可能にする。オープンＨｅＮＢは、全加入者へのアクセスを可能にする。ハイブリッドＨｅＮＢは、関連付けられたＣＳＧ加入者のための優遇措置を提供するが、リソース可用性に基づいて、他の加入者へのアクセスも可能にする（おそらくＱｏＳの低下を伴う）。
【００２８】
一般に、ＨｅＮＢとｅＮＢとの間の主な区別のうちの１つは、ＴＲ−０６９ベースのＨｅＭＳを使用した「自動構成」特徴である。ＨｅＮＢは、インターネットへのブロードバンド接続を伴って電源投入されると、事前にプログラムされた「完全に指定されたドメイン名」（ＦＱＤＮ）を使用したＤＮＳルックアップに基づいて、ＨｅＭＳにアクセスする。そこから、ＨｅＮＢは、使用されるべきセキュリティゲートウェイ（ＳｅＧＷ）と、随意に、使用されるべきＨｅＮＢゲートウェイ（ＨｅＮＢ  ＧＷ）とに対する情報を含む全てのその構成データを受信する。
【００２９】
「スモールセル」ｅＮＢの他の特性は、ＨｅＮＢと同様であり得るが（例えば、機器コストの削減、短距離／低電力動作、ＳｅＧＷを介したセキュアなＥＰＣアクセス、ＣＳＧ制限、単一／全セクタサービスエリア等）、ＨｅＭＳの使用およびＨｅＮＢ  ＧＷへの潜在的接続は、ＨｅＮＢをｅＮＢから区別する。
【００３０】
（信頼されているＷＬＡＮアクセスネットワーク（ＴＷＡＮ））  ＷＬＡＮアクセスネットワーク（ＷＬＡＮ  ＡＮ）１１０は、１つ以上のＷＬＡＮアクセスポイント（ＡＰ）を備えている。ＡＰは、ＳＷｗインターフェース１５６を介したＵＥのＷＬＡＮ  ＩＥＥＥ８０２．１１リンクを終端させる。ＡＰは、独立型ＡＰとして、または、例えば、ＩＥＴＦ  ＣＡＰＷＡＰプロトコルを使用して、無線ＬＡＮコントローラ（ＷＬＣ）に接続される「シン」ＡＰとして展開され得る。
【００３１】
信頼されているＷＬＡＮアクセスゲートウェイ（ＴＷＡＧ）１６０は、ＰＧＷ１２２とのＧＴＰベースのＳ２ａインターフェース１２０を終端させ、そのＷＬＡＮアクセスリンク上のＵＥ１６２のためのデフォルトのＩＰルータとしての役割を果たし得る。それは、ＵＥ１６２のためのＤＨＣＰサーバとしての役割も果たし得る。ＴＷＡＧ１６０は、典型的には、（ＷＬＡＮ  ＡＰを介した）ＵＥ１６２と（ＰＧＷを介した）関連付けられたＳ２ａ  １２０  ＧＴＰ−Ｕトンネルとの間でパケットを転送するためのＵＥ  ＭＡＣアドレス関連付けを維持する。
【００３２】
信頼されているＷＬＡＮ  ＡＡＡプロキシ（ＴＷＡＰ）１６４は、３ＧＰＰ  ＡＡＡサーバ１１８とのＤｉａｍｅｔｅｒベースのＳＴａインターフェース１１６を終端させる。ＴＷＡＰ１６４は、ＷＬＡＮ  ＡＮ１１０と３ＧＰＰ  ＡＡＡサーバ１１８（またはローミングの場合はプロキシ）との間でＡＡＡ情報を中継する。ＴＷＡＰ１６４は、レイヤ２のアタッチおよびデタッチイベントの発生をＴＷＡＧ１６０に知らせることができる。ＴＷＡＰ１６４は、ＵＥ加入データ（ＩＭＳＩを含む）とＵＥ  ＭＡＣアドレスとのバインディングを確立し、そのような情報をＴＷＡＧ１６０に提供することができる。
【００３３】
（既存のシステムにおけるＴＷＡＮを経由する認証およびセキュリティ）
既存のシステムにおいて、ＵＥ１６２は、３ＧＰＰおよび非３ＧＰＰ  ＷＬＡＮアクセスの両方のためのＵＳＩＭ特徴を活用することができる。認証およびセキュリティのための処理は、３ＧＰＰ  ＴＳ２３．４０２の第４．９．１節（その内容は、参照することによってその全体として本明細書に組み込まれる）に説明される。その中で説明されるように、ＷＬＡＮを介して起こるもの等の非３ＧＰＰアクセス認証は、アクセス制御のために使用されるプロセスを定義し、それによって、加入者が、ＥＰＣネットワークとインターワークされる非３ＧＰＰ  ＩＰアクセスのリソースにアタッチし、それを使用することを許可または拒否する。非３ＧＰＰアクセス認証信号通信は、ＵＥと３ＧＰＰ  ＡＡＡサーバ１１８とＨＳＳ１７０との間で実行される。認証信号通信は、ＡＡＡプロキシを通過し得る。
【００３４】
信頼されている３ＧＰＰベースのアクセス認証は、ＳＴａ参照ポイント１１６を横断して実行される。３ＧＰＰベースのアクセス認証信号通信は、ＩＥＴＦプロトコル、例えば、拡張可能認証プロトコル（ＥＡＰ）に基づく。ＳＴａインターフェース１１６およびＤｉａｍｅｔｅｒアプリケーションは、信頼されている非３ＧＰＰアクセスを介するＥＰＣアクセスのためにＵＥ１６２を認証および承認するために使用される。３ＧＰＰ  ＴＳ２９．２７３（その内容は、参照することによってその全体として本明細書に組み込まれる）は、ＳＴａインターフェース上で現在サポートされている標準ＴＷＡＮプロシージャを説明する。
【００３５】
（既存のシステムにおけるＴＷＡＮを経由するＩＰアドレス割り当て）
新しいＰＤＮ接続がＴＷＡＮ１１２を経由してＥＰＣ１１４と確立されると、ＧＴＰベースのＴＷＡＮを介したＥＰＣアクセスのために、ＩＰｖ４アドレスおよび／またはＩＰｖ６プレフィックスがＵＥ１６２に割り当てられる。別個のＩＰアドレスも、ローカルネットワークトラフィックおよび／または直接のインターネットオフロードのためにＴＷＡＮ１１２によって割り当てられ得る。
【００３６】
ＴＷＡＮ１１２を介するＥＰＣ１１４を通したＰＤＮ接続のために、ＴＷＡＮ１１２は、ＥＡＰ／ＤｉａｍｅｔｅｒまたはＷＬＣＰ信号通信を介して関連ＰＤＮ情報を受信する。ＴＷＡＮ１１２は、ＧＴＰセッション作成要求を介して、ＵＥ１６２のためのＩＰｖ４アドレスをＰＧＷ１２２から要求し得る。ＩＰｖ４アドレスは、ＧＴＰセッション作成応答を介して、ＧＴＰトンネル確立中にＴＷＡＮ１１２に送達される。ＵＥ１６２がＤＨＣＰｖ４を介してＰＤＮ接続のためのＩＰｖ４アドレスを要求すると、ＴＷＡＮ１１２は、受信されたＩＰｖ４アドレスをＤＨＣＰｖ４信号通信内でＵＥ１６２に送達する。ＩＰｖ６に対して、対応するプロシージャも、定義される。
【００３７】
（ＬＴＥを介したアクセスに関する既存のプロシージャ）
３ＧＰＰ  ＬＴＥアクセスのために、ＵＥ１６２は、ＥＰＣネットワーク１１４へのその最初のアタッチメントの一部として、ＰＤＮ接続を自動的にトリガする。ＵＥ１６２は、続けて、必要に応じて、追加のＰＤＮ接続を確立し得る。
【００３８】
アタッチプロシージャの主要な目的は、ＵＥ１６２が、加入しているサービスを受信するために、ネットワークに登録することである。アタッチプロシージャは、ユーザの識別を確認し、受信することが許可されているサービスを識別し、セキュリティパラメータを確立し（例えば、データ暗号化のために）、ネットワークにＵＥの初期場所を通知する（例えば、ページングされる必要がある場合）。さらに、今日のユーザによって期待される「常時オン」ネットワーク接続をサポートするために、ＬＴＥ規格は、アタッチプロシージャの一部として、デフォルトＰＤＮ接続の確立を規定する。このデフォルト接続のための無線リソースは、無活動の期間中、解放されるが、しかしながら、接続の残りは、そのままであり、エンドツーエンド接続は、ＵＥサービス要求に応答して無線リソースを再度割り当てることによって、迅速に再確立されることができる。
【００３９】
ＵＥ１６２が、（Ｈ）ｅＮＢ  ＬＴＥネットワーク１３０を介してＥＰＣ１１４へのアタッチを試みる場合、ＵＥ１６２は、最初に、（Ｈ）ｅＮＢ  ＬＴＥネットワーク１３０とのＲＲＣ接続を確立し、ＲＲＣ信号通信内にアタッチ要求をカプセル化する。（Ｈ）ｅＮＢ  ＬＴＥネットワーク１３０は、次いで、Ｓ１−ＭＭＥインターフェース１３２上のＳ１−ＡＰ信号通信を介して、ＭＭＥ１３４にアタッチ要求を転送する。ＭＭＥ１３４は、Ｓ６ａインターフェース１７２を介してＨＳＳ１７０から加入情報を読み出し、ＵＥ１６２を認証し、ＥＰＣ１１４へのアタッチメントを可能にする。
【００４０】
ＵＥ１６２を正常に認証した後、ＭＭＥ１３４は、（例えば、（Ｈ）ｅＮＢ  ＬＴＥネットワーク１３０への接さに基づいて）ＳＧＷ１３８を選択し、（例えば、ＨＳＳ１７０から読み出されたデフォルトのＡＰＮまたはＵＥ１６２によって要求された特定のＡＰＮに基づいて）ＰＧＷ１２２も選択する。ＭＭＥ１３４は、Ｓ１１インターフェース１７４を経由して、ＳＧＷ１３８と通信し、ＰＤＮ接続の作成を要求する。ＳＧＷ１３８は、信号通信を実行し、Ｓ５インターフェース１４０を経由して、指定されたＰＧＷ１２２とのＧＴＰユーザプレーントンネルを確立する。
【００４１】
「ＧＴＰ制御」信号通信は、ＭＭＥ１３４と（Ｈ）ｅＮＢ１３０との間のＳ１−ＡＰプロトコル内で起きる。これは、最終的に、（Ｈ）ｅＮＢ１３０とＳＧＷ１３８との間のＳ１−Ｕインターフェース１３６上のＧＴＰユーザプレーントンネルの確立につながる。ＵＥ１６２とＰＧＷ１２２との間のＰＤＮ接続のための経路は、したがって、（Ｈ）ｅＮＢ１３０およびＳＧＷ１３８を通して完成する。
【００４２】
ＵＥ１６２とＰＧＷ１２２との間のＰＤＮ接続のためのエンドツーエンド経路は、したがって、（Ｈ）ｅＮＢおよびＳＧＷを通して完了される。
【００４３】
（ＴＷＡＮを介したＥＰＣアクセスのための既存のプロシージャ）
ＴＷＡＮ１１２を介して通信が起こる既存のシステムにおいて、ＵＥ１６２認証およびＥＰＣ１１４アタッチメントは、ＵＥ１６２と３ＧＰＰ  ＡＡＡサーバ１１８との間のＥＡＰ信号通信を介して遂行される。
【００４４】
ＰＤＮ接続サービスは、ＵＥ１６２とＴＷＡＮ１１２との間のポイントツーポイント接続によって提供され、そのポイントツーポイント接続は、ＴＷＡＮ１１２とＰＧＷ１２２との間のＳ２ａベアラ１２０と連結される。ＬＴＥモデルと異なり、ＷＬＡＮ無線リソースは、ＥＰＣの観点から、「常時オン」である。言い換えると、任意の電力節約最適化が、ＷＬＡＮ内でＩＥＥＥ８０２．１１プロシージャを使用して、透過的にハンドリングされる。
【００４５】
ＵＥ１６２がＴＷＡＮ１１２を介してＥＰＣ１１４にアタッチを試みる場合、ＵＥ１６２は、最初に、ＷＬＡＮ１１０とのレイヤ２接続を確立し、ＥＡＰｏＬ信号通信内にＥＡＰメッセージをカプセル化する。ＷＬＡＮ１１０は、ＥＡＰメッセージをＴＷＡＰ１６４に転送し、ＴＷＡＰ１６４は、Ｄｉａｍｅｔｅｒ信号通信内にメッセージをカプセル化し、ＳＴａインターフェース１１６を介して３ＧＰＰ  ＡＡＡサーバ１１８にメッセージを転送する。３ＧＰＰ  ＡＡＡサーバ１１８は、ＳＷｘインターフェース１８０を介してＨＳＳ１７０から加入情報を読み出し、ＵＥ１６２を認証し、ＥＰＣ１１４へのアタッチメントを可能にする。
【００４６】
３ＧＰＰ  Ｒｅｌｅａｓｅ  １１に対して、３ＧＰＰ  ＡＡＡサーバ１１８はまた、ＨＳＳ１７０にプロビジョニングされたデフォルトのＰＤＮへのＰＤＮ接続を確立するための情報をＳＴａインターフェース１１６を介してＴＷＡＮ１１２に提供する。ＴＷＡＮ１１２は、次いで、直接ＰＧＷ１２２に向けて、Ｓ２ａインターフェース１２０を経由して、ＧＴＰ制御プレーン（ＧＴＰ−Ｃ）およびユーザプレーン（ＧＴＰ−Ｕ）プロトコルを実行し、それによって、ＴＷＡＮ１１２を通したＵＥ１６２とＰＧＷ１２２との間のＰＤＮ接続を完成する。
【００４７】
３ＧＰＰ  Ｒｅｌｅａｓｅ  １２に対して、ＳａＭＯＧフェーズ２ワークアイテムは、ＵＥ開始ＰＤＮ接続、マルチＰＤＮ接続、およびシームレスなシステム間ハンドオーバーのための追加のプロシージャを定義する。単一のＰＤＮ対応ＴＷＡＮシナリオの場合に対して、ＥＡＰ拡張が、ＵＥ開始ＰＤＮ要求およびシームレスなシステム間ハンドオーバー要求をサポートするために定義される。マルチＰＤＮ対応ＴＷＡＮシナリオの場合に対して、ＷＬＡＮ制御プロトコル（ＷＬＣＰ）が、ＵＥとＴＷＡＮとの間に定義され、１つ以上のＵＥ  ＰＤＮ接続要求およびシームレスなハンドオーバプロシージャを可能にする。しかしながら、別個のプロシージャが、ＵＥ認証のために、ＵＥと３ＧＰＰ  ＡＡＡサーバとの間で依然として利用される。
【００４８】
（ＨｅＮＢゲートウェイ（ＨｅＮＢＧＷ）のための既存のプロシージャ）
３ＧＰＰ  ＴＳ３６．３００の第４．６節（その内容は、参照することによってその全体として本明細書に組み込まれる）は、ＨｅＮＢおよびＨｅＮＢ  ＧＷによってサポートされるべきＳｔａｇｅ２のアーキテクチャ、機能、およびインターフェースを説明する。その中に説明されるように、Ｅ−ＵＴＲＡＮアーキテクチャは、ＨｅＮＢとＥＰＣとの間のＳ１インターフェースが多数のＨｅＮＢをスケーラブルな様式でサポートすることを可能にするために、Ｈｏｍｅ  ｅＮＢゲートウェイ（ＨｅＮＢ  ＧＷ）を展開し得る。ＨｅＮＢ  ＧＷは、Ｃ−プレーン、具体的には、Ｓ１−ＭＭＥインターフェースのためのコンセントレータとしての役割を果たす。ＨｅＮＢ  ＧＷは、ＭＭＥにｅＮＢのように見える。ＨｅＮＢ  ＧＷは、ＨｅＮＢにＭＭＥのように見える。
【００４９】
ＵＥアタッチメントにおけるＭＭＥの選択は、ＨｅＮＢの代わりに、ＨｅＮＢ  ＧＷによってホストされる。ＨｅＮＢ  ＧＷは、制御プレーンデータをＨｅＮＢとＭＭＥとの間で中継する。ＨｅＮＢ  ＧＷは、ＨｅＮＢおよびＭＭＥの両方との非ＵＥ専用プロシージャを終端させる。非ＵＥ専用プロシージャに関連付けられた任意のプロトコル機能の範囲は、ＨｅＮＢとＨｅＮＢ  ＧＷとの間および／またはＨｅＮＢ  ＧＷとＭＭＥとの間である。ＵＥ専用プロシージャに関連付けられた任意のプロトコル機能は、ＨｅＮＢおよびＭＭＥ内のみに常駐する。ＨｅＮＢ  ＧＷは、随意に、ＨｅＮＢに向かうユーザプレーンとＳ−ＧＷに向かうユーザプレーンとを終端させ、ユーザプレーンデータをＨｅＮＢとＳ−ＧＷとの間で中継し得る。
【００５０】
（通信セッションベアラ作成）
ＵＥとパケットデータネットワーク（ＰＤＮ）との間の通信セッションの作成は、それを通して通信経路がフローする、種々のネットワークエンティティ間の通信経路を作成することを伴う。ネットワーク構成要素間の仮想通信経路は、時として、ベアラサービスまたはベアラと称される。仮想接続における２つのエンドポイント間のベアラは、非エンドポイント間の通信を表すサブ接続またはベアラから成り得る。図２は、ＰＤＮ接続のためのベアラおよびサブベアラの概念を図示する。示されるように、細い実線２１０によって表されるＰＤＮ接続が、ＵＥとＰＤＮとの間に確立されている。２つのエンドポイント間のこの接続は、ネットワーク内のデバイス間のベアラまたは仮想通信経路の作成から生じる。示されるように、この接続は、ＵＥ１６２とＰＧＷ１２２との間に存在すると理解され得るＥＰＳベアラ２１２を備えている。ＥＰＳベアラ２１２は、Ｅ−ＵＴＲＡＮ無線アクセスベアラ２１４（ＵＥ１６２からＳＧＷ１３８）とＳ５ベアラ２１６（ＳＧＷ１３８からＰＧＷ１２２）とから成ると理解され得る。なおさらに、Ｅ−ＵＴＲＡＮベアラ２１４は、データ無線ベアラ２２０（ＵＥ１６２からｅＮＢ１３０）とＳ１ベアラ２２２（ＥＮＢ１３０からＳＧＷ１３８）とを備えていると理解され得る。故に、任意の通信接続は、多くの場合、通信をサポートするために確立される必要がある、いくつかの仮想接続またはベアラを備えているであろう。
【００５１】
既存の処理によると、ベアラは、典型的には、デフォルトベアラおよび／または専用ベアラのためのアタッチプロセス中、または、専用ベアラのためのアイドルモード後の呼設定を介して確立される。ベアラは、例示的実施形態では、ベアラエンドポイントのＩＰアドレスおよびトンネルエンドポイントＩＤ（ＴＥＩＤ）を備えている、「ベアラ修正要求／応答」メッセージを介して切り替えられ得る。例示的シナリオでは、「ベアラ修正要求／応答」メッセージは、Ｓ−ＧＷ１３８とＰ−ＧＷ１２２との間のＳ５インターフェース上で通信され得る。ベアラ関連メッセージングは、ネットワーク内のポイント間で変動し得る。例えば、「セッション作成要求」メッセージが、ＵＥ１６２とＳ−ＧＷ１３８との間にベアラを確立するために使用され得、例えば、ＰＤＮ  ＩＤ、タイプ、およびアドレス等のＰＤＮについての情報を要求し得る。
【００５２】
（３ＧＰＰ  ＥＰＣ−ＣＤＭＡ２００００標準的インターネットワーキング）
図１に関連して上で説明されたもの以外のネットワーキング構成および技術が、存在し得ることを理解されたい。例えば、図３に描写されるようなアーキテクチャは、ＥＰＣへの「信頼されている」ＣＤＭＡ２０００高速パケットデータ（ＨＲＰＤ）アクセスのために検討されている。図３に示されるように、２つのインターフェース、すなわち、Ｓ１０１およびＳ１０３が、含まれる。Ｓ１０１インターフェースは、システム間事前登録およびハンドオーバーのために、制御プレーン情報をＨＲＰＤアクセスネットワークとＭＭＥとの間で搬送する。Ｓ１０３インターフェースは、損失のないシステム間ハンドオーバーのために、ユーザプレーンをＳＧＷとＨＳＧＷとの間で搬送する。故に、種々の限定された試みが、ハンドオーバー等のインターネットワーキング問題に対処するために行われている。しかしながら、図３に描写されるような努力は、ＣＤＭＡ等の特定の技術実装におけるその適用性に限定される。
【００５３】
（３ＧＰＰ−ＷＬＡＮ無線インターワーキング）
ネットワーク制御トラフィック誘導ソリューションが、ＷＬＡＮ−３ＧＰＰ無線インターワーキング検討事項（ＳＩ）の一部として、３ＧＰＰ  ＴＲ３７．８３４に提案された。対応するメッセージフローは、図４に示される。図４に示されるように、ｅＮＢ／ＲＮＣノードは、ＷＬＡＮメトリクスの測定報告を受信し、この情報に基づいて、トラフィックをＷＬＡＮに誘導するか、またはＷＬＡＮから誘導するかを決定する。以下の表１は、ｅＮＢ／ＲＮＣにおける受信のために提案された測定を列挙する（ＴＲ３７．８３４参照）。受信された測定情報を評価すると、ｅＮＢ／ＲＮＣは、ＵＥにトラフィック誘導を実施するための誘導コマンドメッセージを通信する。
【００５４】
【表１−１】
2019054545.tif 000003
【００５５】
ＴＲ３７．８３４（その内容は、参照することによってその全体として本明細書に組み込まれる）に記載のように、これらの提案されたプロシージャは、動作可能ソリューションをもたらさず、不完全である。例えば、ＲＡＮは、ＡＰＮ／ベアラがオフロードされ得るか（またはそうではないか）を把握する必要があるであろう。ＲＡＮはまた、ＵＥが、Ｓ２ｃを経由して、ＣＮとの対応する［ＤＳＭＩＰｖ６］バインディング更新を発行し得るように、ＵＥに知らせる手段を必要とする。これは、ＣＮとｅＮＢとの間の信号通信、ならびにＡＳとＮＡＳレベルとの間のＵＥ挙動に影響を及ぼすであろう。故に、このおよび他の努力は、前述の問題に対処する動作可能な実装を提供することができない。
【００５６】
（統合されたスモールセルおよびＷｉＦｉネットワークにおけるネットワーク開始ハンドオーバー）
上での説明が例証するように、現在の実践において、セルラーネットワークおよびＷｉ−Ｆｉインターワーキングが、ＰＧＷにおいて生じる。これは、既存のマクロセル展開とともに、ＷｉＦｉホットスポットをＥＰＣコアの中にインターワーキングさせるための悪影響が少ないソリューションと見なされていた。マクロセルサービスエリアは、典型的には、遍在的と見なされていた一方、適時的なＷｉＦｉホットスポットの可用性は、断続的であった。
【００５７】
そのようなインターワーキングの既存の方法は、ＥＰＣのコア内のデバイスによるアクセスおよび制御を要求するので、緩慢である。既存のハンドオーバー処理は、移動性アンカポイントとしてのＰＧＷに依拠し、それは、ＰＧＷが全てのハンドオーバー決定を処理しなければならないので、コアネットワークにボトルネックをもたらす。さらに、全要求が、Ｓ２ａインターフェースを通して受信され、それは、コアネットワーク内の深部に別の処理ボトルネックをもたらす。
【００５８】
さらに、ハンドオーバー決定を処理する現在の方法等のネットワークのコアにおける処理に依存する通信は、通信がネットワークコアにおよびそれから進行する場合に増加した途絶する機会を有する。さらに、このモデルは、近い将来に予期される多数のスモールセルおよび「信頼されている」ＷＬＡＮ展開に良好に対応しない。
【００５９】
出願人は、ネットワークコア、すなわち、ＰＧＷにおける既存のハンドオーバー処理が、非効率的であることに着目する。現在の実践下では、システム間ハンドオーバー中、ＰＧＷは、ＵＥとＰＧＷとの間の既存のＧＴＰベースのトンネルの全体を除去し、ＵＥからＰＧＷへのエンティティの全ての間に新しいトンネルを確立する。除去されるトンネルは、同様に新しく作成されるトンネルによって接続されるＳＧＷとＰＧＷとの間のシステム間に存在するそれらの部分またはサブトンネルを含む。出願人は、要求されるハンドオーバーをサポートするために、変更される必要があるそれらの部分のみではなく、既存のトンネルの全部分を除去することによって導入される非効率性に着目する。
【００６０】
なおさらに、出願人は、既存のハンドオーバーおよびマルチチャネル処理が、現在の実装では、ネットワーク条件についての情報を欠いているＵＥによって開始されることに着目する。ＵＥは、ＵＥが負荷レベルおよび輻輳等のネットワーク条件に関する情報を有していないのに、ハンドオーバーおよびマルチチャネル要求を開始する。故に、ＵＥにおいて開始される既存の処理技法下では、ハンドオーバーし、マルチチャネル接続を形成するための決定は、最適ではない情報を用いて実施されている。
【００６１】
多くの共同設置されるスモールセルおよびＷｉ−Ｆｉアクセスポイントの予測される展開を考えると、出願人は、スモールセルおよびＷｉ−Ｆｉアクセスポイントの近くにいくつかのインターワーキング機能性を標準化することが有益であろうことを指摘している。そのような能力は、アクセス技術にわたってユーザプレーン切り替え遅延を低減させ、ＭＣＮを通した、すなわち、ＰＧＷへの信号通信量を最小化し得る。出願人はまた、ハンドオーバーに関する決定を、多くの場合、そのような情報を欠いているＵＥによってではなく、関連ネットワークステータス情報へのアクセスを有するネットワーク要素によって実施させることが有益であろうことに着目する。
【００６２】
出願人は、ローカル移動性アンカポイントによって管理されるネットワーク開始システム間ハンドオーバーのためのシステムおよび方法を開発した。開示される実施形態の一側面によると、例えば、ＭＭＥ等の処理ネットワークのエッジ近くに位置するサーバまたは機械であり得るローカル移動性アンカポイントが、ハンドオーバーおよびマルチチャネル接続を形成するための要求に対応するようにプログラムされる。移動性アンカポイントは、ＥＰＣコアから離れて位置し、それによって、排他的ＰＧＷ処理に関連付けられた同じボトルネックおよび遅延を受けない。さらに、移動性アンカポイントは、ネットワーク内に位置し、それによって、ネットワークのステータスに関する情報へのより容易なアクセスを有し得る。移動性アンカポイントは、ハンドオーバーまたはＵＥとのマルチチャネル接続の形成を開始することにおいて、ネットワークステータスに関するそのような情報を利用し得る。
【００６３】
出願人は、ネットワーク開始ハンドオーバーおよびマルチチャネル形成を提供するためのいくつかの実施形態を開発した。第１の実施形態では、処理は、実質的に、ＭＭＥおよびＳＧＷにおいて実施される。ＭＭＥは、ＴＷＡＮおよびＨｅＮＢ／ＬＴＥアクセスの両方のための共通のシステム間制御プレーン移動性アンカとしてとして動作するように拡張され、ＳＧＷは、ＴＷＡＮおよびＨｅＮＢ／ＬＴＥアクセスの両方のための共通のシステム間ユーザプレーンアンカを提供するように拡張される。ＭＭＥ／ＳＧＷローカル移動性アンカポイントは、コアネットワークから離れて位置し、ＰＧＷ排他的処理に関連付けられた同じボトルネックを受けない。さらに、ＭＭＥ／ＳＧＷは、現在のネットワーク条件ならびに関連ＵＥにおける条件を反映する最近のデータに基づいて、ハンドオーバーを実施すること、またはマルチチャネル接続を形成することを決定し得る。ＭＭＥ／ＳＧＷ実施形態に関連付けられた処理は、図５から１１に関連して以下に論じられる。
【００６４】
第２の実施形態では、統合されたスモールセルおよびＷｉＦｉゲートウェイ（ＩＳＷ  ＧＷ）が、制御およびユーザプレーンの両方のための移動性アンカポイントとしての役割を果たす。ＩＳＷ  ＧＷは、ＨｅＮＢ／ＬＴＥおよびＴＷＡＮアクセスの両方のための制御プレーンおよびユーザプレーンゲートウェイとして作用する。ＩＳＷ  ＧＷは、ＭＭＥと統合され、ＨｅＮＢ／ＬＴＥおよびＴＷＡＮアクセスの両方のための制御プレーンサービスを提供する。ＩＳＷ  ＧＷは、ＳＧＷとも統合され、ＨｅＮＢ／ＬＴＥおよびＴＷＡＮアクセスの両方のためのユーザプレーンサービスを提供する。ＩＳＷ  ＧＷローカル移動性アンカポイントは、コアネットワークから離れて位置し、ＰＧＷ排他的処理に関連付けられた同じボトルネックを受けない。さらに、ＩＳＷ  ＧＷは、現在のネットワーク条件ならびに関連ＵＥにおける条件を反映する最近のデータに基づいて、ハンドオーバーを実施すること、またはマルチチャネル接続を形成することを決定し得る。ＩＳＷ  ＧＷ実施形態に関連付けられた処理は、図１２から１８に関連して以下に論じられる。
【００６５】
（ＭＭＥ／ＳＧＷベースのシステム間ハンドオーバー）
開示される実施形態の一側面によると、ＥＰＣの制御ネットワーク内に存在するＭＭＥは、ＬＴＥおよびＷｉ−Ｆｉアクセスの両方のための共通の制御プレーンエンティティを提供するように拡張されている一方、ＥＰＣ内に位置するＳＧＷは、ＬＴＥおよびＷｉ−Ｆｉアクセスの両方のための共通のユーザプレーンゲートウェイとして機能するように拡張されている。ＭＭＥおよびＳＧＷと、Ｗｉ−ＦｉおよびＬＴＥネットワークへの対応するインターフェースとの開示される組み合わせは、「統合されたスモールセルおよびＷｉ−Ｆｉネットワーク」（ＩＳＷＮ）と称され得る。ＩＳＷＮは、マルチＲＡＴ端末能力、スモールセルおよびＷｉ−Ｆｉアクセス能力、ＥＰＣネットワーク要素、およびポリシー／トラフィック管理機能に対する強化を含み得る。
【００６６】
本明細書に開示されるような強化されたＭＭＥおよびＳＧＷ機能性は、ＧＴＰベースの統合されたスモールセルおよびＷｉ−Ｆｉ（ＩＳＷ）の接続性および移動性をもたらす。一実施形態では、ＭＭＥは、ＬＴＥおよびＷｉ−Ｆｉアクセスのための別個のゲートウェイ（すなわち、それぞれ、ＳＧＷおよびＴＷＡＧ）、または「ＩＳＷ対応」ＳＧＷ（組み合わせられたＳＧＷ／ＴＷＡＧを含む）と相互作用し得る。ＵＥは、ＴＷＡＮを介してＥＰＣアタッチメントのために３ＧＰＰ  ＡＡＡサーバと相互作用する一方、ＴＷＡＮは、本明細書に説明されるプロシージャに従って、ＰＤＮへの接続性を確立した。
【００６７】
以下に説明されるように、ＭＭＥ／ＳＧＷは、ＨｅＮＢおよびＴＷＡＮアクセスの両方のために、移動性アンカポイントとして動作し、ＰＤＮへの接続および通信経路を決定するようにプログラムされる。開示される実施形態の一側面によると、単一のＰＤＮへの／からのＩＰデータストリームまたは「ＩＰフロー」の通信が、ローカル条件およびポリシーに基づいて、ＬＴＥまたはＴＷＡＮ接続の別のものに切り替えられるか、またはハンドオーバーされ得る。「ハンドオーバー」特徴は、スループットを最適化し、リソース費用を最小化する目的のために、接続の選択的な使用を可能にする。
【００６８】
図５は、統合されたＷＬＡＮおよびＬＴＥアクセスネットワークにおける、ハンドオーバーを含むシステム間移動性を提供するためのシステムの例示的実施形態を描写する。図５に示されるように、例示的実施形態は、ＭＭＥ５３４とＴＷＡＮ５１２との間の新しい「Ｓ１ａ−ＭＭＥ」（「Ｓ１ａ−Ｃ」とも称され得る）制御プレーンインターフェース５９０と、ＳＧＷ５３８とＴＷＡＮ５１２との間の新しい「Ｓ１ａ−Ｕ」ユーザプレーンインターフェース５９２とを備えている。Ｓ１ａ−ＭＭＥおよびＳ１ａ−Ｕインターフェースが整うと、ＭＭＥ５３４は、ＬＴＥネットワーク５９５およびＴＷＡＮ５１２アクセスの両方のための共通の制御プレーンエンティティとして動作する一方、ＳＧＷ５３８は、ＬＴＥ５９５およびＴＷＡＮ５１２の両方のためのユーザプレーンゲートウェイとして動作する。統合されたＭＭＥ５３４およびＳＧＷ５３８は、ユーザ機器（ＵＥ）５６２が、ＬＴＥアクセスネットワーク５９５またはＴＷＡＮ５１２のいずれかを通して、パケットデータネットワーク（ＰＤＮ）の能力にアクセスすることを可能にする。さらに、図９および１１に関連して詳細に説明されるように、ＵＥ５６２とＰＤＮ５２２との間の既存の通信接続は、ＬＴＥネットワーク５９５またはＴＷＡＮ５１２の一方から他方にハンドオーバーされ得る。
【００６９】
図５の実施形態では、Ｓ１ａ−ＭＭＥ５９０およびＳ１ａ−Ｕ５９２インターフェースは、ＴＷＡＮ５１２内に含まれるＷＬＡＮ５１０で終端する。一実施形態では、伝統的にＴＷＡＧ５６０によって提供されていた機能性が、ＳＧＷ５３８と組み合わせられている。組み合わせられたＳＧＷおよびＴＷＡＧ５３８は、ＵＥ５６２からＰＧＷ５２２へのデバイスホップの数を削減する利益を提供する。図５の実施形態では、Ｓ１ａ−ＭＭＥ５９０およびＳ１ａ−Ｕ５９２インターフェースは、ＴＷＡＮ５１２で終端するが、具体的には、別の実施形態に実装され得るようにＴＷＡＧ５６０ではなく、ＷＬＡＮ  ＡＮ５１０で終端する。
【００７０】
開示されるシステムおよび方法のある側面によると、ＭＭＥ５３４とＴＷＡＮ５１２との間のＳ１ａ−ＭＭＥインターフェース５９０上のトランスポートネットワーク接続は、動作、管理、および保守（ＯＡＭ）プロシージャの拡張を使用して確立される。ＧＴＰｖ２−Ｃがベースラインプロトコルスタックとして採用される実施形態では、ユーザデータグラムプロトコル（ＵＤＰ）が、「Ｓ１ａ−ＭＭＥ”」インターフェース上の後続信号通信メッセージの交換のために、ＩＰ経路にわたって確立される。別の実施形態では、ＩＰ経路にわたるストリーム制御トランスポートプロトコル（ＳＣＴＰ）が、使用され得る。
【００７１】
（ＭＭＥ／ＳＧＷシステム間ハンドオーバーのための制御プレーンスタック）
制御プレーンプロトコルスタックは、本明細書に説明される処理をサポートするように実装される。図６は、例示的実施形態と整合した制御プレーンプロトコルスタックを描写する。概して、標準的Ｓ１−ＡＰプロトコルは、その関連付けられたＳ１−ＭＭＥインターフェースとともに、標準的情報を（Ｈ）ｅＮＢ５９５から／へ搬送する。
【００７２】
いくつかの事例では、参照点Ｓ１ａ−ＭＭＥ５９０を経由して使用されるＳ１ａ−ＡＰプロトコルは、本明細書に開示されるような処理をサポートするように拡張されている。例えば、例示的実施形態では、「ｅＮＢ直接情報転送」メッセージが、（Ｈ）ｅＮＢ５９５からＭＭＥ５３４に採用され得、ＬＴＥ＆ＷｉＦｉ測定報告をＭＭＥ５３４に通信し、ＭＭＥ５３４がハンドオーバー決定を実施することを可能にし得る。既存のシステムでは、メッセージは、「非ＵＥ関連付け」メッセージとして定義され得る。故に、メッセージは、ＢＳＳ負荷およびＷＡＮメトリクス等の表１の非ＵＥ関連付けＷＬＡＮ測定を転送するために使用され得る。このアプローチは、図４に関連して上で説明されたように、ＵＥ５６２が、ＲＲＣメッセージングを介して、ＷＬＡＮ指標をｅＮＢ５９５に通信するときに使用され得る。代替として、ＮＡＳのような「測定報告」メッセージが、Ｕ（Ｈ）ｅＮＢ５９５を介して、ＵＥ５６２からＭＭＥ５３４に通信され得、それは、表１に説明されるＵＥ関連付け測定の全てを含み得る。この場合、メッセージは、標準的ＲＲＣ「アップリンク直接転送」メッセージを使用して、ＵＥ５６２から（Ｈ）ｅＮＢ５９５に伝達され、標準的Ｓ１−ＡＰ「アップリンクＮＡＳトランスポートメッセージ」を使用して、（Ｈ）ｅＮＢ５９５からＭＭＥ５３４に伝達され得る。
【００７３】
例示的実施形態では、「ハンドオーバコマンド」は、３ＧＰＰ  ＴＳ２３．４０１（その内容は、参照することによって全体として本明細書に組み込まれる）におけるＲＡＴ内ハンドオーバーのために定義された標準的メッセージと比較して、若干異なる情報を含み得る。特に、メッセージは、例えば、ハンドオーバー（ＨＯ）ステータスをさらに含み得る。
【００７４】
例示的実施形態によると、ＷＬＡＮ  ＡＮ５１０とＭＭＥ５３４との間で新しく定義されるＳ１ａ−ＡＰプロトコルは、ＧＴＰｖ２−Ｃトンネルプロトコルに基づく。Ｓ１ａ−ＡＰプロトコルはまた、「通知要求／応答」メッセージを採用して、初期要求、および送り先によって使用されるべき発信元の要求／ステータスおよびアドレスならびにＴＥＩＤを含むＨＯ関連情報を通信し得る。メッセージ情報は、ＷＬＡＮ  ＡＮ５１０からＭＭＥ５３４に伝送され得、ハンドオーバーが完了し（「ハンドオーバー完了」）、ＷＬＡＮ  ＡＮ５１０およびＵＥ５６２がＷｉＦｉ接続の準備ができていることを示す情報を含み得る。メッセージはまた、関連肯定応答のために使用され得る。別の例示的実施形態では、Ｓ１ａ−ＡＰは、Ｓ１−ＡＰに類似したＳＣＴＰ伝送プロトコルに基づき得る。
【００７５】
既存の方法論では、前述のＧＴＰｖ２−Ｃベースのメッセージは、Ｓ１０１インターフェース上での使用のために確保されている。本明細書に開示されるシステムおよび方法の例示的実施形態では、修正されたメッセージをＳ１ａインターフェース上に実装するために、新しいメッセージタイプ値が、これらの異なる場合のために定義される。現在、２４８から２５５のメッセージタイプ値が、３ＧＰＰ  ＴＳ２９．２７４（その内容は、参照することによってその全体として本明細書に組み込まれる）に説明されるような将来的使用のために確保されている。故に、これらのメッセージタイプ値は、Ｓ１ａメッセージのために使用され得る。
【００７６】
メッセージのより完全な説明は、新しい／修正された情報要素とともに、以下の表２に紹介される。表２では、単一のアスタリスク（＊）で指定されるエントリは、新しいメッセージおよび情報要素である。２つのアスタリスク（＊＊）で指定されるエントリも、新しいメッセージおよび情報要素を表すが、代替のＮＡＳベースのメッセージであり得る。メッセージフローはさらに、図８−１１に関連して以下に説明されるように、アタッチおよびハンドオーバー処理の文脈において説明される。
【００７７】
【表２−１】
2019054545.tif 000004
【００７８】
【表２−２】
2019054545.tif 000005
【００７９】
（ユーザプレーンプロトコル）
図７は、例示的実施形態との使用のためのユーザプレーンプロトコルスタックを描写する。示されるように、ＬＴＥ  ＵＥ５６２と（Ｈ）ｅＮＢ５９５との間の通信は、標準的Ｕｕインターフェースを経由して生じる。標準的ＳＷｗインターフェースは、ＷｉＦｉ  ＵＥ５６２をＷＬＡＮ  ＡＮ５１０に接続する。
【００８０】
（Ｈ）ｅＮＢ５９５およびＷＬＡＮ  ＡＮ５１０は、ユーザプレーンデータをＧＴＰ−Ｕトンネルの中にカプセル化し、それをサービングＧＷ５３８に送信する。示されるように、新しく定義されたＳ１ａインターフェースは、ＷＬＡＮ  ＡＮ５１０とＳ−ＧＷ５３８との間のＧＴＰ−Ｕプロトコルを使用して、ユーザプレーンデータを搬送する。サービングＧＷ５３８（Ｈ）からｅＮＢ５９５またはＷＬＡＮ  ＡＮ５１０へのＧＴＰトンネルは、利用されているエアインターフェースに基づいて、ハンドオーバー決定エンティティ（例えば、ＭＭＥ５３４）によって決定付けられるように、アクティブ化／非アクティブ化される。サービングＧＷ５３８とＰＤＮゲートウェイ５２２との間のＧＴＰ−Ｕトンネルは、標準的プロトコルに一致する。ＵＥ５６２は、ＷｉＦｉまたはＬＴＥエアインターフェースを使用するかどうかにかかわらず、同じＩＰアドレスおよびＰＤＮ  ＧＷ５２２へのＩＰ接続を有することを理解されたい。
【００８１】
（ＭＭＥを介した信頼されているＷＬＡＮ初期ＰＤＮ接続）
ＵＥ５６２が、ＰＧＷ５２２を介してＰＤＮと通信し得る前に、ＵＥ５６２は、ＰＧＷ５２２にアタッチしなければならない。例示的実施形態では、ＭＭＥ５３４は、ＴＷＡＮ５１２を介して、ＵＥ５６２アタッチメントを調整する。初期接続は、新しく定義されたＳ１ａ−ＭＭＥインターフェース５９０を経由して、調整される。例示的実施形態では、ＷＬＣＰプロトコルは、ＷｉＦｉエアインターフェースを経由して採用され、ＧＴＰｖ２−Ｃ通知要求／応答メッセージは、Ｓ１ａ−ＭＭＥインターフェース５９０を経由して通信される。標準的セッション作成要求メッセージは、ＭＭＥ５３４、Ｓ−ＧＷ５３８、およびＰＧＷ５２２間で通信される。
【００８２】
図８Ａ−Ｂは、ＴＷＡＮ５２２とＰＧＷ５２２との間のＭＭＥ５３４調整経路形成に関連付けられた例示的メッセージフローを描写する。図８Ａを参照すると、ステップ０において、トランスポートネットワーク層（ＴＮＬ）接続が、例えば、ＯＡＭを介して、ＴＷＡＮとＭＭＥとの間に確立されるか、または確立されたことが確認される。３ＧＰＰ  ＡＡＡサーバは、ＩＳＷ対応ＭＭＥ、ＩＳＷ対応ＳＧＷ、およびＩＳＷ対応ＴＷＡＮについての情報で構成され、それらを維持する。
【００８３】
図８Ａのステップ１において、ＵＥ５６２は、オペレータの信頼されているＷＬＡＮアクセスネットワーク（ＴＷＡＮ）５１２の一部である、Ｗｉ−Ｆｉアクセスポイント（ＡＰ）５１０に関連付けをする。関連付けは、ＳＷｗインターフェースを介した標準ＩＥＥＥ８０２．１１プロシージャを介して生じる。ＵＥ５６２は、事前構成された情報、ＡＮＤＳＦポリシー、ＡＮＱＰ信号通信等に基づいて、特定のＷｉＦｉ  ＡＰ５１０との関連付けを発見および試行し得る。
【００８４】
ステップ２において、ＥＡＰ認証が、既存の標準的プロシージャを使用して実施される。ＥＡＰペイロードは、３ＧＰＰ  ＴＲ２３．８５２（その内容は、参照することによって全体として本明細書に組み込まれる）に説明されるＳａＭＯＧフェーズ２ソリューションに従って、ＷＬＣＰベースのプロトコルの使用をトリガする指示を含む。
【００８５】
ステップ３において、ＵＥ５６２は、ＳａＭＯＧフェーズ２「ＷＬＡＮ制御プロトコル」（ＷＬＣＰ）に基づいて、ＰＤＮ接続を要求する。より具体的には、ＵＥ５６２は、「ＰＤＮ接続要求」メッセージをＷＬＡＮ  ＡＮ５１０に通信する。例示的実施形態では、メッセージは、例えば、ＰＤＮ接続要求メッセージ識別、プロシージャトランザクション識別、要求が初期要求であることを識別する要求タイプ、ＰＤＮタイプ、アクセスポイント名（ＡＰＮ）、プロトコル構成選択肢、および関連情報要素を含み得る。図８の実施形態では、ＷＬＣＰは、ＷＬＡＮ  ＡＮ５１０によって終端されると仮定される。処理は、ＷＬＣＰが信頼されているＷＬＡＮアクセスゲートウェイ（ＴＷＡＧ）５６０において終端されるシナリオでは、異なり得る。
【００８６】
ステップ４において、ＷＬＡＮ  ＡＮ５１０は、「通知要求」メッセージを生成し、Ｓ１ａ−ＭＭＥインターフェース５９０を経由して、ＭＭＥ５３４に伝送する。例示的実施形態では、メッセージは、例えば、ＲＡＴタイプ、制御プレーンのためのＷＬＡＮ  ＡＮトンネリングエンドポイント識別子（ＴＥＩＤ）、ユーザプレーンのためのＷＬＡＮ  ＡＮアドレス、ユーザプレーンのＷＬＡＮ  ＴＥＩＤ、ＥＰＳベアラ識別、デフォルトＥＰＳベアラＱｏＳ、課金特性、初期アタッチ指示、ＷＬＡＮ識別子、およびＵＥ時間帯を含み得る。メッセージは、ＧＴＰｖ２−Ｃベースのプロトコルへの拡張を使用して通信され得る。ＲＡＴタイプは、非３ＧＰＰＩＰアクセス技術タイプ（例えば、ＩＳＷ−ＷＬＡＮ）を示す。ＴＷＡＮ識別子は、ＵＥがアタッチされるアクセスポイントのＳＳＩＤと、さらに、ＢＳＳＩＤとを含む。ＥＰＳベアラ識別およびデフォルトＥＰＳベアラＱｏＳパラメータは、Ｓ１ａベアラ識別およびデフォルトＳ１ａベアラＱｏＳを伝達する。
【００８７】
ステップ５において、ＭＭＥ５３４は、場所更新プロシージャおよびＨＳＳ５７０からの加入者データ読み出しを実施し得る。この要求される情報は、ＭＭＥ５３４によって、ステップ２に記載のＵＥとＨＳＳとの間の以前の認証に照らして、ＵＥがＰＧＷ５２２へのアクセスを付与され得るかどうかを決定するために使用され得る。
【００８８】
ステップ６において、ＭＭＥ５３４は、Ｓ１１インターフェースを経由して、「セッション作成要求」メッセージをサービングＧＷに送信する。メッセージは、例えば、ＡＰＮ、ＩＭＳＩ、ＲＡＴタイプ、ＢＳＳＩＤ、ＳＳＩＤ、および好適な任意の他の情報を含み得る。
【００８９】
ステップ７において、ＳＧＷ５３８は、Ｓ５インターフェースを経由して、「セッション作成要求」メッセージをＰＧＷ５２２に通信する。
【００９０】
ステップ８において、動的ポリシーおよび課金制御（ＰＣＣ）が実装されている場合、ＰＧＷ５２２は、ＱｏＳおよび課金ルールを読み出すために、セッション確立をポリシーおよび課金ルール機能（ＰＣＲＦ）５９４に通信する。ＰＧＷ５２２は、その後、ルールを施行し得る。動的ＰＣＣが実装されていない場合、そのようなルールは、ＰＧＷ５２２において事前構成され得る。
【００９１】
図８Ａに示されるように、ステップ９において、ＰＧＷ５２２は、Ｓ６ｂインターフェース５９６を使用して、３ＧＰＰ  ＡＡＡサーバ５１８をＵＥ５６２のための関連付けられたＰＧＷ接続情報で更新する。ＰＧＷ５２２は、関連付けられたＳＧＷ５３８情報も提供する。３ＧＰＰ  ＡＡＡサーバ５１８は、続いて、ＨＳＳ５７０をＳＷｘインターフェース５８０を介して受信された情報で更新する。
【００９２】
図８Ｂを参照すると、ステップ１０において、ＰＧＷ５２２は、Ｓ５インターフェース５４０を経由して、「セッション作成応答」メッセージをＳＧＷ５３８に返す。メッセージは、例えば、割り当てられたＵＥ  ＩＰアドレス、ユーザプレーンのためのＰＧＷアドレス、ユーザプレーンのＰＧＷ  ＴＥＩＤ、制御プレーンのＰＤＮ  ＧＷ  ＴＥＩＤ、ＰＤＮタイプ、ＰＤＮアドレス、ＥＰＳベアラ識別、ＥＰＳベアラＱｏＳ、ＡＰＮ−ＡＭＢＲ、および任意の追加の好適なパラメータを含み得る。この処理の時点で、ＰＤＮ  ＧＷとサービングＧＷとの間のＧＴＰトンネルが、確立される。
【００９３】
図８Ｂのステップ１１において、ＳＧＷ５３８は、Ｓ１１インターフェースを経由して、「セッション作成応答」メッセージをＭＭＥ５３４に通信する。メッセージは、例えば、ユーザプレーンのためのＳ−ＧＷアドレス、ユーザプレーンのＳ−ＧＷ  ＴＥＩＤ、および割り当てられたＵＥ  ＩＰアドレスを含み得る。
【００９４】
ステップ１２において、ＭＭＥ５３４は、Ｓ１ａ−ＭＭＥインターフェース５９０を経由して、「通知応答」メッセージをＷＬＡＮ  ＡＮ５１０に通信する。例示的実施形態では、メッセージは、例えば、ユーザプレーンのためのＳ−ＧＷアドレス、ユーザプレーンのＳ−ＧＷ  ＴＥＩＤ、および割り当てられたＵＥ  ＩＰアドレスを含み得る。この処理の時点で、サービングＧＷとＷＬＡＮ  ＡＮとの間のＧＴＰトンネルが、確立される。
【００９５】
ステップ１３において、ＷＬＡＮ  ＡＮ５１０は、ＳＷｗインターフェースを経由して、ＷＬＣＰベースのメッセージ「ＰＤＮ接続承認」を介して、ＵＥ５６２へのＰＤＮ接続の成功した確立に通信する。メッセージは、例えば、ＵＥ５６２とＷＬＡＮ  ＡＮ５１０との間のＰＤＮ接続を識別するためのＰＤＮ接続ＩＤおよびＷＬＡＮ  ＡＮ５１０のＭＡＣアドレスを含み得る。このＭＡＣアドレスは、ＵＥ５６２およびＷＬＡＮ  ＡＮ５１０によって、このＰＤＮ接続のためのユーザプレーンパケットを送信するために使用され得る。
【００９６】
ステップ１４において、ＵＥ５６２は、ＷＬＣＰベースの「ＰＤＮ接続完了」メッセージをＷＬＡＮ  ＡＮ５１０に通信する。この処理の時点で、ＵＥ５６２とＰＧＷ５２２との間の完全経路が、確立される。ＷＬＡＮ  ＡＮは、ここで、ＷＬＡＮ  ＡＮ５１０およびＳＧＷ５３８を介して、ＵＥ５６２とＰＧＷ５３８との間でパケットをルーティングし得る。
【００９７】
（（Ｈ）ｅＮＢから信頼されているＷＬＡＮへのＭＭＥ開始ハンドオーバー）
図８に関連して上で説明された処理は、ＵＥが、ＴＷＡＮを介して、ＰＤＮにアタッチする、種々のシナリオに関する。ＵＥがＰＤＮにアタッチしている事例では、ＰＤＮへの接続を無線アクセスネットワークの別のもの、すなわち、ＷｉＦｉおよびセルラーＬＴＥアクセスネットワークにハンドオーバーすることは、有用であり得る。例えば、ＵＥが、ＨｅＮＢ／ＬＴＥを介してＰＤＮへの確立された接続を有する場合、ＭＭＥ５３４は、ＰＤＮへの通信をＵＥがＰＤＮと有するＷＬＡＮ接続にハンドオーバーすることを決定し得る。
【００９８】
図９Ａ−Ｂは、既存のＨｅＮＢ／ＬＴＥ接続からＷＬＡＮ接続への通信経路のハンドオーバーに関連付けられる例示的処理を描写する。ＵＥは、ＬＴＥを介してすでに接続されているＰＤＮへの接続を確立するために、ＴＷＡＮを介してアタッチする。図９Ａ−Ｂの例示的シナリオでは、送信元（Ｈ）ｅＮＢ／ＬＴＥネットワークおよび標的ＴＷＡＮは両方とも、同一のＩＳＷ対応ＭＭＥ５３４によって制御され、同一の独立型ＩＳＷ対応ＳＧＷ５３８によってサービス提供される。ＴＷＡＮ接続が確立されると、ＵＥ５６４は、関連付けられるＨｅＮＢ／ＬＴＥ接続を解除し、それによって、ＨｅＮＢ／ＬＴＥからＴＷＡＮへのハンドオーバーを完了する。
【００９９】
ＩＰセッションが、ハンドオーバー中に変化しないとすると、その関連付けられたパラメータ（例えば、ＱｏＳ）は、無線ベアラが、ＷｉＦｉまたはＬＴＥプロトコルのいずれかを介してトランスポートされるとき、不変である。故に、例えば、ＰＧＷ５２２等のコアネットワークエンティティのうちのいくつかは、ＭＭＥハンドオーバー決定について把握する必要はない。課金目的のためでも、ＵＥ加入プランが、特定のＱｏＳがＷｉＦｉまたはＬＴＥリンクのいずれを経由しても達成されることを定義すると仮定できる。ＵＥは、約束されたＱｏＳを受信する限り、エアインターフェースについて配慮しない。
【０１００】
図９Ａを参照すると、ステップ０において、継続中のセッションが、（Ｈ）ｅＮＢアクセスを経由して確立されている。ＬＴＥデータ無線ベアラが、ＵＥ２６２と（Ｈ）ｅＮＢ５９５との間にすでに存在すると仮定される。さらに、２つのＧＴＰ−Ｕユーザデータトンネル、すなわち、（Ｈ）ｅＮＢへ／からＳ−ＧＷおよびＳＧＷへ／からＰＤＮ  ＧＷが存在する。
【０１０１】
図９Ａのステップ１において、（Ｈ）ｅＮＢは、「ＲＲＣ：システム間測定報告」をＵＥ５６２から受信する。既存の技術を使用して、ＵＥ５６２は、３ＧＰＰ  ＴＳ３６．３３１（その内容は、参照することによってその全体として本明細書に組み込まれる）に説明されるようなＵＴＲＡ、ＧＥＲＡＮ、またはＣＤＭＡ２０００周波数のシステム間測定を実施することが要求され得る。本明細書に開示される実施形態では、ＵＥ５６２は、例えば、ＲＣＰＩ、ＲＳＮＩ、ＢＳＳ負荷、およびＷＡＮメトリクスを含む、前述の測定も収集および通信し得る。一般に、報告されるＷｉＦｉ測定は、例えば、そのＲＳＳＩがある閾値を上回るそれらのアクセスポイント等、複数のＷｉＦｉアクセスポイントを表す。
【０１０２】
ステップ２において、（Ｈ）ｅＮＢ５９５は、Ｓ１−ＭＭＥインターフェースを経由して、メッセージ「ｅＮＢ直接情報転送（測定報告）」を送信することによって、測定報告をＭＭＥ５３４に転送する。メッセージは、典型的には、ＵＥ５６２によって（Ｈ）ｅＮＢ５９５に送信されるものと同じ測定情報を含む。
【０１０３】
図９Ａにステップ１ａとして指定される別の例示的実施形態では、測定は、新しく提案されたＮＡＳ「測定報告」メッセージを介して送信され得、ＮＡＳ「測定報告」メッセージは、測定報告を含む「ＲＲＣ：ＵＬ情報転送」メッセージを使用して（Ｈ）ｅＮＢ５９５を介してＵＥ５６２からＭＭＥ５３４にトランスポートされる。
【０１０４】
図９Ａにステップ２ａとして指定されるさらに別の例示的実施形態では、（Ｈ）ｅＮＢ５９５は、Ｓ１−ＭＭＥインターフェースを経由して、「アップリンクＮＡＳトランスポート」を介して、測定報告をＭＭＥ５３４に転送し得る。
【０１０５】
ステップ３において、ＬＴＥ  ＨｅＮＢ５９５およびＷｉＦｉネットワーク５１２から収集される測定報告に基づいて、ＭＭＥ５３４は、ＷｉＦｉ／ＴＷＡＮ５１２にハンドオーバーするか、またはＨｅＮＢ／ＬＴＥエアインターフェース５９５の使用を継続するかのいずれかを決定する。故に、処理は、ＭＭＥベースのネットワーク開始ハンドオーバーである。ＭＭＥ５３４は、ＷｉＦｉ／ＷＬＡＮ５１２へのハンドオーバーを開始することを決定する。
【０１０６】
ステップ４において、ＭＭＥ５３４は、Ｓ１ａ−ＭＭＥインターフェース５９０を経由して、「通知要求」メッセージをＷＬＡＮ  ＡＮ５１０に伝送することによって、ハンドオーバー要求をＴＷＡＮ５１２に通信する。メッセージは、例えば、ＳＧＷアドレス、ＳＧＷ  ＴＥＩＤ、ＰＧＷ  ＩＤ、ＡＰＮ、およびＨＯ要求を含み得る。メッセージは、アップリンクデータ伝送のためにＷＬＡＮ  ＡＮ５１０によって使用される、ＳＧＷ５３８のＴＥＩＤおよびアドレスを含み得る。
【０１０７】
ステップ５において、ＷＬＡＮ  ＡＮ５１０は、新しく提案されたＳ１ａ−ＭＭＥインターフェース５９０を経由して、「通知応答」メッセージをＭＭＥ５３４に通信し、ＨＯのステータスを示す。メッセージは、例えば、ＷＬＡＮ  ＡＮアドレス、ＷＬＡＮ  ＡＮ
ＴＥＩＤ、およびＨＯステータスを含み得る。ＨＯステータスは、通常、ＷＬＡＮ  ＡＮが任意の追加のＵＥを許可しない場合を除き、「成功」ステータスである。
【０１０８】
図９Ａのステップ６において、ＭＭＥ５３４は、「ハンドオーバコマンド」メッセージを（Ｈ）ｅＮＢ５９５に通信する。メッセージは、（Ｈ）ｅＮＢ５９５にハンドオーバーを実施すべきことを知らせる。
【０１０９】
図９Ｂを参照すると、ステップ７において、（Ｈ）ｅＮＢ５９５は、ＵＥ５６２に「Ｅ−ＵＴＲＡからの移動」メッセージを使用して、ハンドオーバーを実施することをコマンドする。このメッセージは、ＵＥ５６２によって、「ハンドオーバコマンド」メッセージとして知覚される。
【０１１０】
図９Ｂにステップ６ａとして指定される代替実施形態では、新しく提案されたＮＡＳ「ハンドオーバー（ＨＯ）コマンド」メッセージは、Ｓ１−ＭＭＥインターフェース５９０を経由して、「ダウンリンクＮＡＳトランスポート」メッセージを使用して、（Ｈ）ｅＮＢ５９５を介してＭＭＥ５３４からＵＥ５６２に通信され得る。ステップ７ａにおいて、ハンドオーバー（ＨＯ）コマンドメッセージは、「ＲＲＣ：ＤＬ情報転送」メッセージを使用して、（Ｈ）ｅＮＢ５９５によってＵＥ５６２に転送される。
【０１１１】
例示的実施形態では、ＵＥ５６２は、転送またはハンドオーバーが生じていることの指示を提供するようにプログラムされ得る。例えば、ＵＥ５６２は、ハンドオーバーを実装するためのコマンドの受信に応答して、ユーザにハンドオーバーを知らせるか、またはユーザからハンドオーバーを進めるための許可を要求するユーザインターフェースを提示するようにプログラムされ得る。例えば、ＵＥ５６２は、図１０Ａおよび１０Ｂに描写されるようなユーザインターフェースを提示するようにプログラムされ得る。図１０Ａに示されるように、ＵＥ５６２は、ユーザインターフェースを生成および表示し、アクセスネットワーク、すなわち、ＬＴＥとＷｉＦｉとの間の切り替えが生じるであろうことの通知を提供し得る。示されるように、ユーザインターフェースは、提案されている切り替えを識別し、切り替えが肯定応答されたことを示すためにユーザが押下し得る選択可能ボタン等のユーザインターフェース特徴を提供し得る。代替実施形態では、ＵＥ５６２は、アクセスネットワーク間の切り替えを承認するユーザからの入力を要求するユーザインターフェースを生成および表示するようにプログラムされ得る。例えば、図１０Ｂに描写されるようなユーザインターフェースが、ＵＥ５６２によって生成され得る。示されるように、ユーザインターフェースは、提案されているアクセスネットワーク間の切り替えを識別し（例えば、ＷｉＦｉからＬＴＥまたはＬＴＥからＷｉＦｉ）、ユーザが押下し、要求される切り替えが承認されることを示し得る選択可能ボタン等のユーザインターフェース特徴を提供し得る。図１０Ｂの例示的実施形態では、ユーザインターフェースは、ユーザが、提案された切り替えに同意することを選択するか、または提案された切り替えを承認しないことを選択するかのいずれかであり得る選択可能ボタンを提供し得る。ＵＥ５６２が、ユーザが提案された切り替えに同意することを示す入力を受信する場合、処理は、以下に説明されるように継続する。しかしながら、ＵＥ５６２が、切り替えの権限が承認されないことを示す入力を受信する場合、提案された切り替えを実施するためのさらなる処理は、終了され得る。
【０１１２】
ハンドオーバーの処理継続が承認される事例では、ステップ８において、ＵＥ５６２は、ＷＬＣＰトランスポートのために使用されるべきＩＰｖ４アドレスを得る。ＵＥ５６２を識別するために、Ｌ３アタッチ要求が、３ＧＰＰ  ＴＳ２３．４０２（その内容は、本明細書に全体として組み込まれる）に説明されるようなＵＥ  Ｌ２アドレス（ＭＡＣアドレス）を含むＬ２フレーム内でトランスポートされると仮定される。
【０１１３】
図９Ｂのステップ９において、ＵＥ５６２は、信頼されているＷＬＡＮ５１２を発見し、アクセス認証および承認を実施する。ＷＬＡＮ識別（ＳＳＩＳ、ＢＳＳＩＤ等）は、ＨＯコマンド内にＭＭＥによって提供され得る。
【０１１４】
ステップ１０において、ＷＬＡＮ  ＡＮ５１０は、「通知要求」メッセージ（ＨＯを完了する）を生成し、新しく提案されたＳ１ａ−ＭＭＥインターフェース５９０を経由して、ＭＭＥ５３４に伝送する。メッセージは、ハンドオーバプロシージャが完了し、ＵＥ５６２がＷＬＡＮ  ＡＮ５１０にすでに接続されていることを示す。
【０１１５】
ステップ１１において、ＭＭＥ５３４は、新しく提案されたＳ１ａ−ＭＭＥインターフェース５９０を経由して、「通知応答」メッセージをＷＬＡＮ  ＡＮ５１０に通信し、通知メッセージの受信を肯定応答することによって応答する。
【０１１６】
ステップ１２において、ＭＭＥ５３４は、各ＰＤＮ接続のために、「ベアラ修正要求」メッセージを生成し、サービングＧＷ５３８に伝送する。メッセージは、例えば、ステップ５に提供されるように、Ｓ１ａ−Ｕ５９２上のダウンリンクトラフィックのためのＷＬＡＮ  ＡＮ５１０アドレスおよびＴＥＩＤを含み得る。
【０１１７】
ステップ１３において、ＳＧＷ５３８は、「ベアラ修正応答」メッセージをＭＭＥ５３４に返す。処理のこのステップにおいて、Ｓ１ａ−Ｕ  ＧＴＰベースのユーザデータトンネルが、ここで、確立される。データは、ここで、新しいＷｉＦｉ経路を経由して送信されることができる。ＷＬＡＮ  ＡＮ５１０において受信されるデータは、Ｓ１ａ−Ｕインターフェース５９２を経由してＳＧＷ５９５に通信され得、ＳＧＷ５９５は、データをＰＧＷ５２２に通信する。
【０１１８】
ステップ１４において、ＭＭＥ５３４は、「ＵＥコンテキスト解放コマンド」メッセージを（Ｈ）ｅＮＢ５９５に通信することによって、（Ｈ）ｅＮＢ５９５内のＵＥコンテキストを解放する。
【０１１９】
ステップ１５において、（Ｈ）ｅＮＢ５９５は、ＵＥ５６２に関連するそのベアラリソースを解放し、「ＵＥコンテキスト解放完了」メッセージで応答する。
【０１２０】
ステップ１６において、ＭＭＥ５３４は、動作指示フラグを含む、「セッション削除要求」メッセージをＳＧＷ５３８に通信することによって、ＳＧＷ５３８内のＥＰＳベアラリソースを解放する。動作指示フラグが設定されない場合、これは、ＳＧＷ５３８にＳＧＷが３ＧＰＰ  ＴＳ２３．４０１（その内容は、参照することによって全体として本明細書に組み込まれる）に説明されるように、ＰＧＷ５２２に向けて削除プロシージャを開始しないことを示す。
【０１２１】
ステップ１７において、ＳＧＷ５３８は、「セッション削除応答」メッセージを通信することによって、リソース除去を肯定応答する。
【０１２２】
（信頼されているＷＬＡＮから（Ｈ）ｅＮＢへのＭＭＥ開始ハンドオーバー）
図９Ａ−Ｂに関連して説明される処理では、既存のＨｅＮＢ／ＬＴＥ接続からＷＬＡＮ接続への通信経路のハンドオーバーが、実施される。当然ながら、ＭＭＥ５３４は、通信をＷＬＡＮからＨｅＮＢ／ＬＴＥ接続にハンドオーバーすることを決定し得る。
【０１２３】
図１１Ａ−Ｂは、既存のＷＬＡＮ接続からＨｅＮＢ／ＬＴＥ接続への通信経路のハンドオーバーに関連付けられる例示的処理を描写する。ＵＥは、ＨｅＮＢを介してアタッチし、ＴＷＡＮを介してすでに接続されているＰＤＮへの接続を確立する。図１１Ａ−Ｂの例示的シナリオでは、ソース（Ｈ）ｅＮＢ／ＬＴＥアクセスネットワークおよびＴＷＡＮは両方とも、同じＩＳＷ対応ＭＭＥ５３４によって制御され、同じ独立型ＩＳＷ対応ＳＧＷ５３８によってサービス提供される。ＨｅＮＢ接続が確立されると、ＵＥ５６２は、関連付けられたＴＷＡＮ接続を解放し、それによって、ＴＷＡＮからＨｅＮＢ／ＬＴＥへのハンドオーバーを完了する。
【０１２４】
図１１Ａを参照すると、ステップ０において、継続中のセッションが、信頼されているＷｉＦｉアクセスを経由して確立されている。無線伝送を経由したＷｉＦｉが、ＵＥとＷＬＡＮ  ＡＮとの間にすでに存在すると仮定される。さらに、２つのＧＴＰ−Ｕユーザデータトンネル、すなわち、１つ目は、ＷＬＡＮ  ＡＮ５１０へ／からＳＧＷ５３８、２つ目は、ＳＧＷ５３８へ／からＰＧＷ５２２が存在する。
【０１２５】
図１１Ａのステップ１において、ＵＥ５６２は、新しいメッセージ、すなわち、ＷＬＣＰプロトコルの中に組み込まれる、「測定報告」を生成し、ＷＬＡＮ  ＡＮ５１０に通信する。例示的実施形態では、測定報告メッセージは、ＬＴＥ近隣リスト測定とともに、表１に記載されるＷｉＦｉ測定を含む。
【０１２６】
ステップ２において、ＷＬＡＮ  ＡＮ５１０は、新しく提案されたＳ１ａ−ＭＭＥインターフェース５９０を経由して、「直接転送要求」メッセージを使用して、測定報告をＭＭＥ５３４に通信する。このメッセージは、例えば、ステップ１において、ＵＥ５６２によってＷＬＡＮ  ＡＮ５１０に送信されたものと同じ測定情報を含み得る。
【０１２７】
ステップ３において、ＷｉＦｉ（ＷＬＡＮ）およびＬＴＥ側から収集される測定報告を使用して、ＭＭＥ５３４は、通信をＨｅＮＢ／ＬＴＥ接続にハンドオーバーするか、またはＷｉＦｉ（ＷＬＡＮ）エアインターフェースの使用を継続するかのいずれかを決定する。図１１に関連する例示的シナリオでは、ＭＭＥ５３４は、測定報告情報に基づいて、ＬＴＥアクセスネットワークにハンドオーバーさせることを決定する。
【０１２８】
ステップ４において、ＭＭＥ５３４は、「ハンドオーバコマンド」メッセージとも称され得る、「直接転送要求」メッセージをＷＬＡＮ  ＡＮ５１０に送信する。例示的実施形態では、メッセージは、ＳＧＷアドレス、Ｓ１ａ−ＵアップリンクＴＥＩＤ、およびＨＯステータスを含み得る。メッセージは、ＷＬＡＮ  ＡＮ５１０にＳＧＷ５３８に割り当てられたＳ１ａ−ＵアップリンクＴＥＩＤを識別するデータを提供する。
【０１２９】
ステップ５において、ＷＬＡＮ  ＡＮ５１０は、ＷＬＣＰプロトコルを使用して、新しく定義された「ハンドオーバコマンド」メッセージをＵＥ５６２に転送し、ＵＥ５６２に（Ｈ）ｅＮＢ５９５とアタッチメントプロシージャを開始することを知らせる。
【０１３０】
図９に関連して上で説明された処理と同様に、ＵＥ５６２は、図１０Ａおよび１０Ｂに描写されるものに類似した１つ以上のユーザインターフェースを生成し、アクセスネットワークの差し迫った切り替えの通知を提供するか、または切り替えを実施するための承認を要求するようにプログラムされ得る。
【０１３１】
ステップ６において、ＵＥ５６２は、「ＲＲＣ：アタッチ要求」メッセージを生成し、（Ｈ）ｅＮＢ５９５に「ハンドオーバー」指示とともに伝送する。
【０１３２】
ステップ７において、（Ｈ）ｅＮＢ５９５は、「アタッチ要求」メッセージをＭＭＥ５３４に通信する。
【０１３３】
ステップ８において、ＭＭＥ５３４は、３ＧＰＰ  ＴＳ２３．４０１（その内容は、参照することによってその全体として本明細書に組み込まれる）に説明されるように、ＨＳＳ５７０にコンタクトし、ＵＥ５６２を認証し得る。
【０１３４】
図１１Ａのステップ９において、成功した認証後、ＭＭＥ５３４は、ＴＳ２３．４０１に規定されるように、場所更新プロシージャおよびＨＳＳ５７０からの加入者データ読み出しを実施し得る。
【０１３５】
図１１Ｂのステップ１０−１３は、３ＧＰＰ  ＴＳ２３．４０１の第５．３．２．１節（その内容は、参照することによってその全体として本明細書に組み込まれる）に説明されるＥ−ＵＴＲＡＮ初期アタッチメントプロシージャのステップ１７−２０に類似する。しかしながら、ステップ１０では、ＭＭＥ５３４は、ＵＥ  ＩＰアドレスに加え、ＳＧＷ５３８  ＴＥＩＤを（Ｈ）ｅＮＢ５９５に通信することを理解されたい。それに応答して、ステップ１３において、（Ｈ）ｅＮＢ５９５は、（Ｈ）ｅＮＢ  ＴＥＩＤをＭＭＥ５３４に通信する。
【０１３６】
図１１Ｂのステップ１４において、ＭＭＥ５３４は、各ＰＤＮ接続のために、「ベアラ修正要求」を生成し、ＳＧＷ５３８に伝送する。メッセージは、例えば、Ｓ１−Ｕインターフェース上のダウンリンクトラフィックのための（Ｈ）ｅＮＢアドレスおよびＴＥＩＤを含み得る。
【０１３７】
ステップ１５において、ＳＧＷ５３８は、「ベアラ修正応答」メッセージをＭＭＥ５３４に返す。この処理におけるステップでは、Ｓ１−Ｕ  ＧＴＰベースのユーザデータトンネルが、確立される。ＬＴＥアクセスネットワークを経由した通信経路が、データを通信するために利用可能となる。ＨｅＮＢ５９５において受信されるデータは、Ｓ１−Ｕインターフェース５９８を経由して、ＳＧＷ５９５に通信され得、ＳＧＷ５９５は、データをＰＧＷ５２２に通信する。
【０１３８】
ステップ１６において、ＭＭＥ５３４は、「通知要求（ハンドオーバ完了）」メッセージを生成し、ＷＬＡＮ  ＡＮ５１０に通信し、それにハンドオーバー完了を知らせる。
【０１３９】
ステップ１７において、ＷＬＡＮ  ＡＮは、「ＷＬＣＰ：ＰＤＮ切断要求」をＵＥ５６２に送信し、ＵＥ−ＴＷＡＮ接続を解放する。
【０１４０】
ステップ１８において、ＵＥ５６２は、「ＷＬＣＰ：ＰＤＮ切断承認」メッセージをＷＬＡＮ  ＡＮ５１０に通信することによって、解放を肯定応答する。
【０１４１】
（ＩＳＷ  ＧＷベースのシステム間ハンドオーバー）
図５−１１に関連して上で説明されたシステムでは、システム間アタッチメントおよびハンドオーバーは、ＭＭＥ５３４によって管理および開始される。別の実施形態によると、統合されたスモールセルおよびＷｉＦｉ（ＩＳＷ）ゲートウェイ（ＧＷ）が、ハンドオーバー動作を開始および管理し得る。ＩＳＷ  ＧＷは、移動性管理エンティティ（ＭＭＥ）およびサービングゲートウェイ（ＳＧＷ）と統合され、３ＧＰＰアクセスネットワークおよびＴＷＡＮの両方とのインターフェースを有する。ＩＳＷ  ＧＷは、ＬＴＥアクセスネットワークおよびＴＷＡＮの両方のための共通の制御ゲートウェイおよび共通のユーザゲートウェイとして動作する。ユーザ機器（ＵＥ）は、ＩＳＷ  ＧＷを用いることによって、ＬＴＥアクセスネットワークまたはＴＷＡＮのいずれかを通して、パケットデータネットワーク（ＰＤＮ）の能力にアクセス可能である。さらに、ＩＳＷ  ＧＷは、ＬＴＥアクセスネットワークまたはＴＷＡＮの一方から他方へのＵＥとＰＤＮとの間の既存の通信接続のハンドオーバーを開始および管理する。
【０１４２】
（ＩＳＷ  ＧＷベースのネットワーク開始ハンドオーバーのためのアーキテクチャ）
図１２は、ＷＬＡＮとＨｅＮＢ／ＬＴＥアクセスネットワークとの間の通信のネットワーク開始ハンドオーバーのためのＩＳＷ  ＧＷベースのシステムの例示的実施形態を描写する。ＩＳＷ  ＧＷ６９０は、ＥＰＣ６１４のＰＤＮへのＨｅＮＢ６３０およびＷＬＡＮ６１２アクセスの両方のための共通の制御プレーンおよびユーザプレーンを提供する。
【０１４３】
新しいインターフェース「Ｓ１ａ」６９２は、ＴＷＡＮ６１２とＩＳＷ  ＧＷ６９０との間の制御プレーンおよびユーザプレーン通信の両方をサポートする。図１２の例示的実施形態では、インターフェースＳ１ａは、ＴＷＡＮ６１２のＷＬＡＮ  ＡＮ６１０で終端する。Ｓ２ａインターフェース６２０は、ＵＥ６６２がＩＳＷ  ＧＷを介して接続されないとき等、旧来の展開をサポートするために使用され得る。
【０１４４】
ＩＳＷ  ＧＷ６９０は、制御プレーンインターフェースＳ１−ＭＭＥ６３２およびユーザプレーンインターフェースＳ１−Ｕ２３６を経由して、ＨｅＮＢネットワーク６３０とインターフェースをとる。例示的実施形態では、ＩＳＷ  ＧＷ６９０は、ＨｅＮＢ  ＧＷ１５２（図１）によって従来提供される機能性を組み込むことを理解されたい。ＩＳＷ  ＧＷ６９０はさらに、ＳｅＧＷ１５７およびＨｅＭＳ１５５（図１）によって従来提供される機能性を提供し得る。
【０１４５】
ＩＳＷ  ＧＷ６９０は、Ｓ１−ＭＭＥ’制御プレーンインターフェース６３５を経由して、ＭＭＥ６３４とインターフェースをとり、Ｓ１−Ｕ’ユーザプレーンインターフェース６３７を経由して、ＳＧＷ６３８と通信する。制御プレーンインターフェースＳ１−ＭＭＥ’６３５は、実質的に、従来のＳ１−ＭＭＥインターフェースとして動作するが、本明細書に説明されるような処理に対応するように拡張されている。ＩＳＷ  ＧＷ６９０は、ＨｅＮＢに向けたＧＴＰ−Ｕトンネルの設定を制御する。ユーザプレーンインターフェースＳ１−Ｕ’６３７は、実質的に、従来のＳ１−Ｕインターフェースとして動作するが、本明細書に説明されるような処理に対応するように拡張されている。
【０１４６】
Ｓ１ａ、Ｓ１−ＭＭＥ、Ｓ１−ＭＭＥ’、Ｓ１−Ｕ、およびＳ１−Ｕ’インターフェースが整うと、ＩＳＷ  ＧＷ６９０は、ＨｅＮＢ／ＬＴＥアクセスネットワーク６３０およびＴＷＡＮ６１２アクセスの両方のための共通の制御プレーンエンティティおよびユーザプレーンエンティティとして動作する。ＩＳＷ  ＧＷ６９０は、ＨｅＮＢ／ＬＴＥアクセスネットワーク６３０およびＴＷＡＮ６１２アクセスのための共通の制御プレーンサービスを提供するために、ＭＭＥ６３４に依拠し、ＨｅＮＢ／ＬＴＥアクセスネットワーク６３０およびＴＷＡＮ６１２アクセスの両方のための共通のユーザプレーンサービスを提供するために、ＳＧＷ６３８に依拠する。図１６Ａ−Ｂに関連して以下に詳細に説明されるように、ＩＳＷ  ＧＷ６９０および統合されたＭＭＥ６３４およびＳＧＷ６３８は、ユーザ機器（ＵＥ）６６２が、ＨｅＮＢ／ＬＴＥアクセスネットワーク６３０またはＴＷＡＮ６１２のいずれかを通して、パケットデータネットワーク（ＰＤＮ）の能力にアクセスすることを可能にする。さらに、図１７および１８に関連して詳細に説明されるように、ＵＥ６６２とＰＤＮ６２２との間の既存の通信接続は、ＨｅＮＢ／ＬＴＥアクセスネットワーク６３０またはＴＷＡＮ６１２の一方から他方にハンドオーバーされ得る。
【０１４７】
前述のように、インターフェースＳ１−ＭＭＥ’６３５およびＳ１−Ｕ’６３７は、既存のインターフェースＳ１−ＭＭＥおよびＳ１−Ｕに整合して動作するが、本明細書に説明されるような機能性を提供するために拡張されている。ＳＷｗ’、Ｓｔａ’、ＳＷｘ’、およびＳ６ａ’インターフェースも同様に、既存のプロトコルに整合して動作するが、開示される機能性をサポートするために、追加の情報要素で拡張されている。拡張されるプロトコルを搬送するインターフェースは、アポストロフィ（‘）で示される。
【０１４８】
開示される実施形態のある側面によると、ＧＴＰｖ２−ＣおよびＧＴＰ−Ｕプロトコルが、要求に応じて、適切な拡張とともに、新しいＳ１ａインターフェース６９２を経由して、使用され得る。ＧＴＰｖ２−Ｃベースの拡張は、本明細書に開示される特徴を実装するために十分である。代替実施形態では、Ｓ１−ＡＰプロトコルに基づく新しい「Ｓ１ａ−ＡＰ」プロトコルは、ＧＴＰｖ２−Ｃ拡張と同じ情報を伝達するように定義され得、さらに、ＵＤＰ／ＩＰの代わりに、ＳＣＴＰ／ＩＰを使用し得る。
【０１４９】
例示的実施形態では、信頼されているＷＬＡＮ６１２とＩＳＷ  ＧＷ６９０との間のＳ１ａインターフェース６９２上のトランスポートネットワーク接続は、動作、管理、および保守（ＯＡＭ）プロシージャの拡張を使用して確立され得る。これらおよび他のＯＡＭプロシージャは、ＨｅＮＢ構成のために以前に定義されたようなＴＲ−０６９プロトコルへの信頼されているＷＬＡＮ拡張を介して、実装され得る。
【０１５０】
図１３は、ＩＳＷ  ＧＷ６９０の機能的構成要素を図示するブロック図を描写する。ＩＳＷ  ＧＷ６９０は、ＨｅＮＢ６３０とＭＭＥ６３４との間にある。ＩＳＷ  ＧＷ６９０は、ＩＳＷ  ＧＷ６９０がＭＭＥ６３４であるかのように、ＨｅＮＢ６９０と通信する。言い換えると、ＩＳＷ  ＧＷ６９０は、標準的Ｓ１−ＡＰプロトコルを使用して、標準的ＨｅＮＢ−ＭＭＥメッセージを伝送および受信する。故に、図１３に描写されるように、ＩＳＷ  ＧＷ６９０は、標準的ＭＭＥスタックを採用するＭＭＥプロキシ７１０を備え、標準的Ｓ１−ＭＭＥ参照点６３２を経由して、ＨｅＮＢ６３０と通信する。ＭＭＥプロキシ７１０の機能の１つは、Ｓ１−ＡＰ６３２を使用して、情報をＨｅＮＢ６３０から受信し、それをＩＳＷ  ＧＷ６９０内の処理を調整するインターワーキング機能（ＩＷＦ）７９１にフィードすることである。ＩＷＦ７９１は、図１６−１８に関連して以下に説明されるように、トラフィック管理を提供し、ＴＷＡＮ６１２、ＨｅＮＢ６３０、ＭＭＥ６３４、およびＳＧＷ６３８間でデータをルーティングするように適合される。
【０１５１】
ＳＧＷプロキシ７１２は、ＭＭＥプロキシ７１０と類似様式で動作するが、ユーザプレーンのためにそのように動作する。
【０１５２】
信頼されているＷＬＡＮインターフェースまたはプロキシ７１４は、ＴＷＡＮ制御およびユーザプレーンのためのプロキシとして動作する。ＴＷＡＮインターフェース７１４の機能の１つは、ＴＷＡＮユーザ／制御プレーンをＩＷＦに伝達することである。例示的実施形態では、制御プレーンは、ＧＴＰｖ２−Ｃトンネリングプロトコルを使用して、通信され得る。ユーザプレーンは、ＧＴＰ−Ｕトンネルプロトコルを使用して、通信され得る。ユーザおよび制御プレーンは両方とも、Ｓ１ａインターフェース参照点６１２を経由して、搬送される。
【０１５３】
ＩＷＦ７９１は、ＨｅＮＢ６３０およびＷＬＡＮ６１２の両方の制御プレーン情報を、ＩＳＷネットワーク（ＩＳＷＮ）プロキシ７１６を介して、ＭＭＥ２３４に通信する。言い換えると、ＩＳＷＮプロキシ７１６は、Ｓ１−ＭＭＥ’参照点６３５を経由して、制御プレーン情報をＩＷＦ７９１からＭＭＥ６３４に伝達することを担う。ＭＭＥ６３４が、ＨｅＮＢ６３０およびＷＬＡＮ６１２についての制御プレーン情報を受信すると、ＭＭＥ６３４は、トラフィック管理ポリシーを適用し得る。ポリシーは、ＵＥ６６２によって伝達されるＡＮＤＳＦ情報、ＵＥの加入に基づいて受信されるＨＳＳ情報、またはＭＭＥ６３４において知覚されるローカル条件をから導出され得る。ＩＷＦ７９１は、主に、トラフィック管理ポリシーを実行し、適宜、ＨｅＮＢ６３０またはＴＷＡＮ６１２のいずれかにユーザプレーンをルーティングすることを担う。ダウンリンクにおいて、例えば、ＷｉＦｉエアインターフェースが、低輻輳率を有し、ＭＭＥ６３４が、ＬＴＥエアインターフェースの代わりに、それを利用することを決定する場合、ＭＭＥ６３４は、ＷｉＦｉ経路をアクティブ化するために、ＩＳＷＮプロキシ７１６を介して、決定をＩＷＦ７９１に送信する。その結果、ユーザプレーンは、ＩＷＦ７９１においてＳＧＷ６３８から受信され、ＩＷＦ７９１によって、ＴＷＡＮインターフェース７１４を介して、ＷＬＡＮ６１０にダイレクトされる。
【０１５４】
例示的実施形態では、ＥＰＣアーキテクチャの標準的エンティティである、セキュリティゲートウェイ（ＳｅＧＷ）７２０が、ＩＳＷ  ＧＷ６９０に追加され得る。それは、ＨｅＮＢ／ＴＷＡＮとＩＳＷ  ＧＷとの間のインターフェースに位置付けられ、ＥＰＣにアクセスすることのセキュリティを保証し得る。
【０１５５】
（ＩＳＷ  ＧＷベースのハンドオーバーにおける制御プロトコルアーキテクチャ）
前の議論から着目されるように、開示されるシステムおよび方法は、既存のプロトコルおよびインターフェースを採用する。しかしながら、いくつかの事例では、既存のプロトコルおよびインターフェースは、開示される処理をサポートするために、拡張されている。さらに、いくつかの事例では、新しいプロトコルおよびインターフェースが、作成されている。図１４は、開示される実施形態と整合した例示的プロトコルスタックを描写する。示されるように、ＩＳＷ  ＧＷ６９０は、新しく提案されたＳ１ａインターフェース６９２を経由して、新しく提案されたＳ１ａ−ＡＰプロトコルを介して、ＷＬＡＮ  ＡＮ６１０と通信する。ＩＳＷ  ＧＷ６９０は、標準的Ｓ１−ＭＭＥインターフェースを経由して、標準的Ｓ１−ＡＰプロトコルを使用して、ＨｅＮＢ６３０と通信する。図６に関連して上で説明された実施形態では、Ｓ１ａ−ＡＰプロトコルは、ＵＤＰに基づく、ＧＴＰｖ２−Ｃトンネリングプロトコルであった。図１４に描写される実施形態では、同じプロトコルが、採用され得るか、またはＳ１−ＡＰプロトコルに類似したＳＣＴＰに基づく別のトランスポートプロトコルが、採用され得る。図１４に描写される実施形態では、ＳＣＴＰベースのプロトコルスタックが、Ｓ１ａインターフェース６９２上で採用される。ＩＳＷ  ＧＷ６９０は、新しく定義されたＳ１−ＭＭＥ’インターフェース６３５を経由して、同様にＳＣＴＰに基づく、新しく提案されたＳ１−ＡＰ’プロトコルを使用して、ＭＭＥ６３４と通信する。Ｓ１−ＡＰ’は、Ｓ１−ＡＰの拡張バージョンであり、Ｓ１−ＡＰおよびＳ１ａ−ＡＰプロトコルの情報を搬送する。
【０１５６】
メッセージのより完全な説明は、新しい／修正された情報要素が、以下の表３に紹介される。表３では、アスタリスク（＊）で指定されるエントリは、新しいメッセージおよび情報要素である。メッセージフローはさらに、図１６−１８に関連して以下に説明されるように、アタッチおよびハンドオーバー処理の文脈において説明される。
【０１５７】
【表３−１】
2019054545.tif 000006
【０１５８】
【表３−２】
2019054545.tif 000007
【０１５９】
（ＩＳＷ  ＧＷベースのハンドオーバーにおけるユーザプレーンプロトコルアーキテクチャ）
図１５は、ＩＳＷ  ＧＷ展開ネットワークのユーザプレーンプロトコルスタックを示す。例示的ＩＳＷ  ＧＷ６９０実施形態におけるユーザプレーンプロトコルスタックは、図７に関連して上で説明されたものに類似する。例示的実施形態では、ユーザプレーンプロトコルは、ＩＳＷ  ＧＷ６９０が、片側のＳＧＷ６３８と他側のＨｅＮＢ６３０およびＷＬＡＮ６１２との間に位置付けられるという点において、ＭＭＥ制御実施形態と異なる。
【０１６０】
ＧＴＰ−Ｕトンネルは、片側からのＩＳＷ  ＧＷ６９０と、他側からのＨｅＮＢ（Ｓ１−Ｕを経由して）またはＷＬＡＮ  ＡＮ（Ｓ１ａを経由して）との間に構築される。Ｓ１−Ｕインターフェースは、ＧＴＰベースのＳ１−Ｕインターフェースを経由して、ユーザプレーンをＳＧＷ６３８に搬送する。ＵＥ６６２とＰＧＷ６２２との間のＩＰ接続は、利用されるエアインターフェースにかかわらず同一である。
【０１６１】
（ＩＳＷ  ＧＷを介した信頼されているＷＬＡＮ初期接続）
開示されるシステムは、ＩＳＷ  ＧＷ６９０を介して、ＰＤＮへの通信経路を確立するように適合される。ＩＳＷ  ＧＷ６９０は、ＨｅＮＢアクセスネットワークを通して開始される通信セッションをＴＷＡＮにハンドオーバーするように適合される。ＩＳＷ  ＧＷ６９０は、同様に、ＴＷＡＮ６１２を通して開始される通信セッションをＨｅＮＢアクセスネットワーク６３０にハンドオーバーするように適合される。これらの各々に関連付けられた処理は、図１６−１８に関連して以下に論じられる。
【０１６２】
（ＩＳＷゲートウェイを介したＥＰＣへの初期ＴＷＡＮ接続）
ＵＥ６６２がＰＤＮと通信し得る前に、ＵＥ６６２は、ＰＧＷ６２２にアタッチしなければならない。開示されるＩＳＷ  ＧＷ６９０は、ＴＷＡＮ２１２を介してアタッチすることを促進するように適合される。
【０１６３】
概して、アタッチ処理は、ＵＥ２６２が、ＩＳＷ  ＧＷ６９０を使用して、信頼されているＷＬＡＮ６１２を介して、ＥＰＣ６１４に接続することを伴う。図１６Ａ−Ｂは、ＩＳＷ  ＧＷ６９０を使用したＴＷＡＮ  ＵＥ６６２の初期ＰＤＮ接続のためのメッセージフローを描写する。ステップ０、１、２、および３は、図８に関連して上で説明されたものと同一である。
【０１６４】
図１６Ａを参照すると、ステップ４において、ＷＬＡＮ  ＡＮ６１０は、「通知要求」メッセージを生成し、新しく提案されたＳ１ａ−ＭＭＥインターフェースを経由して、ＩＳＷ  ＧＷ６９０に伝送する。メッセージは、例えば、ＲＡＴタイプ、制御プレーンのＷＬＡＮ  ＡＮ  ＴＥＩＤ、ユーザプレーンのためのＷＬＡＮ  ＡＮアドレス、ユーザプレーンのＷＬＡＮＴＥ  ＩＤ、ＥＰＳベアラ識別、デフォルトＥＰＳベアラＱｏＳ、課金特性、初期アタッチ指示、ＷＬＡＮ識別子、およびＵＥ時間帯を含み得る。メッセージは、Ｓａ１−ＡＰプロトコルを使用して通信される。ＲＡＴタイプは、非３ＧＰＰＩＰアクセス技術タイプ（例えば、ＩＳＷ−ＷＬＡＮ）を示す。ＴＷＡＮ識別子は、ＵＥがアタッチされているＴＷＡＮのＳＳＩＤと、ＢＳＳＩＤとを含む。ＥＰＳベアラ識別およびデフォルトＥＰＳベアラＱｏＳパラメータは、Ｓ１ａベアラ識別およびデフォルトＳ１ａベアラＱｏＳを伝達する。
【０１６５】
図１６Ａのステップ５において、ＩＳＷ  ＧＷ６９０は、新しく提案されたＳ１−ＭＭＥ’インターフェース２３５を経由して、「通知要求」メッセージをＭＭＥ６３４に通信する。通信は、ＷＬＡＮ  ＡＮ６１０から要求内で受信される情報を含み得る。
【０１６６】
ステップ６において、ＭＭＥ６３５は、ＨＳＳ６７０と場所更新プロシージャを実施し、加入者データをＨＳＳから読み出し得る。読み出された情報は、それがＰＧＷ５２２にアクセスし得るかどうかを決定するために、ＭＭＥ６３４によって使用され得る。
【０１６７】
図１６Ａ−Ｂのステップ７−１２は、図８に関連して上で説明されたステップ６−１１に対応する。
【０１６８】
図１６Ｂに示されるステップ１３において、ＭＭＥ６３５は、新しく提案されたＳ１−ＭＭＥ’インターフェース６３５を経由して、「通知応答」メッセージをＩＳＷ  ＧＷ６９０に通信する。メッセージは、例えば、ユーザプレーンのためのＳＧＷアドレス、ユーザプレーンのＳＧＷ  ＴＥＩＤ、および割り当てられたＵＥ  ＩＰアドレスを含み得る。この処理の段階で、ＳＧＷ６３８とＩＳＷ  ＧＷ６９０との間のＧＴＰトンネルが、確立される。
【０１６９】
図１６Ｂのステップ１４において、ＩＳＷ  ＧＷ６９０は、新しく提案されたＳ１ａインターフェース６９２を経由して、「通知応答」メッセージをＷＬＡＮ  ＡＮ６１０に通信する。メッセージは、例えば、ユーザプレーンのためのＩＳＷ  ＧＷアドレス、ユーザプレーンのＩＳＷ  ＧＷ  ＴＥＩＤ、および割り当てられたＵＥ  ＩＰアドレスを含み得る。この処理の時点で、ＩＳＷ  ＧＷ６９０とＷＬＡＮ  ＡＮ６１０との間のＧＴＰトンネルが、確立される。
【０１７０】
ステップ１５において、ＷＬＡＮ  ＡＮ６１０は、ＳＷｗインターフェースを経由して、ＷＬＣＰベースのメッセージ「ＰＤＮ接続承認」を介して、成功したＰＤＮ接続が確立されたことをＵＥ６６２に通信する。ＷＬＡＮ  ＡＮ６１０は、メッセージの中に、ＵＥ６６２とＷＬＡＮ  ＡＮ６１０との間のＰＤＮ接続を識別するためのＰＤＮ接続ＩＤと、ＷＬＡＮ  ＡＮのＭＡＣアドレスとを組み込む。ＭＡＣアドレスは、ＵＥ６６２およびＷＬＡＮ  ＡＮ６１０によって、このＰＤＮ接続のためのユーザプレーンパケットを伝送するために使用され得る。
【０１７１】
ステップ１６において、ＵＥ６６２は、「ＷＬＣＰ：ＰＤＮ接続完了」メッセージを生成し、ＷＬＡＮ  ＡＮ６１０に通信する。このプロセスの時点で、ＵＥ６６２とＰＧＷ６２２との間の完全経路が、確立される。ＷＬＡＮ  ＡＮは、ここで、ＷＬＡＮ  ＡＮ６１０およびＳＧＷ６３８を介して、ＵＥ６６２とＰＧＷ６２２との間でパケットをルーティングし得る。
【０１７２】
（ＨｅＮＢから信頼されているＷＬＡＮへのＩＳＷ  ＧＷ開始ハンドオーバー）
いくつかの事例では、ＨｅＮＢ６３０接続を介したＵＥ６６２とＰＤＮとの間の既存のデータフローが、ＴＷＡＮ６１２接続を介した新しい接続経路にハンドオーバーされることが所望され得る。ＩＳＷ  ＧＷ６９０は、ＵＥ６６２がＨｅＮＢ６３０を介してすでに接続されているＰＤＮとの接続を確立するために、ＴＷＡＮ６１２アタッチメントを開始するように適合される。換言すると、ＩＳＷ  ＧＷ６９０は、ベアラハンドオーバシナリオを開始する。ＩＳＷ  ＧＷ６９０は、ＷｉＦｉおよびＬＴＥの既存の接続の両方のための測定および性能統計を受信し、ＬＴＥを利用するのが最良か、またはＷｉＦｉを利用するのが最良かを決定する。ハンドオーバー決定を実施することにおいて、コアネットワークエンティティ（例えば、ＭＭＥ６３４）のいずれも関わる必要はない。故に、このソリューションは、ＩＳＷ  ＧＷ６９０をローカルシステム間移動性アンカにする。
【０１７３】
図１７Ａ−Ｂは、既存のＨｅＮＢ６３０接続から信頼されているＷＬＡＮ６１２接続へのＩＳＷ  ＧＷ６９０開始ハンドオーバーに関連付けられる例示的処理を描写するフロー図を描写する。
【０１７４】
図１７Ａを参照すると、ステップ０において、継続中のセッションが、ＥＰＳ／Ｅ−ＵＴＲＡＮアクセスを経由して確立されていることが図示される。ＬＴＥデータ無線ベアラが、ＵＥ６６２とＨｅＮＢ６３０との間にすでに存在すると仮定される。さらに、３つのＧＴＰ−Ｕユーザデータトンネル、すなわち、ＨｅＮＢ６３０へ／からＩＳＷ  ＧＷ６９０、ＩＳＷ  ＧＷ６９０へ／からＳＧＷ６３８、およびＳＧＷ６３８へ／からＰＧＷ６２２が存在する。
【０１７５】
図１７Ａのステップ１において、ＨｅＮＢ６３０は、「ＲＲＣ：システム間測定報告」メッセージをＵＥ６６２から受信する。メッセージは、図９Ａのステップ１に関連して上で説明されたものと類似する。
【０１７６】
ステップ２において、ＨｅＮＢ６３０は、６３２インターフェースを経由して、メッセージ「ｅＮＢ直接情報転送（「測定報告」）Ｓ１−ＭＭＥを通信することによって、測定報告をＩＳＷ  ＧＷ６９０に転送する。メッセージは、ＵＥ６６２によってＨｅＮＢ６３０に通信されるものと同じ測定情報を含む。
【０１７７】
ステップ３において、ＬＴＥおよびＷｉＦｉ側から収集された測定報告およびＯＡＭを介して構成されたポリシーに基づいて、ＩＳＷ  ＧＷ６９０は、ＷｉＦｉ接続にハンドオーバーするか、またはＬＴＥエアインターフェースの使用を継続するかのいずれかを決定する。処理は、ＩＳＷ  ＧＷ開始ハンドオーバーに焦点を当てる。図１７に描写される例示的シナリオでは、ＭＭＥ６３４は、ＷｉＦｉへの損失のないハンドオーバーを有することを決定する。
【０１７８】
ステップ４において、ＩＳＷ  ＧＷ６９０は、新しく提案されたＳ１ａインターフェース６９２を経由して、「通知要求」メッセージをＷＬＡＮ  ＡＮ６１０に伝送することによって、ハンドオーバー要求をＴＷＡＮ６１２に通信する。メッセージは、例えば、ハンドオーバー（ＨＯ）要求、ＩＳＷ  ＧＷアドレス、ＩＳＷ  ＧＷ  ＴＥＩＤ、ＰＧＷ  ＩＤ、およびＡＰＮを含み得る。メッセージは、アップリンクデータ伝送のためにＷＬＡＮ
ＡＮ６１０による使用のために利用可能にされるように、ＩＳＷ  ＧＷ６９０のＴＥＩＤおよびアドレスを含む。
【０１７９】
ステップ５において、それに応答して、ＷＬＡＮ  ＡＮ６１０は、「通知応答」メッセージを生成し、新しく提案されたＳ１ａインターフェース６９２を経由して、ＩＳＷ  ＧＷ６９０に伝送し、ＨＯのステータスを示す。メッセージは、例えば、ＨＯステータス、ＷＬＡＮ  ＡＮアドレス、およびＷＬＡＮ  ＡＮ  ＴＥＩＤを含み得る。大部分のシナリオでは、ＨＯステータスは、特定のＷＬＡＮ  ＡＮが任意の追加のＵＥを許可しない場合を除き、「成功」ステータスである。
【０１８０】
ステップ６において、ＩＳＷ  ＧＷ６９０は、「ハンドオーバコマンド」メッセージをＨｅＮＢ６３０に通信する。
【０１８１】
ステップ７において、ＨｅＮＢ６３０は、「Ｅ−ＵＴＲＡからの移動」メッセージをＵＥ６６２に通信する。メッセージは、ＵＥ６６２によって「ハンドオーバコマンド」メッセージとして知覚される。
【０１８２】
図９に関連して上で説明された処理と同様に、ＵＥ６６２は、図１０Ａおよび１０Ｂに描写されるものに類似した１つ以上のユーザインターフェースを生成し、アクセスネットワークの差し迫った切り替えの通知を提供するか、または切り替えを実施するための承認を要求するようにプログラムされ得る。ユーザは、インターフェースとインターフェースをとり、切り替えを肯定応答および／または承認する。
【０１８３】
図１７Ａのステップ８において、ＵＥ６６２は、ＷＬＣＰトランスポートのために使用されるべきＩＰｖ４アドレスを得る。ＵＥ６６２を識別するために、Ｌ３アタッチ要求が、３ＧＰＰ２３．４０２に説明されるように、ＵＥ  Ｌ２アドレス（ＭＡＣアドレス）を含む、Ｌ２フレーム内でトランスポートされると仮定される。
【０１８４】
図１７Ｂを参照すると、ステップ９において、ＵＥ６６２は、信頼されているＷＬＡＮ６１２を発見し、アクセス認証および承認を実施する。ＷＬＡＮ識別（ＳＳＩＳ、ＢＳＳＩＤ等）が、ＨＯコマンド内でＭＭＥ６３４によって提供され得る。
【０１８５】
図１７Ｂのステップ１０において、ＷＬＡＮ  ＡＮ６１０は、新しく提案されたＳ１ａインターフェース６９２を経由して、「通知要求」メッセージ（ＨＯ完了）をＩＳＷ  ＧＷ６９０に通信する。メッセージは、ハンドオーバプロシージャの完了の指示を提供し、ＵＥ６６２がここでＷＬＡＮ  ＡＮ６１０に接続されていることも示す。
【０１８６】
ステップ１１において、ＩＳＷ  ＧＷ６９０は、新しく提案されたＳ１ａインターフェース６９２を経由して、「通知応答」メッセージをＷＬＡＮ  ＡＮ６１０に送信し、通知メッセージ受信を肯定応答することによって応答する。
【０１８７】
ステップ１２において、ＩＳＷ  ＧＷ６９０は、新しく提案されたＳ１−ＭＭＥ’インターフェース６３５を経由して、「通知要求」メッセージをＭＭＥ６３４に転送することによって、ＭＭＥ６３４にハンドオーバー決定を通信する。
【０１８８】
ステップ１３において、ＭＭＥ６３４は、新しく提案されたＳ１−ＭＭＥ’インターフェース６３５を経由して、「通知応答」メッセージをＩＳＷ  ＧＷ６９０に通信し、通知メッセージ受信を肯定応答することによって応答する。この処理の時点で、Ｓ１ａ−ＵＧＴＰベースのユーザデータトンネルが、確立される。データは、新しいＷｉＦｉ経路を経由して、送信されることができる。
【０１８９】
ステップ１４において、ＭＭＥ６３４は、「ＵＥコンテキスト解放コマンド」メッセージをＩＳＷ  ＧＷ６９０に通信することによって、ＨｅＮＢ６３０内のＵＥコンテキストを解放する。
【０１９０】
ステップ１５において、ＩＳＷ  ＧＷ６９０は、「ＵＥコンテキスト解放コマンド」メッセージをＨｅＮＢ６３０に転送する。
【０１９１】
ステップ１６において、ＨｅＮＢ６３０は、ＵＥ６６２に関連するそのベアラリソースを解放しＩＳＷ  ＧＷ６９０に、「ＵＥコンテキスト解放完了」メッセージで応答する。
【０１９２】
ステップ１７において、ＩＳＷ  ＧＷ６９０は、「ＵＥコンテキスト解放完了」メッセージをＭＭＥ６３４に転送する。
【０１９３】
（信頼されているＷＬＡＮからＨｅＮＢへのＩＳＷ  ＧＷ開始ハンドオーバー）
いくつかの事例では、ＷＬＡＮを介したＵＥとＰＤＮとの間の既存のデータフローがＨｅＮＢ接続を介した新しい接続経路にハンドオーバーされることが所望され得る。ＩＳＷ
ＧＷ６９０は、ＴＷＡＮ６１２からＨｅＮＢ６３０へのベアラハンドオーバシナリオを開始するように適合される。ＩＳＷ  ＧＷ６９０は、ＷｉＦｉおよびＬＴＥの既存の接続の両方のための測定および性能統計を受信し、ＬＴＥを利用することが最良か、またはＷｉＦｉを利用することが最良かを決定する。ハンドオーバー決定を実施することにおいて、コアネットワークエンティティ（例えば、ＭＭＥ６３４）のいずれも関わる必要はない。ＩＳＷ  ＧＷ６９０は、ローカルシステム間移動性アンカとして動作する。
【０１９４】
図１８Ａ−Ｂは、既存の信頼されているＷＬＡＮ６１２接続からＨｅＮＢ６３０接続へのＩＳＷ  ＧＷ６９０開始ハンドオーバーに関連付けられる例示的処理を描写するフロー図を描写する。図１８Ａを参照すると、ステップ０において、図は、継続中のセッションが信頼されているＷｉＦｉアクセスを経由して確立されていることを認める。ＷｉＦｉが、無線伝送を経由して、ＵＥ６６２とＷＬＡＮ  ＡＮ６１０との間にすでに存在すると仮定される。さらに、３つのＧＴＰ−Ｕユーザデータトンネル、すなわち、ＷＬＡＮ  ＡＮ６１０へ／からＩＳＷ  ＧＷ６３８、ＩＳＷ  ＧＷ６９０へ／からＳＧＷ６３０、およびＳＧＷ６３８へ／からＰＧＷ６２２が存在する。
【０１９５】
図１８Ａのステップ１において、ＵＥ６６２は、ＬＴＥ近隣リスト測定とともに、表１に前述の測定を含み得るＷｉＦｉ測定をＷＬＡＮ  ＡＮ６１０に通信する。情報は、「測定報告」と称され得る新しく定義されたメッセージを使用して通信され得る。メッセージは、ＷＬＣＰプロトコルの中に組み込まれ得る。
【０１９６】
ステップ２において、ＷＬＡＮ  ＡＮ６１０は、新しく提案されたＳ１ａインターフェース６９２を経由して、「通知要求」メッセージを使用して、測定報告をＩＳＷ  ＧＷ６９０に通信する。このメッセージは、ＵＥ６６２によってＷＬＡＮ  ＡＮ６１０に送信されるものと同じ測定情報を含み得る。
【０１９７】
ステップ３において、ＷｉＦｉおよびＬＴＥ側から収集される測定報告に基づいて、ＩＳＷ  ＧＷ６９０は、ＬＴＥにハンドオーバーするか、またはＷｉＦｉエアインターフェースの使用を継続するかを決定する。
【０１９８】
ステップ４において、ＩＳＷ  ＧＷ６９０は、「通知応答」（または「ハンドオーバコマンド」）メッセージをＷＬＡＮ  ＡＮ６１０に通信する。
【０１９９】
ステップ５において、ＷＬＡＮ  ＡＮ６１０は、ＷＬＣＰプロトコルを使用して、新しく定義された「ハンドオーバコマンド」メッセージをＵＥ６６２に転送する。メッセージは、ＨｅＮＢ６３０とのアタッチメントプロシージャを開始するためのＵＥ６６２への命令である。
【０２００】
図９に関連して上で説明された処理と同様に、ＵＥ６６２は、図１０Ａおよび１０Ｂに描写されるものに類似した１つ以上のユーザインターフェースを生成し、アクセスネットワークの差し迫った切り替えの通知を提供するか、または切り替えを実施するための承認を要求するようにプログラムされ得る。ユーザは、インターフェースとインターフェースをとり、切り替えを肯定応答および／または承認する。
【０２０１】
ステップ６において、ＵＥ６６２は、「ＲＲＣ：アタッチ要求」メッセージを生成し、ＨｅＮＢ６３０に通信する。メッセージは、ハンドオーバーが生じることを示す。
【０２０２】
ステップ７において、ＨｅＮＢ６３０は、「アタッチ要求」メッセージをＩＳＷ  ＧＷ６９０に通信する。
【０２０３】
図１８Ａのステップ８において、ＩＳＷ  ＧＷ６９０は、新しく定義されたＳ１−ＭＭＥ’インターフェース６３５を介して、「アタッチ要求」メッセージをＭＭＥ６３４に通信する。
【０２０４】
図１８Ｂを参照すると、ステップ９において、ＭＭＥ６３４は、３ＧＰＰ  ＴＳ２３．４０１（その内容は、その全体として本明細書に組み込まれる）に説明されるように、ＨＳＳ６７０にコンタクトし、ＵＥ６６２を認証し得る。
【０２０５】
図１８Ｂのステップ１０において、成功した認証後、ＭＭＥ６３４は、３ＧＰＰ  ＴＳ２３．４０１に規定されるように、場所更新プロシージャおよびＨＳＳ６７０から加入者データ読み出しを実施し得る。
【０２０６】
ステップ１１において、ＭＭＥ６３４は、３ＧＰＰ  ＴＳ２３．４０１の第５．３．２．１節（その内容は、参照することによってその全体として本明細書に組み込まれる）において前述のＥ−ＵＴＲＡＮ初期アタッチメントプロシージャのステップ１７におけるように、「アタッチ承認」メッセージをＩＳＷ  ＧＷ６９０に通信する。メッセージは、Ｓ１−ＭＭＥ制御メッセージ「初期コンテキスト設定要求」内に含まれ得る。
【０２０７】
ステップ１２において、ＩＳＷ  ＧＷ６９０は、ステップ７においてＭＭＥから受信された「アタッチ承認」メッセージをＨｅＮＢ６３０に通信する。メッセージは、例えば、ユーザプレーンのために使用されるＩＳＷ  ＧＷ６９０におけるＴＥＩＤならびにＩＳＷ
ＧＷのアドレスを含み得る。
【０２０８】
ステップ１３−１４は、３ＧＰＰ  ＴＳ２３．４０１の第５．３．２．１節に説明されるＥ−ＵＴＲＡＮ初期アタッチメントプロシージャのステップ１８−１９に類似する。
【０２０９】
ステップ１５において、ＨｅＮＢ６３０は、「初期コンテキスト設定応答」をＩＳＷ  ＧＷ６９０に通信する。メッセージは、例えば、ＨｅＮＢ６３０のＴＥＩＤおよびＳ１−Ｕインターフェース上のダウンリンクトラフィックのために使用されるＨｅＮＢのアドレスを含み得る。
【０２１０】
ステップ１６において、ＩＳＷ  ＧＷ６９０は、「初期コンテキスト設定応答」メッセージをＭＭＥ６３４に通信し、ハンドオーバプロシージャが完了したことを示す。この処理の時点で、ＨｅＮＢ６３０とＩＳＷ  ＧＷ６９０との間のＧＴＰトンネルが、確立される。データは、ＬＴＥエアインターフェースを経由して、ＨｅＮＢ６３０、ＩＳＷ  ＧＷ６９０、およびＳＧＷ６３８を通して、ＵＥ６６２とＰＧＷ６２２との間で交換され得る。
【０２１１】
ステップ１７において、ＩＳＷ  ＧＷ６９０は、「通知要求（ハンドオーバ完了）」メッセージをＷＬＡＮ  ＡＮ６１０に通信し、ＷＬＡＮ  ＡＮ６１０に、ハンドオーバーが完了したことを知らせる。
【０２１２】
ステップ１８において、ＷＬＡＮ  ＡＮ６１０は、「ＷＬＣＰ：ＰＤＮ切断要求」を生成し、ＵＥ６６２に伝送し、ＵＥ−ＴＷＡＮ接続を解放する。
【０２１３】
ステップ１９において、ＵＥ６６２は、「ＷＬＣＰ：ＰＤＮ切断承認」メッセージをＷＬＡＮ  ＡＮ６１０に送信することによって、解放を肯定応答する。
【０２１４】
（例示的コンピューティング環境）
図１９Ａは、例えば、ＨｅＮＢネットワーク（５９５、６３０）またはＷＬＡＮ  ＡＮ（５１０、６１０）を実装するために使用され得るようなＵＥ（５６２、６６２）または無線基地局等の例示的無線通信デバイス３０の系統図である。図１９Ａに示されるように、デバイス３０は、プロセッサ３２と、送受信機３４と、伝送／受信要素３６と、スピーカ／マイクロホン３８と、キーパッド４０と、ディスプレイ／タッチパッド／インジケータ４２と、非取り外し可能なメモリ４４と、取り外し可能なメモリ４６と、電源４８と、全地球測位システム（ＧＰＳ）チップセット５０と、他の周辺機器５２とを含み得る。例示的実施形態では、ディスプレイ／タッチパッド／インジケータ４２は、ユーザインターフェースの一部として動作する、１つ以上のインジケータを備え得る。デバイス３０は、実施形態と一致したままで、前述の要素の任意の副次的組み合わせを含み得ることを理解されたい。図１９Ａのデバイス３０は、上記に議論されるようなシステム間移動性システムおよび方法のためのサービングゲートウェイ拡張を使用するデバイスであり得る。
【０２１５】
プロセッサ３２は、汎用プロセッサ、専用プロセッサ、従来のプロセッサ、デジタル信号プロセッサ（ＤＳＰ）、複数のマイクロプロセッサ、ＤＳＰコアと関連する１つ以上のマイクロプロセッサ、コントローラ、マイクロコントローラ、１つ以上の特定用途向け集積回路（ＡＳＩＣ）、１つ以上のフィールドプログラマブルゲートアレイ（ＦＰＧＡ）回路、任意の他のタイプおよび数の集積回路（ＩＣ）、状態マシン等であり得る。プロセッサ３２は、信号符号化、データ処理、電力制御、入出力処理、および／またはデバイス３０が無線環境で動作することを可能にする任意の他の機能性を実施し得る。プロセッサ３２は、伝送／受信要素３６に結合され得る、送受信機３４に結合され得る。図１９Ａは、プロセッサ３２および送受信機３４を別個の構成要素として描写するが、プロセッサ３２および送受信機３４は、電子パッケージまたはチップにともに統合され得ることを理解されたい。プロセッサ３２は、アプリケーション層プログラム（例えば、ブラウザ）および／または無線アクセス層（ＲＡＮ）プログラムおよび／または通信を実施し得る。プロセッサ３２は、例えば、アクセス層および／またはアプリケーション層等で、認証、セキュリティキー一致、および／または暗号化動作等のセキュリティ動作を実施し得る。
【０２１６】
伝送／受信要素３６は、ｅＮｏｄｅ−Ｂ、Ｈｏｍｅ  ｅＮｏｄｅ−Ｂ、Ｗｉ−Ｆｉアクセスポイント等に信号を伝送するように、および／またはそれらから信号を受信するように構成され得る。例えば、ある実施形態では、伝送／受信要素３６は、ＲＦ信号を伝送および／または受信するように構成されるアンテナであり得る。伝送／受信要素３６は、ＷＬＡＮ、ＷＰＡＮ、セルラー等の種々のネットワークおよびエアインターフェースをサポートし得る。ある実施形態では、伝送／受信要素３６は、例えば、ＩＲ、ＵＶ、または可視光信号を伝送および／または受信するように構成されるエミッタ／検出器であり得る。さらに別の実施形態では、伝送／受信要素３６は、ＲＦおよび光信号の両方を伝送および受信するように構成され得る。伝送／受信要素３６は、無線または有線信号の任意の組み合わせを伝送および／または受信するように構成され得ることを理解されたい。
【０２１７】
加えて、伝送／受信要素３６は、単一の要素として図１９Ａに描写されているが、デバイス３０は、任意の数の伝送／受信要素３６を含み得る。より具体的には、デバイス３０は、ＭＩＭＯ技術を採用し得る。したがって、ある実施形態では、デバイス３０は、無線信号を伝送および受信するための２つ以上の伝送／受信要素３６（例えば、複数のアンテナ）を含み得る。
【０２１８】
送受信機３４は、伝送／受信要素３６によって伝送される信号を変調するように、および伝送／受信要素３６によって受信される信号を復調するように構成され得る。上記に留意されるように、デバイス３０は、マルチモード能力を有し得る。したがって、送受信機３４は、デバイス３０が、例えば、ＵＴＲＡおよびＩＥＥＥ８０２．１１等の複数のＲＡＴを介して通信することを可能にするための複数の送受信機を含み得る。
【０２１９】
プロセッサ３２は、非取り外し可能なメモリ４４および／または取り外し可能なメモリ４６等の任意のタイプの好適なメモリから情報にアクセスし、そこにデータを記憶し得る。非取り外し可能なメモリ４４は、ランダムアクセスメモリ（ＲＡＭ）、読み取り専用メモリ（ＲＯＭ）、ハードディスク、または任意の他のタイプのメモリ記憶デバイスを含み得る。取り外し可能なメモリ４６は、加入者識別モジュール（ＳＩＭ）カード、メモリスティック、セキュアデジタル（ＳＤ）メモリカード等を含み得る。他の実施形態では、プロセッサ３２は、サーバまたはホームコンピュータ上等のデバイス３０上に物理的に位置しないメモリから情報にアクセスし、そこにデータを記憶し得る。
【０２２０】
プロセッサ３０は、電源４８から電力を受容し得、デバイス３０内の他の構成要素への電力を分配および／または制御するように構成され得る。電源４８は、デバイス３０に電力供給するための任意の好適なデバイスであり得る。例えば、電源４８は、１つ以上の乾電池バッテリ（例えば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）等）、太陽電池、燃料電池等を含み得る。
【０２２１】
プロセッサ３２はまた、デバイス３０の現在の場所に関する場所情報（例えば、経度および緯度）を提供するように構成され得るＧＰＳチップセット５０に結合され得る。デバイス３０は、実施形態と一致したままで、任意の好適な場所決定方法を用いて場所情報を取得し得ることを理解されたい。
【０２２２】
プロセッサ３２はさらに、追加の特徴、機能性、および／または有線もしくは無線接続を提供する１つ以上のソフトウェアおよび／またはハードウェアモジュールを含み得る、他の周辺機器５２に結合され得る。例えば、周辺機器５２は、加速度計、ｅ−コンパス、衛星送受信機、センサ、デジタルカメラ（写真またはビデオ用）、ユニバーサルシリアルバス（ＵＳＢ）ポート、振動デバイス、テレビ送受信機、ハンズフリーヘッドセット、Ｂｌｕｅｔｏｏｔｈ（登録商標）モジュール、周波数変調（ＦＭ）ラジオユニット、デジタル音楽プレーヤ、メディアプレーヤ、ビデオゲームプレーヤモジュール、インターネットブラウザ等を含み得る。
【０２２３】
図１９Ｂは、本明細書に説明されるシステムおよび方法を実装するために使用され得る例示的コンピューティングシステム９０のブロック図を描写する。例えば、コンピューティングシステム１０００は、例えば、本明細書等に参照されるＩＳＷ  ＧＷ６９０、ＭＭＥ（５３４、６３４）、ＳＧＷ（５３８、６３８）、ＷＬＡＮ（５１０、６１０）、ＴＷＡＰ（５６４、６６４）、ＰＧＷ（５２２、６２２）、および３ＧＰＰ  ＡＡＡサーバ（５１８、６１８）として動作するデバイスを実装するために使用され得る。コンピュータシステム９０は、コンピュータまたはサーバを備え得、主として、ソフトウェアの形態であり得るコンピュータ読み取り可能な命令によって制御され得、どこでも、またはどのような手段を用いても、そのようなソフトウェアが記憶もしくはアクセスされる。そのようなコンピュータ読み取り可能な命令は、コンピューティングシステム９０を稼働させるように、中央処理ユニット（ＣＰＵ）９１内で実行され得る。多くの公知のワークステーション、サーバ、およびパーソナルコンピュータにおいて、中央処理ユニット９１は、マイクロプロセッサと呼ばれる単一チップＣＰＵによって実装される。他の機械において、中央処理ユニット９１は、複数のプロセッサを備え得る。コプロセッサ８１は、追加の機能を果たすか、またはＣＰＵ９１を補助する、主要ＣＰＵ９１とは異なる随意のプロセッサである。ＣＰＵ９１および／またはコプロセッサ８１は、例えば、ＩＳＷ  ＧＷ２９０、ＭＭＥ２３４、ＳＧＷ２３８、ＷＬＡＮ２１０、ＴＷＡＰ２６０、ＰＧＷ２２２、および３ＧＰＰ  ＡＡＡサーバ２１８に関連して論じられるものを含む、前述のような開示されるシステム間移動性システムおよび方法に関連するデータを受信、生成、および処理し得る。
【０２２４】
動作時、ＣＰＵ９１は、命令をフェッチ、復号、および実行し、コンピュータの主要データ転送経路であるシステムバス８０を介して、情報を他のリソースへ、およびそこから転送する。そのようなシステムバスは、コンピューティングシステム９０内の構成要素を接続し、データ交換のための媒体を定義する。システムバス８０は、典型的には、データを送信するためのデータライン、アドレスを送信するためのアドレスライン、ならびに割り込みを送信するため、およびシステムバスを動作させるための制御ラインを含む。そのようなシステムバス８０の実施例は、ＰＣＩ（周辺構成要素相互接続）バスである。
【０２２５】
システムバス８０に結合されるメモリデバイスは、ランダムアクセスメモリ（ＲＡＭ）８２および読み取り専用メモリ（ＲＯＭ）９３を含む。そのようなメモリは、情報が記憶され、読み出されることを可能にする回路を含む。ＲＯＭ９３は、概して、容易に修正されることができない記憶されたデータを含む。ＲＡＭ８２に記憶されたデータは、ＣＰＵ９１または他のハードウェアデバイスによって読み取られるか、または変更され得る。ＲＡＭ８２および／またはＲＯＭ９３へのアクセスは、メモリコントローラ９２によって制御され得る。メモリコントローラ９２は、命令が実行されると、仮想アドレスを物理的アドレスに変換するアドレス変換機能を提供し得る。メモリコントローラ９２はまた、システム内のプロセスを分離し、ユーザプロセスからシステムプロセスを分離する、メモリ保護機能を提供し得る。したがって、第１のモードで作動するプログラムは、それ自身のプロセス仮想アドレス空間によってマッピングされるメモリのみにアクセスすることができ、プロセス間のメモリ共有が設定されていない限り、別のプロセスの仮想アドレス空間内のメモリにアクセスすることができない。
【０２２６】
加えて、コンピューティングシステム９０は、ＣＰＵ９１からプリンタ９４、キーボード８４、マウス９５、およびディスクドライブ８５等の周辺機器に命令を通信することに関与する、周辺機器コントローラ８３を含み得る。
【０２２７】
ディスプレイコントローラ９６によって制御されるディスプレイ８６は、コンピューティングシステム９０によって生成される視覚出力を表示するために使用される。そのような視覚出力は、テキスト、グラフィックス、動画グラフィックス、およびビデオを含み得る。ディスプレイ８６は、ＣＲＴベースのビデオディスプレイ、ＬＣＤベースのフラットパネルディスプレイ、ガスプラズマベースのフラットパネルディスプレイ、またはタッチパネルを伴って実装され得る。ディスプレイコントローラ９６は、ディスプレイ８６に送信されるビデオ信号を生成するために要求される、電子構成要素を含む。
【０２２８】
さらに、コンピューティングシステム９０は、ＰＤＮ等の外部通信ネットワークにコンピューティングシステム９０を接続するために使用され得る、ネットワークアダプタ９７を含み得る。ある実施形態では、ネットワークアダプタ９７は、システム間移動性システムおよび方法のための開示されるサービングゲートウェイ拡張に関するデータを受信および伝送し得る。
【０２２９】
故に、出願人は、統合されたスモールセルおよびＷｉＦｉネットワークにおけるネットワーク開始ハンドオーバーのための改良されたシステムおよび方法を開示する。例えば、ＭＭＥまたはＩＳＷ  ＧＷであり得る、システム間移動性アンカ制御ポイントが、統合されたスモールセルおよびＷｉＦｉ（ＩＳＷ）ネットワークにおいて既存の通信接続のハンドオーバーを開始するように適合され得る。システム間移動性アンカ制御ポイントは、ＨｅＮＢ／ＬＴＥネットワークおよび信頼されているＷＬＡＮアクセスネットワーク（ＴＷＡＮ）の両方に通信可能に結合され、ＨｅＮＢ／ＬＴＥおよびＴＷＡＮアクセスの両方のための共通の制御プレーンエンティティとして動作するように適合される。移動性アンカ制御ポイントは、ＨｅＮＢネットワークおよびＷＬＡＮの動作に関連する測定データを要求および受信するように適合される。測定データに基づいて、移動性アンカ制御ポイントは、既存の通信経路を介して、ＨｅＮＢ／ＬＴＥネットワークおよびＷＬＡＮの一方がネットワークの他方にハンドオーバーされるべきかどうかを決定する。ハンドオーバーが実施されるべきことを決定すると、移動性アンカ制御ポイントは、ハンドオーバーを調整する。
【０２３０】
開示されるシステムおよび方法は、種々の利益をもたらし得る。例えば、通信性能は、データフローのハンドオーバーに関する決定を含む、ネットワークのエッジの近くでのシステム間移動性プロシージャの実行を可能にすることによって改良される。通信待ち時間は、コアネットワークの深い、すなわち、ＰＧＷに向かう信号通信プロシージャの必要性を最小化することによって短縮される。これは、特に、ＭＮＯが共通の地理的エリア内でスモールセルおよびＷｉ−Ｆｉアクセスの両方を採用するとき、有益であり得る。スケーラビリティも、ＰＧＷ処理負荷を減らすことによって、例えば、ＭＭＥおよびＳＧＷにいくつかのシステム間移動性を分散させることによって改良される。
【０２３１】
さらに、開示されるシステムおよび方法は、ハンドオーバー動作を実施することにおいて効率性を提供する。既存の処理方法によると、システム間ハンドオーバー中、ＰＧＷは、サブトンネルのうちのいくつかが、単に、データフローが新しい接続にハンドオーバーされるときに再作成される場合でも、ＵＥとＰＧＷとの間の古いＧＴＰベースのトンネルの全てを切断し、完全に新しいトンネルを確立する。本明細書に開示されるシステムおよび方法によると、ハンドオーバー後に使用されないであろう、ＧＴＰベースのトンネルのそれらの部分のみが、削除される。故に、処理は、より効率的となり、システムにかかる管理上の負担は、減少される。
【０２３２】
開示されるシステムおよび方法のさらに別の利点は、ＵＥによってとは対照的に、ネットワークからハンドオーバーを開始することから生じる改良された制御および意思決定である。ＵＥは、例えば、ＨｅＮＢネットワークおよびＴＷＡＮ上の負荷レベルおよび輻輳等のネットワーク条件についての情報を有していない。開示されるシステムでは、ＭＭＥおよびＩＳＷ  ＧＷは、ネットワーク条件についての情報を読み出し、ハンドオーバーに関して情報に基づいた決定を行い得る。
【０２３３】
例証的実施形態が開示されたが、潜在的な実施形態の範囲は、明示的に立案されるものに限定されないことを理解されたい。例えば、システムは、「信頼されている」ＷＬＡＮアクセスネットワーク（ＴＷＡＮ）を主に参照して説明されたが、想定される実施形態は、「信頼されていない」ＷＬＡＮを採用する実施形態にも及ぶ。実際、実施形態は、好適な無線ローカルアクセスネットワークを利用する。さらに、開示される実施形態は、開示される実施形態は、特定のプロトコルおよびメッセージフォーマットに限定されず、むしろ、任意の好適なプロトコルおよびフォーマッティングを採用し得ることを理解されたい。なおさらに、開示される実施形態は、ＩＳＷ  ＧＷおよびＭＭＥを参照するが、ＩＳＷ
ＧＷおよびＭＭＥに関連付けられた機能性が、例えば、ＨｅＮＢ  ＧＷ等の別の構成要素の中に組み込まれ得ること、およびそれらが依然として意図される実施形態の範囲内であることを理解されたい。
【０２３４】
本明細書に説明される種々の技法は、ハードウェアまたはソフトウェア、もしくは適切である場合、両方の組み合わせに関連して実装され得ることを理解されたい。したがって、本明細書に説明される主題の方法および装置、またはそれらのある側面もしくは部分は、フロッピディスケット、ＣＤ−ＲＯＭ、ハードドライブ、または任意の他の機械読み取り可能な記憶媒体等の有形媒体で具現化されるプログラムコード（すなわち、命令）の形態をとり得、プログラムコードがコンピュータ等の機械にロードされ、それによって実行されると、機械は、本明細書に説明される主題を実践するための装置になる。プログラムコードが媒体上に記憶される場合、当該プログラムコードが、当該アクションを集合的に実施する１つ以上の媒体上に記憶される場合、すなわち、１つ以上の媒体が、まとめて、アクションを実施するコードを含む場合であり得るが、２つ以上の媒体がある場合、コードの任意の特定の部分が任意の特定の媒体上に記憶されるという要件はない。プログラマブルコンピュータ上のプログラムコード実行の場合、コンピューティングデバイスは、概して、プロセッサ、（揮発性および不揮発性メモリおよび／または記憶要素を含む）プロセッサによって読み取り可能なである記憶媒体、少なくとも１つの入力デバイス、および少なくとも１つの出力デバイスを含む。１つ以上のプログラムは、例えば、ＡＰＩ、再利用可能制御等の使用を通して、本明細書に説明される主題に関連して説明されるプロセッサを実装または利用し得る。そのようなプログラムは、好ましくは、コンピュータシステムと通信するように、高レベル手続き型またはオブジェクト指向プログラミング言語で実装される。しかしながら、プログラムは、所望であれば、アセンブリまたは機械言語で実装することができる。いずれの場合でも、言語は、コンパイラ型またはインタープリタ型言語であり得、ハードウェア実装と組み合わせられ得る。
【０２３５】
例示的実施形態は、１つ以上の独立型コンピュータシステムもしくはデバイスの文脈において本明細書に説明される主題の側面を利用することを参照し得るが、本明細書に説明される主題は、そのように限定されず、むしろ、ネットワークまたは分散型コンピューティング環境等の任意のコンピューティング環境に関連して実装され得る。なおさらに、本明細書に説明される主題の側面は、複数の処理チップまたはデバイスで、またはそれらにわたって実装され得、記憶が、同様に複数のデバイスにわたって影響を受けてもよい。そのようなデバイスは、パーソナルコンピュータ、ネットワークサーバ、ハンドヘルドデバイス、スーパーコンピュータ、または自動車および航空機等の他のシステムに統合されるコンピュータを含み得る。
【０２３６】
以下は、上での説明で出現し得るサービスレベル技術に関する頭字語のリストである。ＡＡＡ    認証、承認、および課金
ＡＮＤＳＦ  アクセスネットワーク発見および選択機能
ＡＮＱＰ    アクセスネットワーククエリプロトコル
ＡＰ    アクセスポイント
ＡＰＮ    アクセスポイント名
ＣＡＰＷＡＰ  無線アクセスポイントの制御およびプロビジョニング
ＤＨＣＰ    動的ホスト構成プロトコル
ＥＡＰ    拡張認証プロトコル
ＥＡＰ−ＡＫＡ  ＥＡＰ認証およびキー一致
ＥＡＰ−ＡＫＡ’  ＥＡＰＡＫＡ「主要」
ＥＡＰｏＬ  ＬＡＮを経由したＥＡＰ
ＥＰＣ    進化型パケットコア
ｅＰＤＧ    進化型パケットデータゲートウェイ
ＧＰＲＳ    汎用パケット無線サービス
ＧＴＰ    ＧＰＲＳトンネリングプロトコル
ＨｅＮＢ    ホーム進化型ノードＢ
ＨＲＰＤ    高速パケットデータ
ＨＳ  ＧＷ    ＨＲＰＤサービングゲートウェイ
ＨＳＳ    ホーム加入システム
ＩＥＴＦ    インターネット技術標準化委員会
ＩＫＥｖ２  インターネットキーエクスチェンジプロトコルバージョン２
ＩＭＳＩ    移動加入者識別番号
ＩＰ    インターネットプロトコル
ＩＳＷ    統合されたスモールセルおよびＷｉ−Ｆｉ
ＩＳＷＮ    統合されたスモールセルおよびＷｉ−Ｆｉネットワーク
ＬＴＥ    ロングタームエボリューション
ＭＡＣ    媒体アクセス制御
ＭＡＰＣＯＮ  マルチアクセスＰＤＮ接続
ＭＣＮ    モバイルコアネットワーク
ＭＭＥ    移動性管理エンティティ
ＭＮＯ    携帯電話ネットワークオペレータ
ＮＡＳ    非アクセス層
ＯＡＭ    動作、管理、および保守
ＰＣＲＦ    ポリシーおよび課金ルール機能
ＰＤＮ    パケットデータネットワーク
ＰＧＷ    ＰＤＮゲートウェイ
ＰＭＩＰ    プロキシモバイルＩＰ
ＱｏＥ    体感品質
ＱｏＳ    サービス品質
ＲＡＴ    無線アクセス技術
ＲＲＣ    無線リソース制御
ＳａＭＯＧ  ＧＴＰを経由したＳ２ａ移動性
ＳＣＦ    スモールセルフォーラム
ＳＣＴＰ    ストリーム制御トランスポートプロトコル
ＳＧＷ    サービングゲートウェイ
ＳＩ    検討項目（３ＧＰＰ）
ＳＮＭＰ    シンプルネットワーク管理プロトコル
ＴＥＩＤ    トンネリング端点識別子
ＴＷＡＧ    信頼されているＷＬＡＮアクセスゲートウェイ
ＴＷＡＮ    信頼されているＷＬＡＮアクセスネットワーク
ＴＷＡＰ    信頼されているＷＬＡＮ  ＡＡＡプロキシ
ＵＤＰ    ユーザデータグラムプロトコル
ＵＥ    ユーザ機器
ＵＳＩＭ    ＵＭＴＳ加入者識別モジュール
ＷＢＡ    ワイヤレスブロードバンドアライアンス
ＷＦＡ    Ｗｉ−Ｆｉアライアンス
ＷＬＡＮ    無線ローカルエリアネットワーク
ＷＬＣ    無線ＬＡＮコントローラ
ＷＬＣＰ    無線ＬＡＮ制御プロトコル
本主題は、構造的特徴および／または方法の行為に特有の言語で説明されたが、添付される請求項で定義される主題は、必ずしも、上記に説明される具体的特徴または行為に限定されないことを理解されたい。むしろ、上記に説明される具体的特徴および行為は、請求項を実装する例示的形態として開示される。
【図１】
2019054545.tif 000008
【図２】
2019054545.tif 000009
【図３】
2019054545.tif 000010
【図４】
2019054545.tif 000011
【図５】
2019054545.tif 000012
【図６】
2019054545.tif 000013
【図７】
2019054545.tif 000014
【図８Ａ】
2019054545.tif 000015
【図８Ｂ】
2019054545.tif 000016
【図９Ａ】
2019054545.tif 000017
【図９Ｂ】
2019054545.tif 000018
【図１０Ａ】
2019054545.tif 000019
【図１０Ｂ】
2019054545.tif 000020
【図１１Ａ】
2019054545.tif 000021
【図１１Ｂ】
2019054545.tif 000022
【図１２】
2019054545.tif 000023
【図１３】
2019054545.tif 000024
【図１４】
2019054545.tif 000025
【図１５】
2019054545.tif 000026
【図１６Ａ】
2019054545.tif 000027
【図１６Ｂ】
2019054545.tif 000028
【図１７Ａ】
2019054545.tif 000029
【図１７Ｂ】
2019054545.tif 000030
【図１８Ａ】
2019054545.tif 000031
【図１８Ｂ】
2019054545.tif 000032
【図１９Ａ】
2019054545.tif 000033
【図１９Ｂ】
2019054545.tif 000034